(57)【要約】本出願の実施形態は、狭帯域モノのインターネットの中の端末が、ターゲット基地局にアクセスした後で、ハンドオーバーまたは再選択の前に完全には受信されていないダウンリンクデータを完全に受信できることを事実上確実にするための、言い換えると、端末のダウンリンクデータが失われないことを事実上確実にし、それによって接続モードにおける端末のモビリティを確実にするための、データ処理方法および関連するデバイスを提供する。本出願の実施形態において提供される技術的な解決法は、次の通りである。コアネットワークデバイスが第１の指示メッセージを取得し、端末がセル変更またはセル再選択を完了したことを示すために前記第１の指示メッセージが使用される。コアネットワークデバイスがダウンリンクデータをターゲット基地局に送信し、ターゲット基地局は、端末がセル変更またはセル再選択を完了した後で接続される基地局である。
2019525640.tif 000002
【特許請求の範囲】
【請求項１】
狭帯域モノのインターネットに適用可能なデータ処理方法であって、
コアネットワークデバイスによって、第１の指示メッセージを取得するステップであって、端末がセル変更またはセル再選択を完了したことを示すために前記第１の指示メッセージが使用される、ステップと、
前記コアネットワークデバイスによって、ダウンリンクデータをターゲット基地局に送信するステップであって、前記ターゲット基地局が、前記端末が前記セル変更または前記セル再選択を完了した後で接続される基地局である、ステップとを備える、方法。
【請求項２】
コアネットワークデバイスによって、第１の指示メッセージを取得する前記ステップの前に、
前記コアネットワークデバイスによって、前記ダウンリンクデータを保存し、第１のタイマーを始動するステップをさらに備え、前記ダウンリンクデータが、前記コアネットワークデバイスによってソース基地局に送信されるべきダウンリンクデータであり、前記ソース基地局が、セルハンドオーバーまたは前記セル再選択を完了する前に前記端末が接続される基地局であり、
コアネットワークデバイスによって、第１の指示メッセージを取得する前記ステップが、
前記コアネットワークデバイスによって、前記第１のタイマーの動作の間に前記第１の指示メッセージを取得するステップを備える請求項１に記載の方法。
【請求項３】
前記コアネットワークデバイスによって、前記ダウンリンクデータを保存し、第１のタイマーを始動する前記ステップの後に、
前記第１のタイマーがタイムアウトし、前記コアネットワークデバイスが前記第１の指示メッセージを取得しない場合、前記コアネットワークデバイスによって、前記保存されたダウンリンクデータを削除するステップをさらに備える請求項２に記載の方法。
【請求項４】
前記コアネットワークデバイスによって、ダウンリンクデータをターゲット基地局に送信する前記ステップの前に、
前記コアネットワークデバイスによって、前記端末のフィードバック情報を受信するステップと、
前記端末が前記ダウンリンクデータを完全には受信していないことを前記フィードバック情報が示す場合、前記コアネットワークデバイスが前記ダウンリンクデータを前記ターゲット基地局に送信することをトリガするステップとをさらに備える請求項２に記載の方法。
【請求項５】
前記第１の指示メッセージが、初期ＵＥメッセージ、経路切替えメッセージ、または別のメッセージであり得る請求項１乃至４のいずれか一項に記載の方法。
【請求項６】
コアネットワークデバイスによって、第１の指示メッセージを取得する前記ステップの前に、
前記コアネットワークデバイスによって、指示シグナリングを受信するステップであって、前記指示シグナリングが、前記端末が前記セル再選択を実行すべきであることまたは前記端末が前記セル変更を実行すべきであることを示すために使用される、ステップと、
前記コアネットワークデバイスによって、前記ダウンリンクデータをソース基地局に送信するのを止め、第２のタイマーを始動するステップであって、前記ダウンリンクデータが、前記コアネットワークデバイスによって前記ソース基地局に送信されるべきダウンリンクデータである、ステップとをさらに備え、
コアネットワークデバイスによって、第１の指示メッセージを取得する前記ステップが、
前記コアネットワークデバイスによって、前記第２のタイマーの動作の間に前記第１の指示メッセージを取得するステップを備える請求項１に記載の方法。
【請求項７】
前記コアネットワークデバイスによって、前記ダウンリンクデータを前記ソース基地局に送信するのを止め、第２のタイマーを始動する前記ステップの後で、
前記第２のタイマーがタイムアウトし、前記コアネットワークデバイスが前記第１の指示メッセージを取得しない場合、前記コアネットワークデバイスによって、前記ソース基地局への前記ダウンリンクデータの送信を再開するステップをさらに備える請求項６に記載の方法。
【請求項８】
コアネットワークデバイスによって、第１の指示メッセージを取得する前記ステップの前に、
前記コアネットワークデバイスによって、指示シグナリングを受信するステップと、
前記コアネットワークデバイスによって、前記ダウンリンクデータを前記ターゲット基地局に送信し始め、前記ダウンリンクデータをソース基地局に送信し続け、第３のタイマーを始動するステップとをさらに備え、前記ダウンリンクデータが、前記コアネットワークデバイスによって前記ソース基地局に送信されるべきダウンリンクデータであり、
コアネットワークデバイスによって、第１の指示メッセージを取得する前記ステップが、
前記コアネットワークデバイスによって、前記第３のタイマーの動作の間に前記第１の指示メッセージを取得するステップを備え、
前記コアネットワークデバイスによって、ダウンリンクデータをターゲット基地局に送信する前記ステップが、
前記コアネットワークデバイスによって、前記ダウンリンクデータを前記ターゲット基地局に送信し、前記ダウンリンクデータを前記ソース基地局に送信するのを止めるステップを備える請求項１に記載の方法。
【請求項９】
前記コアネットワークデバイスによって、前記ダウンリンクデータを前記ターゲット基地局に送信し始め、前記ダウンリンクデータを前記ソース基地局に送信し続け、第３のタイマーを始動する前記ステップの後で、
前記第３のタイマーがタイムアウトした後で前記コアネットワークデバイスが前記第１の指示メッセージを取得しない場合、前記コアネットワークデバイスによって、前記ダウンリンクデータを前記ターゲット基地局に送信するのを止めるステップをさらに備える請求項８に記載の方法。
【請求項１０】
前記コアネットワークデバイスがモビリティ管理エンティティＭＭＥである請求項１に記載の方法。
【請求項１１】
前記第１の指示メッセージが、アップリンク非アクセス層メッセージトランスポートＵＬ  ＮＡＳトランスポートメッセージまたは別のＳ１−ＡＰメッセージである請求項６乃至８のいずれか一項に記載の方法。
【請求項１２】
狭帯域モノのインターネットに適用可能なデータ処理方法であって、
ソース基地局によって、第２の指示メッセージを取得するステップであって、前記第２の指示メッセージが、端末がセルハンドオーバーを実行し始めること、または前記端末がセル再選択を実行し始めることを示すために使用され、前記ソース基地局が、前記端末が前記セル再選択を完了する前または前記セルハンドオーバーを完了する前に前記端末が位置するソースサービングセルに対応する基地局である、ステップと、
ターゲット基地局がダウンリンクデータを前記端末に送信するように、前記ソース基地局によって、前記ダウンリンクデータを前記ターゲット基地局に送信するステップであって、前記ターゲット基地局が、前記端末が前記セル再選択または前記セルハンドオーバーを完了した後のターゲットサービングセルに対応する基地局である、ステップとを備える、方法。
【請求項１３】
前記第２の指示メッセージが、前記端末が前記セル再選択を完了したことを示し、
ソース基地局によって、第２の指示メッセージを取得する前記ステップが、
前記ソース基地局によって、前記ターゲット基地局によって送信されるセル再選択またはセル変更指示メッセージまたは無線リンク障害指示メッセージを受信するステップと、
前記ソース基地局によって、第１の要求メッセージを前記ターゲット基地局に送信するステップと、
前記ソース基地局によって、前記ターゲット基地局によって前記第２の指示メッセージとしてフィードバックされる第１の応答メッセージを受信するステップとを備える請求項１２に記載の方法。
【請求項１４】
前記第１の要求メッセージがハンドオーバー要求メッセージであり、前記第１の応答メッセージがハンドオーバー肯定応答メッセージである請求項１３に記載の方法。
【請求項１５】
前記第１の要求メッセージが相互接続インターフェースアプリケーションプロトコルＸ２−ＡＰメッセージであり、前記第１の応答メッセージがＸ２−ＡＰメッセージである請求項１３に記載の方法。
【請求項１６】
前記第２の指示メッセージが、前記端末がセル変更を実行し始めることを示し、
ソース基地局によって、第２の指示メッセージを取得する前記ステップが、
前記ソース基地局によって、第２の要求メッセージを前記ターゲット基地局に送信するステップと、
前記ソース基地局によって、前記ターゲット基地局によって前記第２の指示メッセージとしてフィードバックされる第２の応答メッセージを受信するステップとを備える請求項１２に記載の方法。
【請求項１７】
前記第２の要求メッセージがハンドオーバー要求メッセージであり、前記第２の応答メッセージがハンドオーバー肯定応答メッセージである請求項１６に記載の方法。
【請求項１８】
前記第２の要求メッセージがＸ２−ＡＰメッセージであり、前記第２の応答メッセージがＸ２−ＡＰメッセージである請求項１６に記載の方法。
【請求項１９】
前記ソース基地局によって、ダウンリンクデータをターゲット基地局に送信する前記ステップが、
前記ソース基地局によって、基地局間の相互接続インターフェースＸ２を使用することによって、前記ダウンリンクデータを前記ターゲット基地局に送信するステップを備える請求項１２乃至１８のいずれか一項に記載の方法。
【請求項２０】
前記ダウンリンクデータが、前記端末によってフィードバックされない受信肯定応答メッセージのダウンリンク非アクセス層データＮＡＳ  ＰＤＵ、または前記ソース基地局によって送信されない前記端末のダウンリンクＮＡＳ  ＰＤＵであり、前記ダウンリンクデータがコアネットワークデバイスによって前記ソース基地局に送信される請求項１２乃至１８のいずれか一項に記載の方法。
【請求項２１】
前記第２の指示メッセージが、ｕｐｌｉｎｋ  ｄｉｒｅｃｔ  ｔｒａｎｓｆｅｒメッセージＵＬ情報転送または別の無線リソース制御ＲＲＣメッセージである請求項１２乃至１８のいずれか一項に記載の方法。
【請求項２２】
狭帯域モノのインターネットに適用可能であるコアネットワークデバイスであって、
第１の指示メッセージを取得するように構成される受信モジュールであって、端末がセル変更またはセル再選択を完了したことを示すために前記第１の指示メッセージが使用される、受信モジュールと、
ダウンリンクデータをターゲット基地局に送信するように構成される送信モジュールであって、前記ターゲット基地局が、前記端末が前記セル変更または前記セル再選択を完了した後で接続される基地局である、送信モジュールとを備える、コアネットワークデバイス。
【請求項２３】
前記コアネットワークデバイスが、前記ダウンリンクデータを保存し、第１のタイマーを始動するように構成される、処理モジュールをさらに備え、前記ダウンリンクデータが、前記コアネットワークデバイスによってソース基地局に送信されるべきダウンリンクデータであり、前記ソース基地局が、セルハンドオーバーを完了する前または前記セル再選択を完了する前に前記端末が接続される基地局であり、
前記受信モジュールがさらに、前記第１のタイマーの動作の間に前記第１の指示メッセージを取得するように構成される請求項２２に記載のコアネットワークデバイス。
【請求項２４】
前記処理モジュールがさらに、前記第１のタイマーがタイムアウトし前記受信モジュールが前記第１の指示メッセージを取得しない場合に前記保存されたダウンリンクデータを削除するように構成される、請求項２３に記載のコアネットワークデバイス。
【請求項２５】
前記受信モジュールがさらに、前記端末のフィードバック情報を受信するように構成され、
前記処理モジュールがさらに、前記端末が前記ダウンリンクデータを完全には受信していないことを前記フィードバック情報が示す場合、前記ターゲット基地局への前記ダウンリンクデータの送信をトリガするように構成される請求項２３に記載のコアネットワークデバイス。
【請求項２６】
前記第１の指示メッセージが、初期ＵＥメッセージ、経路切替えメッセージ、または別のメッセージであり得る請求項２２乃至２５のいずれか一項に記載のコアネットワークデバイス。
【請求項２７】
前記受信モジュールがさらに、指示シグナリングを受信するように構成され、前記指示シグナリングが、前記端末が前記セル再選択を実行すべきであることまたは前記端末が前記セル変更を実行すべきであることを示すために使用され、
処理モジュールがさらに、前記ダウンリンクデータをソース基地局に送信するのを止め、第２のタイマーを始動するように構成され、前記ダウンリンクデータが、前記コアネットワークデバイスによって前記ソース基地局に送信されるべきダウンリンクデータであり、
前記受信モジュールがさらに、前記第２のタイマーの動作の間に前記第１の指示メッセージを取得するように構成される請求項２２に記載のコアネットワークデバイス。
【請求項２８】
前記処理モジュールがさらに、前記第２のタイマーがタイムアウトし前記受信モジュールが前記第１の指示メッセージを取得しない場合、前記ソース基地局への前記ダウンリンクデータの送信を再開するように構成される請求項２７に記載のコアネットワークデバイス。
【請求項２９】
前記受信モジュールがさらに、指示シグナリングを受信するように構成され、
前記送信モジュールがさらに、前記ダウンリンクデータを前記ターゲット基地局に送信し始め、前記ダウンリンクデータをソース基地局に送信し続けるように構成され、前記ダウンリンクデータが、前記コアネットワークデバイスによって前記ソース基地局に送信されるべきダウンリンクデータであり、
前記処理モジュールがさらに、第３のタイマーを始動するように構成され、
前記受信モジュールがさらに、前記第３のタイマーの動作の間に前記第１の指示メッセージを取得するように構成され、
前記送信モジュールがさらに、前記ターゲット基地局に前記ダウンリンクデータを送信し、前記ダウンリンクデータを前記ソース基地局に送信するのを止めるように構成される請求項２２に記載のコアネットワークデバイス。
【請求項３０】
前記処理モジュールがさらに、前記第３のタイマーがタイムアウトした後に前記第１の指示メッセージが取得されない場合、前記ダウンリンクデータを前記ターゲット基地局に送信するのを止めるように構成される請求項２９に記載のコアネットワークデバイス。
【請求項３１】
前記コアネットワークデバイスがＭＭＥである請求項２２に記載のコアネットワークデバイス。
【請求項３２】
前記第１の指示メッセージが、ＵＬ  ＮＡＳトランスポートメッセージまたは別のＳ１−ＡＰメッセージである請求項２７乃至２９のいずれか一項に記載のコアネットワークデバイス。
【請求項３３】
狭帯域モノのインターネットに適用可能な基地局であって、
第２の指示メッセージを取得するように構成される受信モジュールであって、前記第２の指示メッセージが、端末がセルハンドオーバーを実行し始めること、または前記端末がセル再選択を実行し始めることを示すために使用され、ソース基地局が、前記端末が前記セル再選択を完了する前または前記セルハンドオーバーを完了する前に前記端末が位置するソースサービングセルに対応する基地局である、受信モジュールと、
ターゲット基地局がダウンリンクデータを前記端末に送信するように、前記ダウンリンクデータを前記ターゲット基地局に送信するように構成される送信モジュールであって、前記ターゲット基地局が、前記端末が前記セル再選択または前記セルハンドオーバーを完了した後のターゲットサービングセルに対応する基地局である、送信モジュールとを備える、基地局。
【請求項３４】
前記第２の指示メッセージが、前記端末が前記セル再選択を完了したことを示し、
前記受信モジュールがさらに、前記ターゲット基地局によって送信されるデータ送信指示メッセージまたは無線リンク障害指示メッセージを受信するように構成され、
前記送信モジュールがさらに、第１の要求メッセージを前記ターゲット基地局に送信するように構成され、
前記受信モジュールがさらに、前記ターゲット基地局によって前記第２の指示メッセージとしてフィードバックされる第１の応答メッセージを受信するように構成される請求項３３に記載の基地局。
【請求項３５】
前記第１の要求メッセージがハンドオーバー要求メッセージであり、前記第１の応答メッセージがハンドオーバー肯定応答メッセージである請求項３４に記載の基地局。
【請求項３６】
前記第１の要求メッセージが相互接続インターフェースアプリケーションプロトコルＸ２−ＡＰメッセージであり、前記第１の応答メッセージがＸ２−ＡＰメッセージである請求項３４に記載の基地局。
【請求項３７】
前記第２の指示メッセージが、前記端末がセル変更を実行し始めることを示し、
前記送信モジュールがさらに、第２の要求メッセージを前記ターゲット基地局に送信するように構成され、
前記受信モジュールがさらに、前記ターゲット基地局によって前記第２の指示メッセージとしてフィードバックされる第２の応答メッセージを受信するように構成される請求項３３に記載の基地局。
【請求項３８】
前記第２の要求メッセージがハンドオーバー要求メッセージであり、前記第２の応答メッセージがハンドオーバー肯定応答メッセージである請求項３７に記載の基地局。
【請求項３９】
前記第２の要求メッセージがＸ２−ＡＰメッセージであり、前記第２の応答メッセージがＸ２−ＡＰメッセージである請求項３７に記載の基地局。
【請求項４０】
前記送信モジュールがさらに、基地局間の相互接続インターフェースＸ２を使用することによって、前記ダウンリンクデータを前記ターゲット基地局に送信するように構成される請求項３３乃至３９のいずれか一項に記載の基地局。
【請求項４１】
前記ダウンリンクデータが、前記端末によってフィードバックされない受信肯定応答メッセージのダウンリンクＮＡＳ  ＰＤＵ、または前記ソース基地局によって送信されない前記端末のダウンリンクＮＡＳ  ＰＤＵである請求項３３乃至３９のいずれか一項に記載の基地局。
【請求項４２】
前記第２の指示メッセージが、ＵＬ情報転送メッセージまたは別のＲＲＣメッセージである請求項３３乃至３９のいずれか一項に記載の基地局。
【請求項４３】
トランシーバと、プロセッサと、バスとを備え、
前記トランシーバおよび前記プロセッサが前記バスを使用することによって互いに接続され、
前記トランシーバが、第１の指示メッセージを取得するステップであって、端末がセル変更またはセル再選択を完了したことを示すために前記第１の指示メッセージが使用される、ステップと、ダウンリンクデータをターゲット基地局に送信するステップであって、前記ターゲット基地局が、前記端末が前記セル変更または前記セル再選択を完了した後で接続される基地局である、ステップとを実行する、コアネットワークデバイス。
【請求項４４】
トランシーバと、プロセッサと、バスとを備え、
前記トランシーバおよび前記プロセッサが前記バスを使用することによって互いに接続され、
前記トランシーバが、第２の指示メッセージを取得するステップであって、前記第２の指示メッセージが、端末がセルハンドオーバーを実行し始めること、または前記端末がセル再選択を実行し始めることを示すために使用され、ソース基地局が、前記端末が前記セル再選択を完了する前または前記セルハンドオーバーを完了する前に前記端末が位置するソースサービングセルに対応する基地局である、ステップと、ターゲット基地局がダウンリンクデータを前記端末に送信するように、前記ダウンリンクデータを前記ターゲット基地局に送信するステップであって、前記ターゲット基地局が、前記端末が前記セル再選択または前記セルハンドオーバーを完了した後のターゲットサービングセルに対応する基地局である、ステップとを実行する、基地局。
【発明の詳細な説明】
【技術分野】
【０００１】
本出願は通信分野に関し、より具体的には、データ処理方法および関連するデバイスに関する。
【背景技術】
【０００２】
モバイル通信は人々の生活を大きく変えてきたが、人々はより高性能なモバイル通信を追求することを決して辞めない。モバイルデータトラフィックの爆発的な成長、大量のデバイス接続、様々な新しく出現するサービス、および未来の適用シナリオに対処するために、時代が必要とするので第５世代（５Ｇ）が出現する。５Ｇの構成部分として、モノのインターネットには急速に成長している市場需要がある。現在、３ＧＰＰ規格は、狭帯域技術の特性を十分に利用することによってＩｏＴサービスを提供するために、セルラーネットワークに基づく新しいエアインターフェースを設計することを研究している。そのようなタイプのＩｏＴは、狭帯域モノのインターネット（英語の完全な名称：Ｎａｒｒｏｗ  Ｂａｎｄ−Ｉｎｔｅｒｎｅｔ  ｏｆ  Ｔｈｉｎｇｓ、略してＮＢ−ＩｏＴ）と呼ばれる。しかしながら、ＮＢ−ＩｏＴのネットワーク、サービス、および端末の要件ならびに特性により、ネットワークアーキテクチャの設計にいくつかの新しい課題が課される。現在、モノのインターネットは、主に低モビリティの端末および適用例のために、アイドルモードにおけるモビリティ機能のみを実装する。しかしながら、モビリティを伴うモノのインターネットの要件も重要な要件である。したがって、接続モードにおけるモビリティの問題が解決される必要がある。
【０００３】
現在、接続モードにおいてＮＢ−ＩｏＴのモビリティを実装するために、ロングタームエボリューション（英語の完全な名称：Ｌｏｎｇ  Ｔｅｒｍ  Ｅｖｏｌｕｔｉｏｎ、略してＬＴＥ）のハンドオーバー手順が普通はＮＢ−ＩｏＴに適用される。
【０００４】
しかしながら、ＮＢ−ＩｏＴはパケットデータコンバージェンスプロトコル（英語の完全な名称：Ｐａｃｋｅｔ  Ｄａｔａ  Ｃｏｎｖｅｒｇｅｎｃｅ  Ｐｒｏｔｏｃｏｌ、略してＰＤＣＰ）を含まないので、ＮＢ−ＩｏＴは制御プレーン上でデータ送信を実行することができない。その結果、ターゲット基地局にアクセスした後で、端末は、ハンドオーバーの前に完全には受信されていないダウンリンクデータを、完全には受信することができない。
【発明の概要】
【０００５】
本出願の実施形態は、端末が、ターゲット基地局にアクセスした後で、ハンドオーバーまたは再選択の前に完全には受信されていないダウンリンクデータを完全に受信できることを事実上確実にするための、言い換えると、端末のダウンリンクデータが失われないことを事実上確実にし、それによって接続モードにおける端末のモビリティを確実にするための、データ処理方法および関連するデバイスを提供する。
【０００６】
第１の態様によれば、本出願のある実施形態は、コアネットワークデバイスが、端末がセル変更またはセル再選択を完了したことを示すために使用される第１の指示メッセージを取得することを含む、データ処理方法を提供する。次いで、コアネットワークデバイスは、端末がセル変更またはセル再選択を完了した後で接続されるターゲット基地局にダウンリンクデータを送信する。
【０００７】
本出願のこの実施形態において提供される技術的な解決法では、端末によるセル再選択の完了またはセル変更の完了に肯定応答した後で、コアネットワークデバイスは、ターゲット基地局にダウンリンクデータを送信する。このことは、ダウンリンクデータがセル変更またはセル再選択の後で失われないことを事実上確実にでき、それにより、モビリティ状態における端末の連続性を確実にする。
【０００８】
本出願のこの実施形態では、ダウンリンクデータを失わないようにするために、コアネットワークデバイスは、次のいくつかの方式でデータ処理を実行し得る。
【０００９】
ある可能な実装形態では、コアネットワークデバイスは、ソース基地局に送信されるべきダウンリンクデータを保存し、ダウンリンクデータを保存した後で第１のタイマーを始動する。ソース基地局は、セル変更を完了する前またはセル再選択を完了する前に端末が接続される基地局である。このようにして、コアネットワークデバイスは、第１のタイマーがタイムアウトしないとき、第１の指示メッセージを取得することができる。
【００１０】
本出願のこの実施形態において提供される技術的な解決法では、コアネットワークデバイスは、ソース基地局に送信されるべきダウンリンクデータを保存し、端末がターゲット基地局への接続を確立した後で保存されたダウンリンクデータをターゲット基地局に送信し、それにより、ダウンリンクデータが失われないことを事実上確実にし、さらに、モビリティ状態における端末の連続性を確実にする。
【００１１】
前述の方式に基づくと、第１のタイマーがタイムアウトした後でまだコアネットワークデバイスが第１の指示メッセージを取得しない場合、コアネットワークデバイスは保存されたダウンリンクデータを削除する。
【００１２】
本出願のこの実施形態において提供される技術的な解決法では、コアネットワークデバイスは、コアネットワークデバイスが第１の指示メッセージを取得しないとき、保存されたダウンリンクデータを削除するので、ストレージ負荷が事実上低減することができる。
【００１３】
前述の方式に基づくと、コアネットワークデバイスは、端末によってダウンリンクデータを受信することのステータスを示すために使用されるフィードバック情報を受信する。端末がダウンリンクデータを完全に受信したことをフィードバック情報が示す場合、コアネットワークデバイスはダウンリンクデータを削除する。端末がダウンリンクデータを完全には受信していないことをフィードバック情報が示す場合、コアネットワークデバイスはダウンリンクデータをターゲット基地局に送信することをトリガされる。
【００１４】
本出願のこの実施形態において提供される技術的な解決法では、コアネットワークデバイスは、端末によってダウンリンクデータを受信することの特定のステータスに基づいて特定の動作を実行し、それにより、ストレージ負荷を低減してコアネットワークデバイスの作業効率を改善することを助ける。
【００１５】
前述の方式に基づくと、コアネットワークデバイスによって取得される第１の指示メッセージは、初期ＵＥメッセージ、経路切替えメッセージ、または別のメッセージであり得る。
【００１６】
本出願のこの実施形態では、コアネットワークデバイスは、様々なシグナリングを使用することによって第１の指示メッセージを取得し得るので、コアネットワークデバイスの互換性および効率が事実上改善することができる。
【００１７】
別の可能な実装形態では、コアネットワークが第１の指示メッセージを取得する前に、コアネットワークデバイスは、端末がセル再選択またはセル変更を実行すべきであることを示すために使用される指示シグナリングを受信する。次いで、コアネットワークデバイスは、ダウンリンクデータをソース基地局に送信するのを止め、第２のタイマーを始動する。このダウンリンクデータは、ソース基地局へコアネットワークデバイスによって送信されることになるダウンリンクデータである。次いで、コアネットワークデバイスは、第２のタイマーがタイムアウトしないとき、第１の指示メッセージを取得する。
【００１８】
本出願のこの実施形態において提供される技術的な解決法では、端末がセル再選択を実行すべきであること、または端末がセル変更を実行すべきであることを示すために使用される指示シグナリングを受信した後で、コアネットワークデバイスは、ダウンリンクデータを送信するのを止め、そして、端末がターゲット基地局への接続を確立した後でターゲット基地局にダウンリンクデータを送信するので、ダウンリンクデータが失われないことが事実上確実にされることが可能であり、これによりモビリティ状態における端末の連続性を確実にする。
【００１９】
前述の方式に基づくと、第２のタイマーがタイムアウトした後でコアネットワークデバイスがまだ第１の指示メッセージを取得していない場合、言い換えると、端末がターゲット基地局へ接続されることに失敗した可能性がある場合、コアネットワークデバイスは、ソース基地局へのダウンリンクデータの送信を再開し始める。
【００２０】
本出願のこの実施形態において提供される技術的な解決法では、コアネットワークデバイスは、特定のステータスに基づいて特定の動作を実行することがあり、それにより、コアネットワークデバイスの作業効率を改善することを助ける。
【００２１】
前述の方式に基づくと、第１の指示メッセージは、アップリンク非アクセス層メッセージトランスポートＵＬ  ＮＡＳトランスポートメッセージまたは別のＳ１−ＡＰメッセージであり得る。これは本明細書では特に限定されない。
【００２２】
本出願のこの実施形態では、コアネットワークデバイスは、様々なシグナリングを使用することによって第１の指示メッセージを取得し得るので、コアネットワークデバイスの互換性および効率が実質的に改善することができる。
【００２３】
別の可能な実装形態では、第１の指示メッセージを取得する前に、コアネットワークデバイスは、端末がセル再選択を実行すべきであることまたは端末がセル変更を実行すべきであることを示すために使用される指示シグナリングを受信する。次いで、コアネットワークデバイスは、ターゲット基地局にダウンリンクデータを送信し始め、ソース基地局にダウンリンクデータを送信し続け、第３のタイマーを始動する。このダウンリンクデータは、ソース基地局へコアネットワークデバイスによって送信されることになるダウンリンクデータである。続いて、コアネットワークデバイスは、第３のタイマーがタイムアウトしないとき、第１の指示メッセージを取得する。最後に、第３のタイマーがタイムアウトしないときにコアネットワークデバイスが第１の指示メッセージを取得する場合、コアネットワークデバイスは、ダウンリンクデータをターゲット基地局に送信し、ダウンリンクデータをソース基地局に送信するのを止める。
【００２４】
本出願のこの実施形態において提供される技術的な解決法では、コアネットワークデバイスは、ソース基地局とターゲット基地局の両方にダウンリンクデータを送信し得るので、ダウンリンクデータが失われないことが事実上確実にされることが可能であり、それにより、モビリティ状態における端末の連続性を確実にする。
【００２５】
前述の方式に基づくと、第３のタイマーがタイムアウトした後でコアネットワークデバイスがまだ第１の指示メッセージを取得していない場合、言い換えると、端末がターゲット基地局へ接続されることに失敗した可能性がある場合、コアネットワークデバイスは、ターゲット基地局へダウンリンクデータを送信するのを止める。
【００２６】
本出願のこの実施形態において提供される技術的な解決法では、コアネットワークデバイスは、特定のステータスに基づいて特定の動作を実行することがあり、それにより、コアネットワークデバイスの作業効率を改善することを助ける。
【００２７】
前述の方式に基づくと、第１の指示メッセージは、ＵＬ  ＮＡＳトランスポートメッセージまたは別のＳ１−ＡＰメッセージであり得る。
【００２８】
本出願のこの実施形態では、コアネットワークデバイスは、様々なシグナリングを使用することによって第１の指示メッセージを取得し得るので、コアネットワークデバイスの互換性および効率が事実上改善することができる。
【００２９】
ある可能な実装形態では、コアネットワークデバイスは、モビリティ管理エンティティ（英語の完全な名称：Ｍｏｂｉｌｉｔｙ  Ｍａｎａｇｅｍｅｎｔ  Ｅｎｔｉｔｙ、略してＭＭＥ）であり得る。
【００３０】
実際の適用形態では、代わりに、コアネットワークデバイスは別のエンティティ装置であり得る。具体的なエンティティ装置は本明細書では限定されない。
【００３１】
第２の態様によれば、本出願のある実施形態は、端末がセル再選択を完了する前またはセル変更を完了する前に端末が位置するソースサービングセルに対応するソース基地局が、端末がセル変更を実行し始めることまたは端末がセル再選択を実行し始めることを示すために使用される第２の指示メッセージを取得することを含む、データ処理方法を提供する。次いで、ソース基地局は、端末がセル再選択またはセル変更を完了した後でターゲットサービングセルに対応するターゲット基地局にダウンリンクデータを送信するので、ターゲット基地局はダウンリンクデータを端末に送信する。
【００３２】
本出願のこの実施形態では、ソース基地局とターゲット基地局との間のデータ送信は、ダウンリンクデータが失われないことが事実上確実にでき、それにより、モビリティ状態における端末の連続性を確実にする。
【００３３】
ある可能な設計方式では、端末がセル再選択を完了したことを第２の指示メッセージが示すとき、ソース基地局は、ターゲット基地局によって送信されるデータ送信指示メッセージまたは無線リンク障害指示メッセージを受信する。次いで、ソース基地局は、第１の要求メッセージをターゲット基地局に送信する。最後に、ソース基地局は、ターゲット基地局によって第２の指示メッセージとしてフィードバックされる第２の応答メッセージを受信する。第１の要求メッセージはハンドオーバー要求メッセージであり、第１の応答メッセージはハンドオーバー肯定応答メッセージである。第１の要求メッセージおよび第１の応答メッセージは各々、Ｘ２−ＡＰメッセージであり得る。第１の要求メッセージがハンドオーバー要求メッセージである場合、ハンドオーバー要求における情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答を受信しないデータであり、または、送信されないデータであり得る。第１の要求メッセージはハンドオーバー要求メッセージであり、ハンドオーバー要求における情報要素は、ターゲット基地局にダウンリンクデータを送信するために使用され得る。このダウンリンクデータは、ソース基地局がそれに対する受信肯定応答を受信しないデータであり、または、送信されないデータであり得る。
【００３４】
当然、第２の要求メッセージおよび第２の応答メッセージは別のタイプのメッセージであり得る。具体的なステータスは本明細書では限定されない。
【００３５】
ある可能な設計方式では、端末がセル変更を実行し始めることを示すために第２の指示メッセージが使用されるとき、ソース基地局は第２の要求メッセージをターゲット基地局に送信する。最後に、ソース基地局は、ターゲット基地局によって第２の指示メッセージとしてフィードバックされる第２の応答メッセージを受信する。第２の要求メッセージはハンドオーバー要求メッセージであり、第２の応答メッセージはハンドオーバー肯定応答メッセージである。第２の要求メッセージおよび第２の応答メッセージは各々、Ｘ２−ＡＰメッセージであり得る。第２の要求メッセージがハンドオーバー要求メッセージである場合、ハンドオーバー要求における情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答を受信しないデータであり、または、送信されないデータであり得る。第２の要求メッセージはハンドオーバー要求メッセージであり、ハンドオーバー要求における情報要素は、ターゲット基地局にダウンリンクデータを送信するために使用され得る。このダウンリンクデータは、ソース基地局がそれに対する受信肯定応答を受信しないデータであり、または、送信されないデータであり得る。
【００３６】
当然、第２の要求メッセージおよび第２の応答メッセージは別のタイプのメッセージであり得る。具体的なステータスは本明細書では限定されない。
【００３７】
本出願のこの実施形態において提供される技術的な解決法では、ソース基地局は特定の指示メッセージに基づいて特定の動作を実行するので、ソース基地局の作業効率が事実上改善することができる。
【００３８】
ある可能な設計方式では、ソース基地局は、基地局間の相互接続インターフェースＸ２を使用することによって、ダウンリンクデータをターゲット基地局に送信する。
【００３９】
当然、ダウンリンクデータをターゲット基地局に送信する前に、ソース基地局は、コアネットワークデバイスによって送信されるダウンリンクデータを受信する。データ送信の間、基地局はデータだけを送信し、シグナリングを転送しない。したがって、ＮＡＳ情報を基地局に送信するとき、コアネットワークデバイスは、データまたはシグナリングが送信されるかどうかをソース基地局に示すことが必要である。
【００４０】
別の可能な実装形態では、第２の指示メッセージは、アップリンク直接転送メッセージＵＬ情報転送または別の無線リソース制御ＲＲＣメッセージである。具体的なメッセージ形式は本明細書では限定されない。
【００４１】
上記は、ソース基地局およびターゲット基地局が同じコアネットワークデバイスに接続されるシナリオだけを説明する。実際の適用形態では、ソース基地局およびターゲット基地局は異なるコアネットワークデバイスに接続され得る。以下は複数のコアネットワークデバイスにまたがるシナリオを説明する。
【００４２】
第３の態様によれば、本出願のある実施形態は、ソースコアネットワークデバイスが、端末がサービングセルを変更すべきであることまたはターゲットコアネットワークデバイスがダウンリンクデータを送信することを要求することを示すために使用される第３の指示メッセージを取得することを含む、データ処理方法を提供する。ソースコアネットワークデバイスは、端末がセル再選択またはセル変更の前に接続を確立するソース基地局へ接続されるコアネットワークデバイスである。ターゲットコアネットワークデバイスは、端末がセル再選択またはセル変更の後でそれへの接続を確立するターゲット基地局へ接続されるコアネットワークデバイスである。次いで、ソースコアネットワークデバイスはダウンリンクデータをターゲットコアネットワークデバイスに送信するので、ターゲットコアネットワークデバイスはダウンリンクデータをターゲット基地局に送信する。
【００４３】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００４４】
本出願のこの実施形態では、ダウンリンクデータを失わないようにするために、コアネットワークデバイスは、次のいくつかの方式でデータ処理を実行し得る。
【００４５】
ある可能な実装形態では、ソースコアネットワークデバイスは、ダウンリンクデータを保存して第１のタイマーを始動する。ダウンリンクデータは、ソース基地局を使用することによってソースコアネットワークデバイスによって送信されるダウンリンクデータである。第１のタイマーがタイムアウトし、ソースコアネットワークデバイスが第１の指示メッセージを取得しない場合、ソースコアネットワークデバイスはダウンリンクデータを削除する。第１のタイマーがタイムアウトせず、ソースコアネットワークデバイスが第１の指示メッセージを取得する場合、ソースコアネットワークデバイスはダウンリンクデータをターゲットコアネットワークデバイスに送信することをトリガされる。
【００４６】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００４７】
前述の方式に基づくと、ターゲットコアネットワークデバイスがダウンリンクデータを送信することを要求することを第１の指示メッセージが示すとき、ソースコアネットワークデバイスは、ターゲットコアネットワークデバイスによって送信されデータ送信チャネルを作成するようにソースコアネットワークデバイスに命令するために使用される、第１の要求情報を受信する。第１の要求情報は、ターゲットコアネットワークデバイスに接続されるターゲット基地局から第１の指示情報を受信した後で、ターゲットコアネットワークデバイスによって送信される。第１の指示情報は、ターゲットコアネットワークデバイスがソースコアネットワークデバイスからダウンリンクデータを取得することが必要であることを示すために使用される。次いで、ソースコアネットワークデバイスは、データ送信チャネルをセットアップするための第１の応答メッセージを、ターゲットコアネットワークデバイスに送信する。最後に、ソースコアネットワークデバイスは、ダウンリンクデータをターゲットコアネットワークデバイスに送信する。
【００４８】
第１の要求情報は、データ転送トンネル作成要求であり得る。第１の応答メッセージは、データ転送トンネル作成応答であり得る。具体的なシグナリング形式は本明細書では限定されない。
【００４９】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５０】
前述の方式に基づくと、ターゲットコアネットワークデバイスがダウンリンクデータを送信することを要求することを第１の指示メッセージが示すとき、ソースコアネットワークデバイスは、ターゲットコアネットワークデバイスによって送信されデータ送信チャネルを作成するようにソースコアネットワークデバイスに命令するために使用される、第２の要求情報を受信する。第２の要求情報は、第１の指示情報を受信した後でターゲットコアネットワークデバイスによって送信される。次いで、ソースコアネットワークデバイスは、データ送信チャネルを作成するための第２の応答メッセージを、ターゲットコアネットワークデバイスに送信する。第２の応答メッセージはダウンリンクデータを搬送する。
【００５１】
第２の要求情報は、データ転送トンネル作成要求であり得る。第２の応答メッセージは、データ転送トンネル作成応答であり得る。具体的なシグナリング形式は本明細書では限定されない。
【００５２】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５３】
前述の方式に基づくと、ターゲットコアネットワークデバイスがダウンリンクデータを送信することを要求することを第１の指示メッセージが示すとき、ソースコアネットワークデバイスは、ターゲットコアネットワークによって送信されダウンリンクデータを要求するために使用される、第３の要求情報を受信する。第３の要求情報は、第１の指示情報を受信した後でターゲットコアネットワークデバイスによって送信される。次いで、ソースコアネットワークデバイスは、第３の応答メッセージをターゲットコアネットワークデバイスに送信する。第３の応答メッセージはダウンリンクデータを搬送する。
【００５４】
第３の要求情報は、コンテキストおよびデータ要求であり得る。第３の応答メッセージは、コンテキストおよびデータ応答であり得る。具体的なシグナリング形式は本明細書では限定されない。
【００５５】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５６】
前述の方式に基づくと、端末がセル変更を実行すると第１の指示メッセージが示すとき、ソースコアネットワークデバイスは、ソースコアネットワークデバイスに接続されるソース基地局によって送信されるハンドオーバー要求を受信する。ハンドオーバー要求は、ターゲットコアネットワークデバイスについての情報を含む。次いで、ソースコアネットワークデバイスは、ターゲットコアネットワークデバイスについての情報に基づいて、データ割振り要求をターゲットコアネットワークデバイスに送信する。次いで、ソースコアネットワークデバイスは、第１の指示情報としてターゲットコアネットワークデバイスによってフィードバックされるデータ割振り応答を受信する。データ割振り応答は、ターゲット基地局によってフィードバックされるハンドオーバー応答を受信した後で、ターゲットコアネットワークデバイスによって送信される。次いで、ソースコアネットワークデバイスは、データ送信チャネルを作成するようにターゲットコアネットワークデバイスに命令するために使用される第４の要求情報を、ターゲットコアネットワークデバイスに送信する。次いで、ソースコアネットワークデバイスは、データ送信チャネルを作成するための、ターゲットコアネットワークデバイスによってフィードバックされる第４の応答メッセージを受信する。最後に、ソースコアネットワークデバイスは、ダウンリンクデータをターゲットコアネットワークデバイスに送信する。
【００５７】
データ割振り要求は、ｆｏｒｗａｒｄ  ｒｅｌｏｃａｔｉｏｎ  ｒｅｑｕｅｓｔであり得る。データ割振り応答は、ｆｏｒｗａｒｄ  ｒｅｌｏｃａｔｉｏｎ  ｒｅｓｐｏｎｓｅであり得る。第４の要求情報は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔ  ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。第４の応答メッセージは、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅ  ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリング形式は本明細書では限定されない。
【００５８】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５９】
前述の方式に基づくと、端末がセル変更を実行すると第１の指示メッセージが示すとき、ソースコアネットワークデバイスは、ソースコアネットワークデバイスに接続されるソース基地局によって送信されるハンドオーバー要求を受信する。ハンドオーバー要求は、ターゲットコアネットワークデバイスについての情報を含む。次いで、ソースコアネットワークデバイスは、ターゲットコアネットワークデバイスについての情報に基づいて、データ割振り要求をターゲットコアネットワークデバイスに送信する。次いで、ソースコアネットワークデバイスは、第１の指示情報としてターゲットコアネットワークデバイスによってフィードバックされるデータ割振り応答を受信する。データ割振り応答は、ターゲット基地局によってフィードバックされるハンドオーバー応答を受信した後で、ターゲットコアネットワークデバイスによって送信される。次いで、ソースコアネットワークデバイスは、ターゲットコアネットワークデバイスによって送信される第５の要求情報を受信する。第５の要求情報はダウンリンクデータを要求するために使用される。最後に、ソースコアネットワークデバイスは、第５の応答メッセージをターゲットコアネットワークデバイスに送信する。第５の応答メッセージはダウンリンクデータを搬送する。
【００６０】
データ割振り要求は、ｆｏｒｗａｒｄ  ｒｅｌｏｃａｔｉｏｎ  ｒｅｑｕｅｓｔ  ｆｏｒｗａｒｄ  ｒｅｌｏｃａｔｉｏｎ  ｒｅｑｕｅｓｔであり得る。データ割振り応答は、ｆｏｒｗａｒｄ  ｒｅｌｏｃａｔｉｏｎ  ｒｅｓｐｏｎｓｅであり得る。第５の要求情報は、コンテキストおよびデータ要求であり得る。第５の応答メッセージは、コンテキストおよびデータ応答であり得る。具体的なシグナリング形式は本明細書では限定されない。
【００６１】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６２】
前述の方式に基づくと、ソースコアネットワークデバイスはさらに、端末によってダウンリンクデータを受信することのステータスを示すために使用されるフィードバック情報を受信し得る。端末がダウンリンクデータを完全に受信したことをフィードバック情報が示す場合、ソースコアネットワークデバイスはダウンリンクデータを削除する。端末がダウンリンクデータを完全には受信していないことをフィードバック情報が示す場合、ソースコアネットワークデバイスはダウンリンクデータをターゲットコアネットワークデバイスに送信することをトリガされる。
【００６３】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６４】
別の実装形態では、ソースコアネットワークデバイスは、端末がセル再選択を実行すべきであることまたは端末がセル変更を実行すべきであることを示すために使用される指示シグナリングを受信する。次いで、ソースコアネットワークデバイスは、ダウンリンクデータをソース基地局に送信するのを止め、第２のタイマーを始動する。最後に、ソースコアネットワークデバイスは、第２のタイマーがタイムアウトしないとき、第１の指示メッセージを取得する。
【００６５】
指示シグナリングは、アップリンク非アクセス層トランスポートメッセージＵＬ  ＮＡＳトランスポート、または基地局とコアネットワークとの間の別のアップリンクメッセージである。具体的なシグナリング形式は本明細書では限定されない。
【００６６】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６７】
前述の方式に基づくと、第２のタイマーがタイムアウトし、ソースコアネットワークデバイスが第１の指示メッセージを取得しない場合、ソースコアネットワークデバイスはダウンリンクデータをソース基地局に送信する。
【００６８】
前述の方式に基づくと、ソースコアネットワークデバイスは、ターゲットコアネットワークデバイスによって送信され、データ送信チャネルを作成するようにソースコアネットワークデバイスに命令する、第６の要求情報を受信する。第６の要求情報は、ターゲット基地局から第２の指示情報を受信した後で、ターゲットコアネットワークデバイスによって送信される。第２の指示情報は、端末がセル再選択を完了したこと、または端末がセル変更を完了したことと、ターゲットコアネットワークデバイスがソースコアネットワークデバイスからダウンリンクデータを取得する必要があることとを示すために使用される。次いで、ソースコアネットワークデバイスは、データ送信チャネルを作成するための第６の応答メッセージを、ターゲットコアネットワークデバイスに送信する。最後に、ソースコアネットワークデバイスは、ダウンリンクデータをターゲットコアネットワークデバイスに送信する。
【００６９】
第６の要求情報は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔ  ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。第６の応答メッセージは、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅ  ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリング形式は本明細書では限定されない。
【００７０】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７１】
前述の方式に基づくと、ソースコアネットワークデバイスは、ターゲットコアネットワークデバイスによって送信され、ソースコアネットワークデバイスからのダウンリンクデータを要求するために使用される、第７の要求情報を受信する。第７の要求情報は、第２の指示情報を受信した後でターゲットコアネットワークデバイスによって送信される。次いで、ソースコアネットワークデバイスは、データ送信チャネルを作成するための第７の応答メッセージを、ターゲットコアネットワークデバイスに送信する。第７の応答メッセージはダウンリンクデータを搬送する。
【００７２】
第７の要求情報は、コンテキストおよびデータ要求であり得る。第７の応答メッセージは、コンテキストおよびデータ応答であり得る。
【００７３】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７４】
別の可能な実装形態では、端末がセル再選択を実行すべきであること、または端末がセル変更を実行すべきであることを示すために使用される指示シグナリングを受信した後で、ソースコアネットワークデバイスは、ターゲット基地局を使用することによってダウンリンクデータを端末に送信し始め、ソース基地局を使用することによってダウンリンクデータを端末に送信し始め、第３のタイマーを始動する。第３のタイマーがタイムアウトしないときにソースコアネットワークデバイスが第１の指示メッセージを取得する場合、ソースコアネットワークデバイスは、ソース基地局を使用することによってダウンリンクデータを端末に送信するのを止める。第３のタイマーがタイムアウトした後でソースコアネットワークデバイスが第１の指示メッセージを取得しない場合、ソースコアネットワークデバイスは、ターゲット基地局を使用することによってダウンリンクデータを端末に送信するのを止める。
【００７５】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７６】
ソースコアネットワークデバイスおよびターゲットコアネットワークデバイスは各々、ＭＭＥであり得る。実際の適用形態では、代わりに、ソースコアネットワークデバイスおよびターゲットコアネットワークデバイスは、他のエンティティ装置であり得る。具体的なエンティティ装置は本明細書では限定されない。
【００７７】
第４の態様によれば、本出願のある実施形態は、セル再選択またはセル変更の前に端末が位置するソースサービングセルに対応するソース基地局が、端末がセル変更を実行すべきであることまたは端末がセル再選択を完了したことを示すために使用される第２の指示メッセージを取得することを含む、データ処理方法を提供する。ソース基地局は、端末がセル再選択またはセル変更を完了した後でターゲットサービングセルに対応するターゲット基地局にダウンリンクデータを送信するので、ターゲット基地局はダウンリンクデータを端末に送信する。
【００７８】
本出願のこの実施形態では、ソース基地局とターゲット基地局との間のデータ送信は、ダウンリンクデータが失われないことが事実上確実にでき、それにより、モビリティ状態における端末の連続性を確実にする。
【００７９】
ある可能な設計方式では、端末がセル再選択を完了したことを第２の指示メッセージが示すとき、ソース基地局は、ターゲット基地局によって送信されるセル再選択もしくはセル変更指示メッセージまたは無線リンク障害指示メッセージを受信する。次いで、ソース基地局は、第１の要求メッセージをターゲット基地局に送信する。最後に、ソース基地局は、ターゲット基地局によって第２の指示メッセージとしてフィードバックされる第２の応答メッセージを受信する。第１の要求メッセージはハンドオーバー要求メッセージであり、第１の応答メッセージはハンドオーバー肯定応答メッセージである。第１の要求メッセージおよび第１の応答メッセージは各々、Ｘ２−ＡＰメッセージであり得る。第１の要求メッセージがハンドオーバー要求メッセージである場合、ハンドオーバー要求における情報要素が、ターゲット基地局に送信されるべきダウンリンクデータがあるかどうかを示すために使用される。もしあれば、ソース基地局は、ハンドオーバー肯定応答メッセージを受信した後で、ダウンリンクデータをターゲット基地局に送信する。このダウンリンクデータは、ソース基地局がそれに対する受信肯定応答を受信しないデータであり、または、送信されないデータであり得る。第１の要求メッセージはハンドオーバー要求メッセージであり、ハンドオーバー要求における情報要素は、ターゲット基地局へのダウンリンクデータを送信するために使用され得る。このダウンリンクデータは、ソース基地局がそれに対する受信肯定応答を受信しないデータであり、または、送信されないデータであり得る。
【００８０】
当然、第２の要求メッセージおよび第２の応答メッセージは別のタイプのメッセージであり得る。具体的なステータスは本明細書では限定されない。
【００８１】
ある可能な設計方式では、端末がセル変更を実行し始めることを示すために第２の指示メッセージが使用されるとき、ソース基地局は第２の要求メッセージをターゲット基地局に送信する。最後に、ソース基地局は、ターゲット基地局によって第２の指示メッセージとしてフィードバックされる第２の応答メッセージを受信する。第２の要求メッセージはハンドオーバー要求メッセージであり、第２の応答メッセージはハンドオーバー肯定応答メッセージである。第２の要求メッセージおよび第２の応答メッセージは各々、Ｘ２−ＡＰメッセージであり得る。第２の要求メッセージがハンドオーバー要求メッセージである場合、ハンドオーバー要求における情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答を受信しないデータであり、または、送信されないデータであり得る。第２の要求メッセージはハンドオーバー要求メッセージであり、ハンドオーバー要求における情報要素は、ターゲット基地局へのダウンリンクデータを送信するために使用され得る。このダウンリンクデータは、ソース基地局がそれに対する受信肯定応答を受信しないデータであり、または、送信されないデータであり得る。
【００８２】
当然、第２の要求メッセージおよび第２の応答メッセージは別のタイプのメッセージであり得る。具体的なステータスは本明細書では限定されない。
【００８３】
本出願のこの実施形態において提供される技術的な解決法では、ソース基地局は特定の指示メッセージに基づいて特定の動作を実行するので、ソース基地局の作業効率が事実上改善することができる。
【００８４】
ある可能な設計方式では、ソース基地局は、基地局間の相互接続インターフェースＸ２を使用することによって、ダウンリンクデータをターゲット基地局に送信する。
【００８５】
当然、ダウンリンクデータをターゲット基地局に送信する前に、ソース基地局は、コアネットワークデバイスによって送信されるダウンリンクデータを受信する。データ送信の間、基地局はデータだけを送信し、シグナリングを転送しない。したがって、ＮＡＳ情報を基地局に送信するとき、コアネットワークデバイスは、データまたはシグナリングが送信されるかどうかをソース基地局に示すことが必要である。
【００８６】
別の可能な実装形態では、第２の指示メッセージは、アップリンク直接転送メッセージＵＬ情報転送または別の無線リソース制御ＲＲＣメッセージである。具体的なメッセージ形式は本明細書では限定されない。
【００８７】
第５の態様によれば、本出願のある実施形態は、端末が現在のソースサービングセルに接続されるときに、端末が現在のソースサービングセルの第１の品質パラメータを取得することを含む、セル取得方法を提供する。第１の品質パラメータが第１のあらかじめ設定された閾値未満である場合、端末は測定セルセットを取得する。次いで、端末は、測定セルセットの中の測定セルを測定して、第２の品質パラメータセットを取得する。最後に、端末は、セル再選択規則に従って、第２のあらかじめ設定された閾値または使用される第２の品質パラメータに基づいて計算および分類を実行し、第２の品質パラメータセットにおいて、第２の品質パラメータに対応するターゲットサービングセルを決定する。
【００８８】
本出願のこの実施形態において提供される技術的な解決法では、端末はターゲットサービングセルを決定し、これにより、接続モードにおいて測定エネルギー消費を減らし、端末の電力消費を減らす。
【００８９】
ある可能な実装形態では、測定セルセットは、アイドルモードにおいて端末による測定を通じて取得されあらかじめ設定された値を超える品質パラメータを伴うセル、アイドル状態において端末による測定を通じて取得され高位にある品質パラメータを伴うセル、端末が接続されることができるセル、端末によって受信されるブロードキャストメッセージの中のセルリストの中のセル、および端末によって受信されるブロードキャストメッセージの中の周波数情報に関するセルのうちの少なくとも１つを含む。
【００９０】
本出願のこの実施形態において提供される技術的な解決法では、セル選択範囲が集中的に測定され、これにより、端末測定の量を減らし、端末の電力消費を減らす。
【００９１】
ある可能な実装形態では、端末は、アップリンク直接転送（uplink direct transfer）メッセージを使用することによって、現在のソースサービングセルに対応するソース基地局にターゲットセルについての情報を報告する。ターゲットセルについての情報は、ターゲットサービングセルの識別子ＩＤまたはターゲットサービングセルのインデックス値を含み得る。
【００９２】
ある可能な実装形態では、端末が、アップリンク直接転送メッセージを使用することによって、現在のソースサービングセルに対応するソース基地局にターゲットセルを報告した後で、ソース基地局はターゲット基地局を決定し得る。次いで、ソース基地局は、ハンドオーバー要求メッセージをターゲット基地局に送信する。ソース基地局は、ターゲット基地局によってフィードバックされるハンドオーバー応答メッセージを受信する。端末は、ＲＲＣ接続解放（RRC connection release）メッセージまたはダウンリンク直接転送（downlink direct transfer）メッセージを使用することによって、ソース基地局に送信されるターゲットセルについての情報を受信する。端末は、ＲＲＣ接続セットアップ完了（RRC connection setup complete）メッセージ、ＲＲＣ再構成完了（RRC reconfiguration complete）メッセージ、およびアップリンク直接転送メッセージのうちの少なくとも１つを使用することによって、ターゲット基地局にセル変更肯定応答（cell change acknowledgment）メッセージを送信する。
【００９３】
前述の方式に基づくと、端末がターゲット基地局への接続をセットアップするとき、端末は、接続をセットアップする理由を、対応するシグナリングを使用することによってターゲット基地局に示し得る。接続の理由は、端末がセル再選択を実行すべきであること、または端末がセル変更を実行すべきであること、または端末がネットワークから切断されて再接続を必要としていることなどであり得る。具体的な理由は本明細書では限定されない。その上、端末は様々なタイプのシグナリングを使用し得る。これは本明細書では限定されない。
【００９４】
前述の方式に基づくと、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムメッセージは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージ３のサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【００９５】
第６の態様によれば、本出願の実施形態はコアネットワークデバイスを提供する。コアネットワークデバイスは、前述の方法でコアネットワークデバイスを実装することの機能を有する。この機能は、ハードウェアによって実装されることがあり、または対応するソフトウェアを実行するハードウェアによって実装されることがある。ハードウェアまたはソフトウェアは、前述の機能に対応する１つまたは複数のモジュールを含む。
【００９６】
ある可能な実装形態では、コアネットワークデバイスは、
第１の指示メッセージを取得するように構成される受信モジュールであって、端末がセル変更またはセル再選択を完了したことを示すために第１の指示メッセージが使用される、受信モジュールと、
ダウンリンクデータをターゲット基地局に送信するように構成される送信モジュールであって、ターゲット基地局が、端末がセル変更またはセル再選択の後で接続される基地局である、送信モジュールとを含む。
【００９７】
別の可能な実装形態では、コアネットワークデバイスは、
トランシーバと、プロセッサと、バスとを含み、
トランシーバおよびプロセッサがバスを使用して互いに接続され、
トランシーバが、第１の指示メッセージを取得するステップであって、端末がセル変更またはセル再選択を完了したことを示すために第１の指示メッセージが使用される、ステップと、ダウンリンクデータをターゲット基地局に送信するステップであって、ターゲット基地局が、端末がセル変更またはセル再選択を完了した後で接続される基地局である、ステップとを実行する。
【００９８】
第７の態様によれば、本出願の実施形態は基地局を提供する。基地局は、前述の方法で基地局を実装することの機能を有する。この機能は、ハードウェアによって実装されることがあり、または対応するソフトウェアを実行するハードウェアによって実装されることがある。ハードウェアまたはソフトウェアは、前述の機能に対応する１つまたは複数のモジュールを含む。
【００９９】
ある可能な実装形態では、基地局は、
第２の指示メッセージを取得するように構成される受信モジュールであって、第２の指示メッセージが、端末がセル変更を実行し始めること、または端末がセル再選択を実行し始めることを示すために使用され、ソース基地局が、端末がセル再選択を完了する前またはセル変更を完了する前に位置するソースサービングセルに対応する基地局である、受信モジュールと、
ターゲット基地局がダウンリンクデータを端末に送信するように、ダウンリンクデータをターゲット基地局に送信するように構成される送信モジュールであって、ターゲット基地局が、端末がセル再選択またはセル変更を完了した後のターゲットサービングセルに対応する基地局である、送信モジュールとを含む。
【０１００】
別の可能な実装形態では、基地局は、
トランシーバと、プロセッサと、バスとを含み、
トランシーバおよびプロセッサがバスを使用して互いに接続され、
トランシーバが、第２の指示メッセージを取得するステップであって、第２の指示メッセージが、端末がセル変更を実行し始めること、または端末がセル再選択を実行し始めることを示すために使用され、ソース基地局が、端末がセル再選択を完了する前またはセル変更を完了する前に位置するソースサービングセルに対応する基地局である、ステップと、ターゲット基地局がダウンリンクデータを端末に送信するように、ダウンリンクデータをターゲット基地局に送信するステップであって、ターゲット基地局が、端末がセル再選択またはセル変更を完了した後のターゲットサービングセルに対応する基地局である、ステップとを実行する。
【０１０１】
第８の態様によれば、本出願のある実施形態はコンピュータ記憶媒体を提供する。コンピュータ記憶媒体はプログラムコードを記憶する。プログラムコードは、第１の態様に従って方法を実行するために使用される。
【０１０２】
前述の技術的な解決法から、本出願の実施形態には、端末によるセル再選択の完了またはセル変更の完了に肯定応答した後で、コアネットワークデバイスがダウンリンクデータをターゲット基地局に送信するという利点があることが知られることができる。このことは、ダウンリンクデータがセル変更またはセル再選択の後で失われないことを事実上確実にでき、それにより、モビリティ状態における端末の連続性を確実にする。
【図面の簡単な説明】
【０１０３】
【図１】本出願のある実施形態によるネットワークシステムの概略枠組み図である。
【図２】本出願のある実施形態によるデータ処理方法のある実施形態の概略図である。
【図３】本出願の実施形態によるデータ処理方法の別の実施形態の概略図である。
【図４】本出願の実施形態によるデータ処理方法の別の実施形態の概略図である。
【図５】本出願の実施形態によるデータ処理方法の別の実施形態の概略図である。
【図６】本出願の実施形態によるデータ処理方法の別の実施形態の概略図である。
【図７】本出願の実施形態によるデータ処理方法の別の実施形態の概略図である。
【図８】本出願の実施形態によるデータ処理方法の別の実施形態の概略図である。
【図９】本出願の実施形態によるデータ処理方法の別の実施形態の概略図である。
【図１０】本出願の実施形態によるデータ処理方法の別の実施形態の概略図である。
【図１１】本出願の実施形態によるデータ処理方法の別の実施形態の概略図である。
【図１２】本出願の実施形態によるデータ処理方法の別の実施形態の概略図である。
【図１３】本出願の実施形態によるデータ処理方法の別の実施形態の概略図である。
【図１４】本出願の実施形態によるデータ処理方法の別の実施形態の概略図である。
【図１５】本出願の実施形態によるデータ処理方法の別の実施形態の概略図である。
【図１６】本出願の実施形態によるデータ処理方法の別の実施形態の概略図である。
【図１７】本出願の実施形態によるデータ処理方法の別の実施形態の概略図である。
【図１８】本出願の実施形態によるデータ処理方法の別の実施形態の概略図である。
【図１９】本出願の実施形態によるデータ処理方法の別の実施形態の概略図である。
【図２０】本出願の実施形態によるデータ処理方法の別の実施形態の概略図である。
【図２１】本出願の実施形態によるデータ処理方法の別の実施形態の概略図である。
【図２２】本出願の実施形態によるデータ処理方法の別の実施形態の概略図である。
【図２３】本出願の実施形態によるセル取得方法の実施形態の概略図である。
【図２４】本出願の実施形態によるコアネットワークデバイスのある実施形態の概略図である。
【図２５】本出願の実施形態によるコアネットワークデバイスの別の実施形態の概略図である。
【図２６】本出願の実施形態による基地局のある実施形態の概略図である。
【図２７】本出願の実施形態による基地局の別の実施形態の概略図である。
【発明を実施するための形態】
【０１０４】
以下は、本出願の実施形態における添付の図面を参照して、本出願の実施形態における技術的な解決法を明確かつ完全に説明する。明らかに、説明される実施形態は、本出願のいくつかの実施形態にすぎず、すべての実施形態ではない。創造的な努力なしに本出願の実施形態に基づいて当業者によって取得されるすべての他の実施形態が、本出願の保護範囲内に入るものとする。
【０１０５】
本出願の明細書、特許請求の範囲、および添付の図面において、「第１の」、「第２の」、「第３の」、「第４の」など（もし存在すれば）という用語は、同様の物体を区別することが意図されており、特定の順序または順列を必ずしも示さない。そのような方法で名付けられるデータは、本明細書において説明される本発明の実施形態が本明細書において例示または説明される順序以外の順序で実施されることができるように、適切な状況においては相互交換可能である。その上、「含む（ｉｎｃｌｕｄｅ）」、「格納する（ｃｏｎｔａｉｎ）」という用語、および任意の他の変形は、非排他的な包含をカバーすることを意図しており、たとえば、ステップもしくはユニットのリストを含むプロセス、方法、システム、製品、またはデバイスは必ずしもそれらのユニットに限定されず、明示的に列挙されない、または、そのようなプロセス、方法、システム、製品、もしくはデバイスに固有の、他のユニットを含み得る。
【０１０６】
図１に示されるネットワークシステムを参照すると、ネットワーク端末システムは、基地局と、端末と、コアネットワークデバイスとを含む。ネットワークシステムは、複数の基地局と、複数のコアネットワークデバイスと、複数の端末とを含み得る。基地局およびコアネットワークデバイスは、Ｓ１インターフェースを使用することによって、データを互いに送信する。基地局は、Ｘ２インターフェースを使用することによって、データを互いに送信する。端末およびコアネットワークデバイスは、基地局を使用することによって、データを互いに送信する。端末は、アイドルモードにおいてセル再選択を実行することがあり、または接続モードにおいてセル変更を実行することがある。両方の事例において、端末は、ソースサービングセルに対応する基地局を使用することによってコアネットワークとデータを交換する代わりに、ターゲットサービングセルに対応する基地局を使用することによってコアネットワークとデータを交換する必要がある。
【０１０７】
現在、３ＧＰＰ規格は、狭帯域技術の特性を十分に利用することによってＩｏＴサービスを提供するために、セルラーネットワークに基づく新しいエアインターフェースを設計することを研究している。そのようなタイプのＩｏＴは、狭帯域モノのインターネット（Narrowband Internet of Things）と呼ばれる。しかしながら、ＮＢ−ＩｏＴは、主に低モビリティの端末および適用例のために、アイドルモードにおけるモビリティ機能のみを実装する。しかしながら、モビリティを伴うモノのインターネットの要件も重要な要件である。したがって、接続モードにおけるモビリティの問題が解決される必要がある。現在、ＮＢ−ＩｏＴのモビリティを接続モードで実装するために、ＬＴＥのハンドオーバー手順が普通はＮＢ−ＩｏＴに適用される。しかしながら、ＮＢ−ＩｏＴはパケットデータコンバージェンスプロトコル（英語の完全な名称：Ｐａｃｋｅｔ  Ｄａｔａ  Ｃｏｎｖｅｒｇｅｎｃｅ  Ｐｒｏｔｏｃｏｌ、略してＰＤＣＰ）を含まないので、ＮＢ−ＩｏＴは制御プレーン上でデータ送信を実行することができない。その結果、ターゲット基地局にアクセスした後で、端末は、ハンドオーバーの前に完全には受信されていないダウンリンクデータを、完全には受信することができない。
【０１０８】
この問題を解決するために、本出願の実施形態は、コアネットワークデバイスが、端末がセル変更またはセル再選択を完了したことを示すために使用される第１の指示メッセージを取得するという、技術的な解決法を提供する。コアネットワークデバイスは、端末がセル変更またはセル再選択を完了した後で接続されるターゲット基地局へのダウンリンクデータを、端末に送信する。
【０１０９】
詳しくは、以下のいくつかの実施形態を参照されたい。図２〜図１２は各々、端末がセル再選択を実行するときのデータ処理方法である。図１３〜図２２は各々、端末がセル変更を実行するときのデータ処理方法である。
【０１１０】
具体的には、図２を参照すると、この実施形態では、端末がセル再選択を実行し、コアネットワークデバイスがデータ送信を実行し、ソース基地局およびターゲット基地局がコアネットワークデバイスを共有する。
【０１１１】
２０１．コアネットワークデバイスが、ダウンリンクデータを保存して第１のタイマーを始動する。
【０１１２】
コアネットワークデバイスがダウンリンクデータをソース基地局に送信すべきであるとき、コアネットワークデバイスは送信されるべきダウンリンクデータを保存し、第１のタイマーを始動する。
【０１１３】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。ソース基地局へＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。当然、ＭＭＥは、データパケット１を送信した後でタイマー１を始動し、データパケット２を送信した後でタイマー２を始動し、以下同様である。これらのタイマーの値は、同じであることがあり、または異なることがある。代わりに、ＭＭＥは、５個のパケットを送信した後で１つのタイマーを始動することがある。具体的な使用形式は限定されない。
【０１１４】
２０２．ターゲット基地局が第１の指示メッセージをコアネットワークデバイスに送信し、第１の指示メッセージは、端末がセル再選択を完了したことを示すために使用される。
【０１１５】
端末はセル再選択を実行する。端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０１１６】
この実施形態では、端末がターゲット基地局に接続される必要がある場合、端末はさらに、ＲＲＣ接続セットアップ要求またはＲＲＣ接続再確立要求などの情報に、端末によるターゲット基地局への接続の理由を追加し得る。たとえば、それは、セル再選択が原因で接続が現在実行されていることを示すことがあり、またはそれは、ネットワーク中断が原因で再接続データが必要とされるので接続が現在実行されていることを示すことがあり、またはそれは、セル変更が原因で接続が現在実行されていることを示すことがある。具体的な理由は本明細書では限定されない。具体的には、ＮＢ−ＩｏＴでは、制御プレーンに基づく送信の解決法、およびユーザプレーンに基づく送信の解決法という、２つのデータ送信の解決法がある。制御プレーンに基づく解決法では、ターゲット基地局への接続を確立するとき、端末は、ＲＲＣ接続セットアップ要求を開始し、セル再選択の値または別の理由の値をＲＲＣ接続セットアップ要求に追加し得る。基地局は、接続セットアップ要求を受信した後で、ＲＲＣ接続セットアップメッセージを端末に送信する。端末は、ＲＲＣ接続セットアップ完了メッセージを用いて基地局に返答する。
【０１１７】
ユーザプレーンを使用することによるデータ送信の解決法では、端末は、セル再選択の値または別の理由の値を搬送する、ＲＲＣ接続再確立要求を送信し得る。接続セットアップ要求を受信した後で、基地局は、ＲＲＣ接続再確立メッセージを端末に送信する。端末は、ＲＲＣ接続再確立完了メッセージを用いて基地局に返答する。
【０１１８】
端末へのＲＲＣ接続を確立した後で、基地局は、初期ＵＥメッセージまたは経路切替えメッセージをコアネットワークデバイスに送信する。メッセージはまた、端末によって接続を確立する理由の値を搬送する。コアネットワークは、接続を確立する具体的な理由を知る。
【０１１９】
具体的には、制御プレーンに基づく送信の解決法では、無線リンク障害が生じ、端末がまだコアネットワークデバイスからダウンリンク肯定応答メッセージを受信しない場合、端末は通知をＮＡＳレイヤに送信することがあり、ＮＡＳレイヤは接続を復元すると決定する。端末は、ＲＲＣ接続セットアップ要求をターゲット基地局に送信し、肯定応答メッセージがコアネットワークの側から受信される必要があるので、または別の理由で、接続が現在確立されるべきであることを示すために、理由の値を追加する。ターゲット基地局は、初期ＵＥメッセージを使用することによって、メッセージをコアネットワークに送信し得る。このようにして、コアネットワークは接続を確立する理由を知る。
【０１２０】
代わりに、このシナリオでは、ＲＲＣ接続セットアップ要求を送信するときに端末によって追加される理由の値はＭＴであり、情報要素は、確立の理由を示すために、ＲＲＣ接続セットアップ要求が送信されるときに送信されるサービス要求メッセージに追加され、次いで、初期ＵＥメッセージを使用することによって、かつ基地局を使用することによって、理由がコアネットワークに送信される。このようにして、コアネットワークは接続を確立する理由を知る。
【０１２１】
代わりに、このシナリオでは、端末は追跡エリア更新手順を開始する。
【０１２２】
加えて、実際の適用形態では、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムメッセージは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージ３のサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【０１２３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０１２４】
この実施形態では、第１のタイマーがタイムアウトした後にターゲット基地局が第１の指示メッセージをコアネットワークデバイスに送信しない場合、そのことは、端末がターゲット基地局へ接続されることに失敗すること、または、第１のタイマーの動作の間に端末がセル再選択を実行しないことを示す。この場合、コアネットワークデバイスは保存されたダウンリンクデータを削除し得る。たとえば、ＭＭＥが５個のデータパケットを保存してから１０秒後に、ターゲット基地局によって送信され端末がセル再選択を完了したことを示すメッセージをＭＭＥが受信しない場合、ＭＭＥは５個のデータパケットを削除する。
【０１２５】
２０３．コアネットワークデバイスが、ダウンリンクデータをターゲット基地局に送信する。
【０１２６】
コアネットワークデバイスが、保存されたダウンリンクデータをターゲット基地局に送信する。
【０１２７】
この実施形態では、端末がターゲット基地局への接続を確立するプロセスにおいて、端末はさらに、ダウンリンクデータを受信することのステータスをフィードバックし得る。端末は、以下の方式でダウンリンクデータを受信することのステータスをフィードバックし得る。たとえば、端末がダウンリンクデータを完全には受信していない場合、フィードバック情報が送信される。端末がダウンリンクデータを完全に受信している場合、フィードバック情報は送信されない。当然、逆に、端末がダウンリンクデータを完全には受信していない場合に、フィードバック情報が送信されないことがある。端末がダウンリンクデータを完全に受信している場合に、フィードバック情報が送信されることがある。フィードバック情報は、ＲＲＣ接続セットアップ要求シグナリングまたはＲＲＣ接続セットアップ完了シグナリングに追加され得る。フィードバック情報を受信した後で、ターゲット基地局はさらに、コアネットワークデバイスに送信されるべき初期ＵＥメッセージまたは経路切替えメッセージにフィードバック情報を追加することがあり、言い換えると、端末がダウンリンクデータを完全に受信していること、または端末がダウンリンクデータを完全には受信していないことを、コアネットワークデバイスに通知することがある。端末がダウンリンクデータを完全に受信したことをフィードバック情報が示す場合、コアネットワークデバイスはダウンリンクデータを削除し得る。端末がダウンリンクデータを完全には受信していないことをフィードバック情報が示す場合、コアネットワークデバイスは次いで、ターゲット基地局を使用することによってダウンリンクデータを端末に送信する。具体的なフィードバック方式およびフィードバック情報送信方式は、本明細書では限定されない。
【０１２８】
この実施形態では、端末が５個のデータパケットを受信したかどうかを端末が決定し得る。端末が５個のデータパケット、すなわちデータパケット１、データパケット２、データパケット３、データパケット４、およびデータパケット５を完全に受信する場合、端末は、ターゲット基地局を使用することによって、端末が５個のデータパケットを完全に受信していることをコアネットワークデバイスに通知し得る。この場合、コアネットワークデバイスは、ターゲット基地局を使用することによって５個のデータを端末に送信する必要はない。端末が３個だけのデータパケット、すなわちデータパケット１、データパケット２、およびデータパケット３を受信すると端末が決定する場合、端末は、ターゲット基地局を使用することによって、端末が５個のデータパケットを完全には受信していないことをコアネットワークデバイスに通知し得る。この場合、端末は、受信されたデータパケット１、データパケット２、およびデータパケット３を削除し、ターゲット基地局を使用することによって端末へコアネットワークデバイスによって送信される５個のデータパケット、すなわちデータパケット１、データパケット２、データパケット３、データパケット４、およびデータパケット５を再び受信し得る。端末が３個だけのデータパケット、すなわちデータパケット１、データパケット２、およびデータパケット３を受信すると端末が決定する場合、端末は、受信されたデータパケットの番号またはインデックス値をコアネットワークデバイスにフィードバックし得る。コアネットワークデバイスは、最初の３つの保存されたパケットを削除し、ターゲット基地局を使用することによって４番目のパケットおよび５番目のパケットを送信し得る。コアネットワークデバイスが１つだけのデータパケットを送信し、端末がデータパケットを完全には受信しない場合、端末はネットワーク側にフィードバックを送信し、完全には受信されないＮＡＳパケットを削除する。ＭＭＥは、ターゲット基地局を使用することによって、ＮＡＳパケットを再び送信する。具体的には、ＵＥは、ＮＡＳパケットを知っており、各データの番号に基づいて、受信される具体的なパケットを知ることがある。フィードバックの間、パケット番号がフィードバックされることがあり、または、現在の接続の間に受信されるＮＡＳパケットの量がフィードバックされることがある。具体的な形式は限定されない。
【０１２９】
２０４．ターゲット基地局がダウンリンクデータを端末に送信する。
【０１３０】
ターゲット基地局がダウンリンクデータを端末に転送する。
【０１３１】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。加えて、端末はさらに、アップリンクデータを送信するときに、アップリンクデータがＮＡＳシグナリングであるかまたはＮＡＳデータであるかを示し得る。加えて、データを送信するとき、端末はさらに、アップリンクデータパケットのＮＡＳカウントを送信し得る。セル再選択、ハンドオーバー、セル変更などの事例を送信する場合、基地局は、正しく受信されたが順序が狂っているデータパケットおよび番号をターゲット基地局に転送し得る。端末は、ターゲット基地局に、その受信が肯定応答されずＮＡＳカウント値に対応する、ＮＡＳパケットを送信し得る。
【０１３２】
この実施形態では、コアネットワークデバイスは端末のダウンリンクデータを保存するので、端末がソース基地局からターゲット基地局にハンドオーバーされた後で、コアネットワークデバイスは、保存されたダウンリンクデータを端末に送信する。このことは、ダウンリンクデータが再選択の間に失われないことを確実にでき、それによりデータ連続性を確実にする。
【０１３３】
具体的には、図３を参照すると、この実施形態では、端末がセル再選択を実行し、コアネットワークデバイスがデータ送信を実行し、ソース基地局およびターゲット基地局が異なるコアネットワークデバイスに接続される。
【０１３４】
３０１．ソースコアネットワークデバイスが、ダウンリンクデータを保存して第１のタイマーを始動する。
【０１３５】
ソースコアネットワークデバイスがソース基地局を使用することによってダウンリンクデータを端末に送信すべきであるとき、ソースコアネットワークデバイスは送信されるべきダウンリンクデータを保存し、第１のタイマーを始動する。
【０１３６】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。セル再選択の前に、ソース基地局へソースＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。
【０１３７】
３０２．ターゲット基地局が第１の命令をターゲットコアネットワークデバイスに送信する。
【０１３８】
ターゲット基地局への接続を確立するとき、端末は、ソース基地局についての情報と、ソースコアネットワークデバイス、たとえばＧＵＴＩについての情報などのコンテンツを、ＲＲＣ接続セットアップ要求、ＲＲＣ接続再確立要求、ＲＲＣ接続セットアップ完了メッセージ、またはＲＲＣ再確立完了メッセージなどの、接続を確立するためのメッセージに追加する。ターゲット基地局は、関連する情報を搬送するコンテンツをターゲットコアネットワークデバイスに転送する。ターゲット基地局によってターゲットコアネットワークデバイスに送信されるメッセージは、第１の命令と見なされ得る。この命令は、データを取得するかどうかをコアネットワークデバイスに命令し得る。データが取得される必要がある場合、この命令は、ソースコアネットワークデバイスからダウンリンクデータを要求するように、ターゲットコアネットワークデバイスに命令する。
【０１３９】
この実施形態では、ターゲット基地局は、初期ＵＥメッセージをターゲットコアネットワークデバイスに送信することがあり、初期ＵＥメッセージは、ソースコアネットワークデバイスにダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥから要求するようにターゲットＭＭＥに命令するためのフィールド１１００を、初期ＵＥメッセージに追加する。
【０１４０】
３０３．ターゲットコアネットワークデバイスが、データ送信チャネル作成要求をソースコアネットワークデバイスに送信する。
【０１４１】
ターゲットコアネットワークデバイスは、データ送信チャネル作成要求をソースコアネットワークデバイスに送信する。
【０１４２】
この実施形態では、データ送信チャネル作成要求は、ｃｒｅａｔｅ  ｄａｔａ  ｆｏｒｗａｒｄｉｎｇ  ｔｕｎｎｅｌ  ｒｅｑｕｅｓｔであり得る。具体的なシグナリングは本明細書では限定されない。
【０１４３】
３０４．ソースコアネットワークデバイスが、データ送信チャネル作成応答をターゲットコアネットワークデバイスに送信する。
【０１４４】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０１４５】
この実施形態では、データ送信チャネル作成応答は、ｃｒｅａｔｅ  ｄａｔａ  ｆｏｒｗａｒｄｉｎｇ  ｔｕｎｎｅｌ  ｒｅｓｐｏｎｓｅであり得る。具体的なシグナリングは本明細書では限定されない。
【０１４６】
３０５．ソースコアネットワークデバイスが、ダウンリンクデータをターゲットコアネットワークデバイスに送信する。
【０１４７】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０１４８】
３０６．ターゲットコアネットワークデバイスが、ダウンリンクデータをターゲット基地局に送信する。
【０１４９】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０１５０】
３０７．ターゲット基地局がダウンリンクデータを端末に送信する。
【０１５１】
ターゲットコアネットワークデバイスによって送信されるダウンリンクデータを受信した後で、ターゲット基地局はダウンリンクデータを端末に送信する。
【０１５２】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にかつ連続的にコアネットワークデバイスへ送信し得る。
【０１５３】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１５４】
具体的には、図４を参照すると、この実施形態では、端末がセル再選択を実行し、コアネットワークデバイスがデータ送信を実行し、ソース基地局およびターゲット基地局が異なるコアネットワークデバイスに接続される。
【０１５５】
ステップ４０１からステップ４０３はステップ３０１からステップ３０３と同じである。詳細は本明細書では再び説明されない。
【０１５６】
４０４．ソースコアネットワークデバイスが、ターゲットコアネットワークデバイスにデータ送信チャネル作成応答を送信し、ダウンリンクデータをデータ送信チャネル作成応答に追加する。
【０１５７】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータにデータ送信チャネル作成応答を追加する。
【０１５８】
この実施形態では、データ送信チャネル作成応答は、データ転送トンネル作成応答であり得る。具体的なシグナリングは本明細書では限定されない。
【０１５９】
ステップ４０５およびステップ４０６はステップ３０６およびステップ３０７と同じである。詳細は本明細書では再び説明されない。
【０１６０】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１６１】
具体的には、図５を参照すると、この実施形態では、端末がセル再選択を実行し、コアネットワークデバイスがデータ送信を実行し、ソース基地局およびターゲット基地局が異なるコアネットワークデバイスに接続される。
【０１６２】
ステップ５０１およびステップ５０２はステップ３０１およびステップ３０２と同じである。詳細は本明細書では再び説明されない。
【０１６３】
５０３．ターゲットコアネットワークデバイスが、コンテキスト情報およびデータ要求をソースコアネットワークデバイスに送信する。
【０１６４】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０１６５】
この実施形態では、コンテキスト情報およびデータ要求メッセージは、コンテキストおよびデータ要求であり得る。具体的なシグナリングは本明細書では限定されない。
【０１６６】
５０４．ソースコアネットワークデバイスが、ターゲットコアネットワークデバイスにコンテキスト情報およびデータ応答を送信し、ダウンリンクデータをコンテキスト情報およびデータ応答に追加する。
【０１６７】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０１６８】
この実施形態では、コンテキスト情報およびデータ応答は、コンテキストおよびデータ応答であり得る。具体的なシグナリングは本明細書では限定されない。
【０１６９】
ステップ５０５およびステップ５０６はステップ３０６およびステップ３０７と同じである。詳細は本明細書では再び説明されない。
【０１７０】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１７１】
具体的には、図６を参照すると、この実施形態では、端末がセル再選択を実行し、コアネットワークデバイスがデータ送信を実行し、ソース基地局およびターゲット基地局が同じコアネットワークデバイスに接続される。
【０１７２】
６０１．端末が指示シグナリングをソース基地局に送信し、この指示シグナリングは、端末がセル再選択を実行すべきであることを示すために使用される。
【０１７３】
セル再選択を実行する前に、端末が指示シグナリングをソース基地局に送信し、この指示シグナリングは、端末がセル再選択を実行すべきであることをソース基地局に通知するために使用される。
【０１７４】
この実施形態では、指示シグナリングは、セル再選択指示、Ｓ−ＴＭＳＩ、およびターゲット基地局などの情報を搬送する。この情報は、ＲＲＣメッセージ、たとえば、ＲＲＣ接続セットアップ要求もしくはＲＲＣ接続再確立要求に追加されることがあり、または、ＮＡＳメッセージ、たとえばＵＬ情報転送に追加されることがある。この実施形態では、ＭＭＥが例として使用される。具体的には、そのような情報は、ＮＡＳレイヤ通知メッセージとして使用されてＲＲＣシグナリングに追加されることがあり、または、セル再選択を通知するために、フィールドがＲＲＣメッセージに追加されることがある。
【０１７５】
６０２．ソース基地局が通知メッセージをコアネットワークデバイスに送信し、通知メッセージは、端末がセル再選択を実行すべきであることを示すために使用される。
【０１７６】
端末によって送信される指示シグナリングを受信した後で、ソース基地局は、端末がセル再選択を実行すべきであることをコアネットワークデバイスに通知するために使用される通知メッセージを、コアネットワークデバイスに送信する必要がある。
【０１７７】
この実施形態では、通知メッセージは、ＵＬ  ＮＡＳトランスポートシグナリングであることがあり、または、別のＳ１−ＡＰメッセージであることがある。具体的には、コアネットワークを通知するためにＮＡＳレイヤメッセージがＳ１−ＡＰメッセージに追加されることがあり、または、コアネットワークに示すために、フィールドがＳ１−ＡＰメッセージまたはシグナリングに直接追加されることがある。具体的なシグナリングは本明細書では限定されない。
【０１７８】
６０３．コアネットワークデバイスは、ダウンリンクデータをソース基地局に送信するのを止め、第２のタイマーを始動する。
【０１７９】
端末がセル再選択を実行すべきであることを知った後で、コアネットワークデバイスは、第２のタイマーを始動し、ダウンリンクデータをソース基地局に送信するのを止める。
【０１８０】
この実施形態では、第１のタイマーの動作時間長があらかじめ設定される。具体的な時間長は本明細書では限定されない。実際の適用形態では、ＭＭＥは、５個のデータパケット、すなわちデータパケット１、データパケット２、データパケット３、データパケット４、およびデータパケット５をソース基地局に送信するのを止める。
【０１８１】
６０４．ターゲット基地局が第１の指示メッセージをコアネットワークデバイスに送信し、第１の指示メッセージは、端末がセル再選択を完了したことを示すために使用される。
【０１８２】
端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０１８３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０１８４】
この実施形態では、第２のタイマーがタイムアウトした後にターゲット基地局が第１の指示メッセージをコアネットワークデバイスに送信しない場合、そのことは、端末がターゲット基地局へ接続されることに失敗することを示す。この場合、端末はダウンリンクデータをソース基地局に送信するのを再開する。たとえば、第２のタイマーがタイムアウトした後で、ターゲット基地局によって送信され端末がセル再選択を完了したことを示すメッセージをＭＭＥが受信しない場合、ＭＭＥは、５個のデータパケット、すなわちデータパケット１、データパケット２、データパケット３、データパケット４、およびデータパケット５をソース基地局に送信するのを再開する。
【０１８５】
６０５．コアネットワークデバイスが、ダウンリンクデータをターゲット基地局に送信する。
【０１８６】
第１の指示情報を受信した後で、コアネットワークデバイスは、送信されないダウンリンクデータをターゲット基地局に送信する。
【０１８７】
６０６．ターゲット基地局がダウンリンクデータを端末に送信する。
【０１８８】
ターゲット基地局がダウンリンクデータを端末に転送する。
【０１８９】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０１９０】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１９１】
具体的には、図７を参照すると、この実施形態では、端末がセル再選択を実行し、コアネットワークデバイスがデータ送信を実行し、ソース基地局およびターゲット基地局が異なるコアネットワークデバイスに接続される。
【０１９２】
ステップ７０１はステップ６０１と同じである。詳細は本明細書では再び説明されない。
【０１９３】
７０２．ソース基地局が通知メッセージをソースコアネットワークデバイスに送信し、通知メッセージは、端末がセル再選択を実行すべきであることを示すために使用される。
【０１９４】
端末によって送信される指示シグナリングを受信した後で、ソース基地局は、端末がセル再選択を実行すべきであることをソースコアネットワークデバイスに通知するために使用される通知メッセージを、ソースコアネットワークデバイスに送信する必要がある。
【０１９５】
この実施形態では、通知メッセージは、ＵＬ  ＮＡＳトランスポートシグナリングであることがあり、または、Ｓ１−ＡＰメッセージであることがある。具体的なシグナリングは本明細書では限定されない。
【０１９６】
７０３．ソースコアネットワークデバイスは、ダウンリンクデータをソース基地局に送信するのを止め、第２のタイマーを始動する。
【０１９７】
端末がセル再選択を実行すべきであることを知った後で、ソースコアネットワークデバイスは、第２のタイマーを始動し、ダウンリンクデータをソース基地局に送信するのを止める。
【０１９８】
この実施形態では、第１のタイマーの動作時間長があらかじめ設定される。具体的な時間長は本明細書では限定されない。実際の適用形態では、ソースＭＭＥは、５個のデータパケット、すなわちデータパケット１、データパケット２、データパケット３、データパケット４、およびデータパケット５をソース基地局に送信するのを止める。
【０１９９】
７０４．ターゲット基地局が通知命令をターゲットコアネットワークデバイスに送信し、この通知命令は、端末がセル再選択を完了したことを示すために、および、ソースコアネットワークデバイスからデータを要求するようにターゲットコアネットワークデバイスに命令するために使用される。
【０２００】
端末がターゲット基地局への接続を確立した後、ターゲット基地局は、通知命令をターゲットコアネットワークデバイスに送信する。通知命令は、端末がセル再選択を完了したことを示すために、および、ソースコアネットワークデバイスにダウンリンクデータを要求するようにターゲットコアネットワークデバイスに命令するために使用される。
【０２０１】
この実施形態では、ターゲット基地局は、初期ＵＥメッセージをターゲットコアネットワークデバイスに送信することがあり、初期ＵＥメッセージは、ソースコアネットワークデバイスからダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥに要求するようにターゲットＭＭＥに命令するためのフィールド１１００を、初期ＵＥメッセージに追加する。
【０２０２】
７０５．ターゲットコアネットワークデバイスが、データ送信チャネル作成要求をソースコアネットワークデバイスに送信する。
【０２０３】
ターゲットコアネットワークデバイスは、データ送信チャネル作成要求をソースコアネットワークデバイスに送信する。
【０２０４】
この実施形態では、データ送信チャネル作成要求は、データ転送トンネル作成要求であり得る。具体的なシグナリングは本明細書では限定されない。
【０２０５】
７０６．ソースコアネットワークデバイスが、データ送信チャネル作成応答をターゲットコアネットワークデバイスに送信する。
【０２０６】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０２０７】
この実施形態では、データ送信チャネル作成応答は、データ転送トンネル作成応答であり得る。具体的なシグナリングは本明細書では限定されない。
【０２０８】
７０７．ソースコアネットワークデバイスが、ダウンリンクデータをターゲットコアネットワークデバイスに送信する。
【０２０９】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。データをターゲットコアネットワークデバイスに転送するとき、ソースコアネットワークデバイスは、最終パケット指示（last-packet indication）を送信することがあり、または、末尾データ転送指示（end data forwarding indication）を送信することがある。ターゲット基地局の指示情報を受信した後で、ターゲットコアネットワークデバイスは経路切替え指示をＳ−ＧＷに送信する。このことは、ターゲットＭＭＥがデータをＵＥに転送し始めることを示す。
【０２１０】
７０８．ターゲットコアネットワークデバイスが、ダウンリンクデータをターゲット基地局に送信する。
【０２１１】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０２１２】
７０９．ターゲット基地局がダウンリンクデータを端末に送信する。
【０２１３】
ターゲットコアネットワークデバイスによって送信されるダウンリンクデータを受信した後で、ターゲット基地局はダウンリンクデータを端末に送信する。
【０２１４】
実際の適用形態では、端末がターゲット基地局への接続を確立した後、ターゲット基地局は、初期ＵＥメッセージまたは経路切替えメッセージをターゲットコアネットワークデバイスに送信する。ターゲットコアネットワークデバイスは、端末を使用することによって、かつ、基地局によって転送される指示情報を使用することによって、ソースＭＭＥおよびソース基地局についての情報を取得する。ターゲットコアネットワークデバイスは、端末がターゲットコアネットワークデバイスへの接続を確立したことを示すために、情報をソースコアネットワークデバイスに送信し、データチャネル作成要求またはデータ送信要求をソースコアネットワークデバイスが送信することをトリガし得る。ターゲットコアネットワークデバイスは、応答メッセージで返答する。次いで、ソースコアネットワークデバイスが、データをターゲットコアネットワークデバイスに転送する。ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０２１５】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２１６】
具体的には、図８を参照すると、この実施形態では、端末がセル再選択を実行し、コアネットワークデバイスがデータ送信を実行し、ソース基地局およびターゲット基地局が異なるコアネットワークデバイスに接続される。
【０２１７】
ステップ８０１からステップ８０５はステップ７０１からステップ７０５と同じである。詳細は本明細書では再び説明されない。
【０２１８】
８０６．ソースコアネットワークデバイスが、ターゲットコアネットワークデバイスにデータ送信チャネル作成応答を送信し、ダウンリンクデータをデータ送信チャネル作成応答に追加する。
【０２１９】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータをデータ送信チャネル作成応答に追加する。
【０２２０】
この実施形態では、データ送信チャネル作成応答は、データ転送トンネル作成応答であり得る。具体的なシグナリングは本明細書では限定されない。
【０２２１】
ステップ８０７およびステップ８０８はステップ７０８およびステップ７０９と同じである。詳細は本明細書では再び説明されない。
【０２２２】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２２３】
具体的には、図９を参照すると、この実施形態では、端末がセル再選択を実行し、コアネットワークデバイスがデータ送信を実行し、ソース基地局およびターゲット基地局が異なるコアネットワークデバイスに接続される。
【０２２４】
ステップ９０１からステップ９０４はステップ７０１からステップ７０４と同じである。詳細は本明細書では再び説明されない。
【０２２５】
９０５．ターゲットコアネットワークデバイスが、コンテキスト情報およびデータ要求をソースコアネットワークデバイスに送信する。
【０２２６】
ターゲット基地局によって送信され、ソースコアネットワークデバイスからダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０２２７】
この実施形態では、コンテキスト情報およびデータ要求メッセージは、コンテキストおよびデータ要求であり得る。具体的なシグナリングは本明細書では限定されない。
【０２２８】
９０６．ソースコアネットワークデバイスが、ターゲットコアネットワークデバイスにコンテキスト情報およびデータ応答を送信し、ダウンリンクデータをコンテキスト情報およびデータ応答に追加する。
【０２２９】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０２３０】
この実施形態では、コンテキスト情報およびデータ応答は、コンテキストおよびデータ応答であり得る。具体的なシグナリングは本明細書では限定されない。
【０２３１】
ステップ９０７およびステップ９０８はステップ７０８およびステップ７０９と同じである。詳細は本明細書では再び説明されない。
【０２３２】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２３３】
具体的には、図１０を参照すると、端末がセル再選択を実行し、コアネットワークデバイスがデータ送信を実行し、ソース基地局およびターゲット基地局が同じコアネットワークデバイスに接続される。
【０２３４】
ステップ１００１およびステップ１００２はステップ６０１およびステップ６０２と同じである。詳細は本明細書では再び説明されない。
【０２３５】
１００３．コアネットワークデバイスが、ソース基地局にダウンリンクデータを送信し、ターゲット基地局にダウンリンクデータを送信し、第３のタイマーを始動する。
【０２３６】
端末がセル再選択を実行すべきであることを示すために使用される第１の指示メッセージを受信した後で、コアネットワークデバイスは第３のタイマーを始動し得る。加えて、コアネットワークデバイスは、Ｓ１インターフェースを使用することによってダウンリンクデータをターゲット基地局に送信することがあり、コアネットワークデバイスは、Ｓ１インターフェースを使用することによってダウンリンクデータをソース基地局に送信し続ける。
【０２３７】
１００４．ソース基地局がダウンリンクデータを端末に送信し、ターゲット基地局がダウンリンクデータを端末に送信する。
【０２３８】
コアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０２３９】
実際の適用形態では、コアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０２４０】
１００５．ターゲット基地局が第１の指示メッセージをコアネットワークデバイスに送信し、第１の指示メッセージは、端末がセル再選択を完了したことを示す。
【０２４１】
端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０２４２】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０２４３】
この実施形態では、第３のタイマーがタイムアウトした後にターゲット基地局が第１の指示メッセージをコアネットワークデバイスに送信しない場合、そのことは、端末がターゲット基地局へ接続されることに失敗することを示す。コアネットワークデバイスは、ダウンリンクデータをターゲット基地局に送信するのを止めることがあり、コアネットワークデバイスは、ダウンリンクデータをソース基地局に送信し続ける。
【０２４４】
１００６．コアネットワークデバイスが、ダウンリンクデータをソース基地局に送信するのを止める。
【０２４５】
端末がセル再選択を完了したことを知った後で、コアネットワークデバイスは、ダウンリンクデータをソース基地局に送信するのを止める。
【０２４６】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。重複するデータパケットはＮＡＳレイヤにより処理されることになる。
【０２４７】
この実施形態では、端末がセル再選択を実行すべきであることを示すメッセージを受信した後、コアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０２４８】
具体的には、図１１を参照すると、端末がセル再選択を実行し、コアネットワークデバイスがデータ送信を実行し、ソース基地局およびターゲット基地局が異なるコアネットワークデバイスに接続される。
【０２４９】
ステップ１１０１およびステップ１１０２はステップ７０１およびステップ７０２と同じである。詳細は本明細書では再び説明されない。
【０２５０】
１１０３．ソースコアネットワークデバイスが、ソース基地局にダウンリンクデータを送信し、ターゲットコアネットワークデバイスが、ターゲット基地局にダウンリンクデータを送信し、第３のタイマーを始動する。
【０２５１】
端末は、ソース基地局を使用することによって、指示情報をソースコアネットワークデバイスに送信する。指示情報は、ターゲットコアネットワークデバイスおよびターゲット基地局についての情報を含み、具体的なＩＤ、セル識別子などを含む。ソースコアネットワークデバイスは、この情報に基づいてターゲットコアネットワークデバイスを発見し、データチャネル作成要求を送信し、理由を示す。メッセージを受信した後、ターゲットコアネットワークデバイスは、セル再選択または変更要求を示すメッセージをターゲット基地局に送信する。ターゲット基地局がデータチャネルの確立を許可すると決定する場合、ターゲット基地局は、対応する構成情報を応答メッセージに追加し、応答メッセージをターゲットコアネットワークデバイスに送信する。ターゲット基地局のメッセージを受信した後で、ターゲットコアネットワークデバイスは、データチャネル作成要求肯定応答で返答し、ターゲット基地局によって送信される情報をソースコアネットワークに転送し、ターゲット基地局によって送信される情報を端末に送信する。ターゲットコアネットワークデバイスの肯定応答メッセージを受信した後で、ソースコアネットワークデバイスは、ダウンリンクデータをターゲットコアネットワークデバイスに転送する。任意選択で、ソースコアネットワークデバイスはデータ送信要求を直接送信することがあり、ターゲットコアネットワークは応答情報を送信する。応答情報は、端末上でターゲット基地局によって実行される関連する構成についての情報を直接搬送し得る。本明細書では、ＧＴＰプロトコルが使用される。応答情報を受信した後で、ソースコアネットワークデバイスは、シグナリングを使用することによってデータを直接送信する。
【０２５２】
任意選択で、ターゲットコアネットワークデバイスは、データを受信した後に第３のタイマーを始動する。ターゲットコアネットワークデバイスが、第３のタイマーの時間長の間に、ターゲット基地局を使用することによって端末により送信される情報を受信する場合、ターゲットコアネットワークデバイスは、データをソース基地局に送信するのを止めるようにソースコアネットワークデバイスに命令する。第３のタイマーがタイムアウトし、ターゲットコアネットワークデバイスが端末の接続セットアップ情報をまだ受信しない場合、ターゲットコアネットワークデバイスはデータをターゲット基地局に送信するのを止め、ターゲット基地局は関連するデータを削除する。
【０２５３】
１１０４．ソース基地局がダウンリンクデータを端末に送信し、ターゲット基地局がダウンリンクデータを端末に送信する。
【０２５４】
ソースコアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０２５５】
実際の適用形態では、ソースコアネットワークデバイスが前述の方式でデータを送信し、端末がＮＡＳ  ＰＤＵを受信したがソース基地局が端末によりフィードバックされる肯定応答情報を受信せず、または不正確に構文解析し、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。重複するパケットがコアネットワーク側に現れるとき、同じ解決方法が使用される。
【０２５６】
１１０５．ターゲット基地局が、通知命令をターゲットコアネットワークデバイスに送信し、シグナリングを取得した後で、ターゲットコアネットワークデバイスは、端末がセル再選択を完了したことを知る。
【０２５７】
端末がターゲット基地局に接続されることに成功した後で、ターゲット基地局は、端末がセル再選択を完了したことをターゲットコアネットワークデバイスに通知するために、第１の指示メッセージをターゲットコアネットワークデバイスに送信する。
【０２５８】
この実施形態における通知メッセージは、ターゲット基地局によってターゲットコアネットワークデバイスに送信される、初期ＵＥメッセージまたは経路切替えメッセージなどのメッセージであり得る。具体的なメッセージ形式は本明細書では限定されない。
【０２５９】
１１０６．ターゲットコアネットワークデバイスが通知メッセージをソースコアネットワークデバイスに送信し、通知メッセージは、端末がセル再選択を完了したことを示すために使用される。
【０２６０】
端末がセル再選択を完了したことを知った後で、ターゲットコアネットワークデバイスは、端末がセル再選択を完了したことを示す通知メッセージをソースコアネットワークデバイスに送信する。
【０２６１】
この実施形態では、第３のタイマーがタイムアウトした後にターゲット基地局が通知命令をターゲットコアネットワークデバイスに送信しない場合、そのことは、端末がターゲット基地局へ接続されることに失敗することを示す。加えて、ターゲットコアネットワークデバイスは、通知メッセージをソースコアネットワークデバイスに送信しない。この場合、ソースコアネットワークデバイスは、ダウンリンクデータをターゲット基地局に送信するのを止めることがあり、ソースコアネットワークデバイスは、ダウンリンクデータをソース基地局に送信し続ける。
【０２６２】
１１０７．ソースコアネットワークデバイスが、ソース基地局にダウンリンクデータを送信するのを止め、ダウンリンクデータをターゲット基地局に送信する。
【０２６３】
端末がセル再選択を完了したことを知った後で、ソースコアネットワークデバイスは、ダウンリンクデータをソース基地局に送信するのを止め、ダウンリンクデータをターゲット基地局に送信するのを止める。
【０２６４】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０２６５】
この実施形態では、端末がセル再選択を実行すべきであることを示すメッセージを受信した後、ソースコアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０２６６】
具体的には、図１２を参照すると、端末はセル再選択を実行し、基地局側はデータ送信を実行する。
【０２６７】
１２０１．ターゲット基地局が指示情報をソース基地局に送信し、指示情報は、端末がセル再選択を完了したことを示すために使用される。
【０２６８】
端末がターゲット基地局への接続を確立した後で、ターゲット基地局は、端末によって送信されるソース基地局についての情報を受信する。ターゲット基地局は、Ｘ２インターフェースを使用することによってソース基地局についての情報に基づくソース基地局に、端末がセル再選択を完了したことを示すために使用される指示情報を送信し得る。具体的なメッセージはセル再選択指示であり得る。代わりに、指示のためにフィールドがＲＬＦ指示に追加される。具体的なメッセージは限定されない。
【０２６９】
１２０２．ソース基地局が、ハンドオーバー要求をターゲット基地局に送信する。
【０２７０】
端末がセル再選択を完了したことを知った後で、ソース基地局は、ハンドオーバー要求または別のＸ２メッセージをターゲット基地局に送信する。
【０２７１】
１２０３．ターゲット基地局が、ハンドオーバー肯定応答メッセージをターゲット基地局に送信する。
【０２７２】
ソース基地局のハンドオーバー要求を受信した後で、ターゲット基地局は、ハンドオーバー肯定応答メッセージまたは別のＸ２メッセージをソース基地局に送信し得る。このようにして、ターゲット基地局およびソース基地局は、ターゲット基地局とソース基地局との間の接続シグナリングとしてハンドオーバーシグナリングを使用する。
【０２７３】
１２０４．ソース基地局が、ダウンリンクデータをターゲット基地局に送信する。
【０２７４】
ソース基地局は、基地局間のＸ２インターフェースを使用することによって、ダウンリンクデータをターゲット基地局に送信する。
【０２７５】
加えて、実際の適用形態では、ターゲット基地局およびソース基地局が互いにデータを送信するとき、ターゲット基地局およびソース基地局は、データを転送するための情報要素をハンドオーバー要求に追加し得る。この情報要素の名前は、ＮＡＳ  ＰＤＵのためのデータ転送（data forwarding for NAS PDU）であり得る。代わりに、転送ダウンリンクデータが追加される先の１つのＸ２−ＡＰシグナリングが、ターゲット基地局とソース基地局との間で使用される。この情報要素の名前は、ＤＬデータ転送（DL data forwarding）であり得る。代わりに、ソース基地局がハンドオーバー要求コマンド（ハンドオーバー要求）をターゲット基地局に送信するとき、ターゲットコアネットワークデバイスに送信されるべきデータがあることを示すために使用される情報要素が、ハンドオーバー要求に追加される。ターゲット基地局によって送信されるハンドオーバー肯定応答メッセージを受信した後、ソース基地局はさらに、データを送信するための１つのシグナリングをターゲット基地局に送信する。この場合、シグナリングに含まれる情報要素は、ＮＡＳ  ＰＤＵのためのデータ転送であり得る。代わりに、ターゲット基地局は、ＳＲＢ１に対応するＸ２ベアラ、ＥＰＳベアラに対応する新しいＥ−ＲＡＢ、およびＥ−ＲＡＢのデータを搬送するためのトンネルを確立する。トンネルが確立された後で、ターゲット基地局が対応するトンネルアドレスをソース基地局に送信し、次いで、ソース基地局がトンネルを使用することによってデータをターゲット基地局に転送する。本明細書では、ソース基地局は様々な方式でダウンリンクデータをターゲット基地局に送信し得る。これは本明細書では限定されない。加えて、データを転送した後で、ソース基地局は、最終パケット指示および末尾データ送信指示をターゲット基地局に送信する。このようにして、ターゲット基地局はまず、ソース基地局によって送信されるデータを、端末またはコアネットワークに送信し、次いでコアネットワークまたは端末から取得される新しいデータを送信することがあり、これにより、順序が狂う事例を避ける。
【０２７６】
１２０５．ターゲット基地局がダウンリンクデータを端末に送信する。
【０２７７】
ターゲット基地局は、ソース基地局から取得されたダウンリンクデータを端末に送信する。
【０２７８】
実際の適用形態では、ソース基地局から取得されたすべてのデータが順番に送信されることができることを確実にするために、ソース基地局からデータを取得した後で、ターゲット基地局は、ターゲットコアネットワークデバイスとシグナリングを交換し、ダウンリンクデータを受信する。代わりに、ターゲット基地局はまず、ソース基地局から取得されたダウンリンクデータを送信し、次いで、ターゲットコアネットワークデバイスによって送信されるダウンリンクデータを受信する。具体的な方式は本明細書では限定されない。
【０２７９】
この実施形態では、ソース基地局およびターゲット基地局はデータを互いに送信する。このことは、ダウンリンクデータが再選択の間に失われないことを確実にでき、それによりデータ連続性を確実にする。
【０２８０】
具体的には、図１３を参照すると、端末がセル変更を実行し、コアネットワークデバイスがデータ送信を実行し、ソース基地局およびターゲット基地局が同じコアネットワークデバイスに接続される。
【０２８１】
１３０１．コアネットワークデバイスが、ダウンリンクデータを保存して第１のタイマーを始動する。
【０２８２】
コアネットワークデバイスがソース基地局を使用することによってダウンリンクデータを端末に送信すべきであるとき、コアネットワークデバイスは送信されるべきダウンリンクデータを保存し、第１のタイマーを始動する。
【０２８３】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。セル再選択の前に、ソース基地局へＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。
【０２８４】
１３０２．ターゲット基地局が第１の指示メッセージをコアネットワークデバイスに送信し、第１の指示メッセージは、端末がセル変更を完了したことを示すために使用される。
【０２８５】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０２８６】
この実施形態では、端末がターゲット基地局に接続される必要がある場合、端末はさらに、ＲＲＣ接続セットアップ要求またはＲＲＣ接続再確立要求などの情報に、端末によるターゲット基地局への接続の理由を追加し得る。たとえば、それは、セル再選択が原因で接続が現在実行されていることを示すことがあり、またはそれは、ネットワーク中断が原因で再接続データが必要とされるので接続が現在実行されていることを示すことがあり、またはそれは、セル変更が原因で接続が現在実行されていることを示すことがある。具体的な理由は本明細書では限定されない。具体的には、ＮＢ−ＩｏＴでは、制御プレーンに基づく送信の解決法、およびユーザプレーンに基づく送信の解決法という、２つのデータ送信の解決法がある。制御プレーンに基づく解決法では、ターゲット基地局への接続を確立するとき、端末は、ＲＲＣ接続セットアップ要求を開始し、セル再選択の値または別の理由の値をＲＲＣ接続セットアップ要求に追加し得る。基地局は、接続セットアップ要求を受信した後で、ＲＲＣ接続セットアップメッセージを端末に送信する。端末は、ＲＲＣ接続セットアップ完了メッセージを用いて基地局に返答する。
【０２８７】
ユーザプレーンを使用することによるデータ送信の解決法では、端末は、セル再選択の値または別の理由の値を搬送する、ＲＲＣ接続再確立要求を送信し得る。接続セットアップ要求を受信した後で、基地局は、ＲＲＣ接続再確立メッセージを端末に送信する。端末は、ＲＲＣ接続再確立完了メッセージを用いて基地局に返答する。
【０２８８】
端末へのＲＲＣ接続を確立した後で、基地局は、初期ＵＥメッセージまたは経路切替えメッセージをコアネットワークデバイスに送信する。メッセージはまた、端末によって接続を確立する理由の値を搬送する。コアネットワークは、接続を確立する具体的な理由を知る。
【０２８９】
具体的には、制御プレーンに基づく送信の解決法では、無線リンク障害が生じ、端末がまだコアネットワークデバイスからダウンリンク肯定応答メッセージを受信しない場合、端末は通知をＮＡＳレイヤに送信することがあり、ＮＡＳレイヤは接続を復元すると決定する。端末は、ＲＲＣ接続セットアップ要求をターゲット基地局に送信し、肯定応答メッセージがコアネットワークの側から受信される必要があるので、または別の理由で、接続が現在確立されるべきであることを示すために、理由の値を追加する。ターゲット基地局は、初期ＵＥメッセージを使用することによって、メッセージをコアネットワークに送信し得る。このようにして、コアネットワークは接続を確立する理由を知る。
【０２９０】
代わりに、このシナリオでは、ＲＲＣ接続セットアップ要求を送信するときに端末によって追加される理由の値はＭＴであり、情報要素は、確立の理由を示すために、ＲＲＣ接続セットアップ要求が送信されるときに送信されるサービス要求メッセージに追加され、次いで、初期ＵＥメッセージを使用することによって、かつ基地局を使用することによって、理由がコアネットワークに送信される。このようにして、コアネットワークは接続を確立する理由を知る。
【０２９１】
代わりに、このシナリオでは、端末は追跡エリア更新手順を開始する。
【０２９２】
加えて、実際の適用形態では、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムメッセージは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージ３のサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【０２９３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０２９４】
この実施形態では、第１のタイマーがタイムアウトした後にターゲット基地局が第１の指示メッセージをコアネットワークデバイスに送信しない場合、そのことは、端末がターゲット基地局へ接続されることに失敗すること、または、第１のタイマーの動作の間に端末がセル再選択を実行しないことを示す。この場合、コアネットワークデバイスは保存されたダウンリンクデータを削除し得る。たとえば、ＭＭＥが５個のデータパケットを保存してから１０秒後に、ターゲット基地局によって送信され端末がセル再選択を完了したことを示すメッセージをＭＭＥが受信しない場合、ＭＭＥは５個のデータパケットを削除する。
【０２９５】
１３０３．コアネットワークデバイスが、ダウンリンクデータをターゲット基地局に送信する。
【０２９６】
コアネットワークデバイスが、保存されたダウンリンクデータをターゲット基地局に送信する。
【０２９７】
この実施形態では、端末がターゲット基地局への接続を確立するプロセスにおいて、端末はさらに、ダウンリンクデータを受信することのステータスをフィードバックし得る。端末は、以下の方式でダウンリンクデータを受信することのステータスをフィードバックし得る。たとえば、端末がダウンリンクデータを完全には受信していない場合、フィードバック情報が送信される。端末がダウンリンクデータを完全に受信している場合、フィードバック情報は送信されない。当然、逆に、端末がダウンリンクデータを完全には受信していない場合に、フィードバック情報が送信されないことがある。端末がダウンリンクデータを完全に受信している場合に、フィードバック情報が送信されることがある。フィードバック情報は、ＲＲＣ接続セットアップ要求シグナリングまたはＲＲＣ接続セットアップ完了シグナリングに追加され得る。フィードバック情報を受信した後で、ターゲット基地局はさらに、コアネットワークデバイスに送信されるべき初期ＵＥメッセージまたは経路切替えメッセージにフィードバック情報を追加することがあり、言い換えると、端末がダウンリンクデータを完全に受信していること、または端末がダウンリンクデータを完全には受信していないことを、コアネットワークデバイスに通知することがある。端末がダウンリンクデータを完全に受信したことをフィードバック情報が示す場合、コアネットワークデバイスはダウンリンクデータを削除し得る。端末がダウンリンクデータを完全には受信していないことをフィードバック情報が示す場合、コアネットワークデバイスは次いで、ターゲット基地局を使用することによってダウンリンクデータを端末に送信する。具体的なフィードバック方式およびフィードバック情報送信方式は、本明細書では限定されない。
【０２９８】
この実施形態では、端末が５個のデータパケットを受信したかどうかを端末が決定し得る。端末が５個のデータパケット、すなわちデータパケット１、データパケット２、データパケット３、データパケット４、およびデータパケット５を完全に受信する場合、端末は、ターゲット基地局を使用することによって、端末が５個のデータパケットを完全に受信していることをコアネットワークデバイスに通知し得る。この場合、コアネットワークデバイスは、ターゲット基地局を使用することによって５個のデータを端末に送信する必要はない。端末が３個だけのデータパケット、すなわちデータパケット１、データパケット２、およびデータパケット３を受信すると端末が決定する場合、端末は、ターゲット基地局を使用することによって、端末が５個のデータパケットを完全には受信していないことをコアネットワークデバイスに通知し得る。この場合、端末は、受信されたデータパケット１、データパケット２、およびデータパケット３を削除し、ターゲット基地局を使用することによって端末へコアネットワークデバイスによって送信される５個のデータパケット、すなわちデータパケット１、データパケット２、データパケット３、データパケット４、およびデータパケット５を再び受信し得る。端末が３個だけのデータパケット、すなわちデータパケット１、データパケット２、およびデータパケット３を受信すると端末が決定する場合、端末は、受信されたＮＡＳパケットの番号またはインデックス値をコアネットワークデバイスにフィードバックし得る。コアネットワークデバイスは、最初の３つの保存されたパケットを削除し、ターゲット基地局を使用することによって４番目のパケットおよび５番目のパケットを送信し得る。コアネットワークデバイスが１つだけのＮＡＳパケットを送信し、端末がＮＡＳパケットを完全には受信しない場合、端末はコアネットワークデバイスにフィードバックを送信し、完全には受信されないＮＡＳパケットを削除する。コアネットワークデバイスは、ターゲット基地局を使用することによって、ＮＡＳパケットを再び送信する。具体的には、端末は、ＮＡＳパケットを知っており、各データの番号に基づいて、受信される具体的なパケットを知ることがある。フィードバックの間、パケット番号がフィードバックされることがあり、または、現在の接続の間に受信されるＮＡＳパケットの量がフィードバックされることがある。具体的な形式は限定されない。
【０２９９】
１３０４．ターゲット基地局がダウンリンクデータを端末に送信する。
【０３００】
ターゲット基地局がダウンリンクデータを端末に転送する。
【０３０１】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３０２】
この実施形態では、コアネットワークデバイスは端末のダウンリンクデータを保存するので、端末がソース基地局からターゲット基地局にハンドオーバーされた後で、コアネットワークデバイスは、保存されたダウンリンクデータを端末に送信する。このことは、ダウンリンクデータが再選択の間に失われないことを確実にでき、それによりデータ連続性を確実にする。
【０３０３】
具体的には、図１４を参照すると、端末がセル変更を実行し、コアネットワークデバイスがデータ送信を実行し、ソース基地局およびターゲット基地局が異なるコアネットワークデバイスに接続される。
【０３０４】
ステップ１４０１はステップ１３０１と同じである。詳細は本明細書では再び説明されない。
【０３０５】
１４０２．ソース基地局がハンドオーバー要求をソースコアネットワークデバイスに送信し、ハンドオーバー要求はターゲット基地局についての情報およびターゲットコアネットワークデバイスについての情報を含む。
【０３０６】
ハンドオーバーの判断を行った後で、ソース基地局は、ハンドオーバー要求をソースコアネットワークデバイスに送信する。ハンドオーバー要求は、ターゲット基地局についての情報およびターゲットコアネットワークデバイスについての情報を含む。
【０３０７】
この実施形態では、ハンドオーバー要求は、ＨＯ  ｒｅｑｕｉｒｅｄシグナリングであることがあり、または他のシグナリングによって表されることがある。具体的なシグナリングは本明細書では限定されない。
【０３０８】
１４０３．ソースコアネットワークデバイスが、データ割振り要求をターゲットコアネットワークデバイスに送信する。
【０３０９】
ハンドオーバー要求を受信した後で、ソースコアネットワークデバイスは、ターゲットコアネットワークデバイスについての情報に基づいて、データ割振り要求をターゲットコアネットワークデバイスに送信する。
【０３１０】
この実施形態では、データ割振り要求は、ｆｏｒｗａｒｄ  ｒｅｌｏｃａｔｉｏｎ  ｒｅｑｕｅｓｔシグナリングであることがあり、または他のシグナリングであることがある。これは本明細書では特に限定されない。
【０３１１】
１４０４．ターゲットコアネットワークデバイスが、ハンドオーバー要求をターゲット基地局に送信する。
【０３１２】
データ割振り要求を受信した後で、ターゲットコアネットワークデバイスは、ハンドオーバー要求をターゲット基地局に送信する。
【０３１３】
この実施形態では、ハンドオーバー要求は、ＨＯ  ｒｅｑｕｉｒｅｄシグナリングであることがあり、または他のシグナリングによって表されることがある。具体的なシグナリングは本明細書では限定されない。
【０３１４】
１４０５．ターゲット基地局がハンドオーバー応答をターゲットコアネットワークデバイスに送信する。
【０３１５】
ターゲット基地局は、ハンドオーバー応答をターゲットコアネットワークデバイスにフィードバックする。
【０３１６】
この実施形態では、ハンドオーバー応答は、ＨＯ応答情報であることがあり、または他のシグナリングによって表されることがある。具体的なシグナリングは本明細書では限定されない。
【０３１７】
１４０６．ターゲットコアネットワークデバイスが、データ割振り応答をソースコアネットワークデバイスに送信する。
【０３１８】
ターゲット基地局によってフィードバックされるハンドオーバー応答を受信した後でターゲットコアネットワークデバイスは、データ割振り応答をソースコアネットワークデバイスにフィードバックする。
【０３１９】
この実施形態では、データ割振り応答は、ｆｏｒｗａｒｄ  ｒｅｌｏｃａｔｉｏｎ  ｒｅｑｕｅｓｔシグナリングであることがあり、または他のシグナリングであることがある。これは本明細書では特に限定されない。
【０３２０】
１４０７．ソースコアネットワークデバイスが、ハンドオーバーコマンドをソース基地局に送信する。
【０３２１】
ターゲットコアネットワークデバイスによってフィードバックされるデータ割振り応答を受信した後で、ソースコアネットワークデバイスは、ハンドオーバーが実行され得ることをソース基地局に通知する。
【０３２２】
この実施形態では、ハンドオーバーコマンドは、ＨＯコマンドシグナリングであることがあり、または他のシグナリングであることがある。具体的なシグナリングは本明細書では限定されない。
【０３２３】
１４０８．ソースコアネットワークデバイスが、データ送信チャネル作成要求をターゲットコアネットワークデバイスに送信する。
【０３２４】
ソースコアネットワークデバイスは、データ送信チャネル作成要求をターゲットコアネットワークデバイスに送信する。
【０３２５】
この実施形態では、データ送信チャネル作成要求は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。具体的なシグナリングは本明細書では限定されない。
【０３２６】
１４０９．ターゲットコアネットワークデバイスが、データ送信チャネル作成応答をソースコアネットワークデバイスに送信する。
【０３２７】
ソースコアネットワークデバイスによって送信されるデータ送信チャネル作成要求を受信した後で、ターゲットコアネットワークデバイスは、ターゲットコアネットワークデバイスがデータ送信チャネルを作成することを許可することを示すためのデータ送信チャネル作成応答を、ソースコアネットワークデバイスにフィードバックする。
【０３２８】
この実施形態では、データ送信チャネル作成応答は、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリングは本明細書では限定されない。
【０３２９】
１４１０．ソースコアネットワークデバイスが、ダウンリンクデータをターゲットコアネットワークデバイスに送信する。
【０３３０】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０３３１】
１４１１．ターゲットコアネットワークデバイスが、ダウンリンクデータをターゲット基地局に送信する。
【０３３２】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０３３３】
１４１２．ターゲット基地局がダウンリンクデータを端末に送信する。
【０３３４】
ターゲットコアネットワークデバイスによって送信されるダウンリンクデータを受信した後で、ターゲット基地局はダウンリンクデータを端末に送信する。
【０３３５】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３３６】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３３７】
具体的には、図１５を参照すると、端末がセル変更を実行し、コアネットワークデバイスがデータ送信を実行し、ソース基地局およびターゲット基地局が異なるコアネットワークデバイスに接続される。
【０３３８】
ステップ１５０１からステップ１５０７はステップ１４０１からステップ１４０７と同じである。詳細は本明細書では再び説明されない。
【０３３９】
１５０８．ターゲットコアネットワークデバイスが、コンテキスト情報およびデータ要求をソースコアネットワークデバイスに送信する。
【０３４０】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０３４１】
この実施形態では、コンテキスト情報およびデータ要求メッセージは、コンテキストおよびデータ要求であり得る。具体的なシグナリングは本明細書では限定されない。
【０３４２】
１５０９．ソースコアネットワークデバイスが、ターゲットコアネットワークデバイスにコンテキスト情報およびデータ応答を送信し、ダウンリンクデータをコンテキスト情報およびデータ応答に追加する。
【０３４３】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０３４４】
この実施形態では、コンテキスト情報およびデータ応答は、コンテキストおよびデータ応答であり得る。具体的なシグナリングは本明細書では限定されない。
【０３４５】
ステップ１５１０およびステップ１５１１はステップ１４１１および１４１２と同じである。詳細は本明細書では再び説明されない。
【０３４６】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３４７】
具体的には、図１６を参照すると、端末がセル変更を実行し、コアネットワークデバイスがデータ送信を実行し、ソース基地局およびターゲット基地局が同じコアネットワークデバイスに接続される。
【０３４８】
１６０１．ソース基地局が通知メッセージをコアネットワークデバイスに送信し、通知メッセージは、端末がセル変更を実行すべきであることを示すために使用される。
【０３４９】
ハンドオーバーの判断を行った後で、ソース基地局は、端末がセル変更を実行すべきであることをコアネットワークデバイスに通知するために、通知メッセージをコアネットワークデバイスに送信する。
【０３５０】
この実施形態では、ソース基地局は、コアネットワークデバイスに通知するためにＳ１−ＡＰメッセージを送信し得る。シグナリングの名前はＨＯ  ｉｎｄｉｃａｔｉｏｎであることがあり、または他のシグナリングが使用されることがある。これは本明細書では特に限定されない。
【０３５１】
１６０２．コアネットワークデバイスが、ダウンリンクデータをソース基地局に送信するのを止め、第２のタイマーを始動する。
【０３５２】
端末がセル変更を実行すべきであることを知った後で、コアネットワークデバイスは、第２のタイマーを始動し、ダウンリンクデータをソース基地局に送信するのを止める。
【０３５３】
この実施形態では、第１のタイマーの動作時間長があらかじめ設定される。具体的な時間長は本明細書では限定されない。実際の適用形態では、ＭＭＥは、５個のデータパケット、すなわちデータパケット１、データパケット２、データパケット３、データパケット４、およびデータパケット５をソース基地局に送信するのを止める。
【０３５４】
１６０３．ターゲット基地局が第１の指示メッセージをコアネットワークデバイスに送信し、第１の指示メッセージは、端末がセル変更を完了したことを示すために使用される。
【０３５５】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０３５６】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０３５７】
この実施形態では、第２のタイマーがタイムアウトした後にターゲット基地局が第１の指示メッセージをコアネットワークデバイスに送信しない場合、そのことは、端末がターゲット基地局へ接続されることに失敗することを示す。この場合、端末はダウンリンクデータをソース基地局に送信するのを再開する。たとえば、第２のタイマーがタイムアウトした後で、ターゲット基地局によって送信され端末がセル再選択を完了したことを示すメッセージをＭＭＥが受信しない場合、ＭＭＥは、５個のデータパケット、すなわちデータパケット１、データパケット２、データパケット３、データパケット４、およびデータパケット５をソース基地局に送信するのを再開する。
【０３５８】
１６０４．コアネットワークデバイスが、ダウンリンクデータをターゲット基地局に送信する。
【０３５９】
第１の指示情報を受信した後で、コアネットワークデバイスは、送信されないダウンリンクデータをターゲット基地局に送信する。
【０３６０】
１６０５．ターゲット基地局がダウンリンクデータを端末に送信する。
【０３６１】
ターゲット基地局がダウンリンクデータを端末に転送する。
【０３６２】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３６３】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３６４】
具体的には、図１７を参照すると、端末がセル変更を実行し、コアネットワークデバイスがデータ送信を実行し、ソース基地局およびターゲット基地局が異なるコアネットワークデバイスに接続される。
【０３６５】
１７０１．ソース基地局が通知メッセージをソースコアネットワークデバイスに送信し、通知メッセージは、端末がセル変更を実行すべきであることを示すために使用される。
【０３６６】
変更の判断を行った後で、ソース基地局は、端末がセル変更を実行すべきであることをソースコアネットワークデバイスに通知するために、通知メッセージをソースコアネットワークデバイスに送信する。
【０３６７】
この実施形態では、ソース基地局は、ソースコアネットワークデバイスに通知するために、Ｓ１−ＡＰメッセージ、たとえばＵＬ  ＮＡＳトランスポートメッセージを送信し得る。シグナリングの名前はＨＯ  ｉｎｄｉｃａｔｉｏｎであることがあり、または他のシグナリングが使用されることがある。これは本明細書では特に限定されない。
【０３６８】
１７０２．ソースコアネットワークデバイスが、ダウンリンクデータをソース基地局に送信するのを止め、第２のタイマーを始動する。
【０３６９】
端末がセル変更を実行すべきであることを知った後で、ソースコアネットワークデバイスは、第２のタイマーを始動し、ダウンリンクデータをソース基地局に送信するのを止める。
【０３７０】
この実施形態では、第１のタイマーの動作時間長があらかじめ設定される。具体的な時間長は本明細書では限定されない。実際の適用形態では、ソースＭＭＥは、５個のデータパケット、すなわちデータパケット１、データパケット２、データパケット３、データパケット４、およびデータパケット５をソース基地局に送信するのを止める。
【０３７１】
１７０３．ターゲット基地局が通知命令をターゲットコアネットワークデバイスに送信し、この通知命令は、端末がセル変更を完了したことを示すために、および、ソースコアネットワークデバイスにデータを要求するようにターゲットコアネットワークデバイスに命令するために使用される。
【０３７２】
端末がターゲット基地局への接続を確立した後、ターゲット基地局は、通知命令をターゲットコアネットワークデバイスに送信する。通知命令は、端末がセル変更を完了したことを示すために、および、ソースコアネットワークデバイスにダウンリンクデータを要求するようにターゲットコアネットワークデバイスに命令するために使用される。
【０３７３】
この実施形態では、ターゲット基地局は、初期ＵＥメッセージをターゲットコアネットワークデバイスに送信することがあり、初期ＵＥメッセージは、ソースコアネットワークデバイスにダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥに要求するようにターゲットＭＭＥに命令するためのフィールド１１００を、初期ＵＥメッセージに追加する。
【０３７４】
１７０４．ターゲットコアネットワークデバイスが、データ送信チャネル作成要求をソースコアネットワークデバイスに送信する。
【０３７５】
ターゲットコアネットワークデバイスは、データ送信チャネル作成要求をソースコアネットワークデバイスに送信する。
【０３７６】
この実施形態では、データ送信チャネル作成要求は、データ転送トンネル作成要求であり得る。具体的なシグナリングは本明細書では限定されない。
【０３７７】
１７０５．ソースコアネットワークデバイスが、データ送信チャネル作成応答をターゲットコアネットワークデバイスに送信する。
【０３７８】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０３７９】
この実施形態では、データ送信チャネル作成応答は、データ転送トンネル作成応答であり得る。具体的なシグナリングは本明細書では限定されない。
【０３８０】
１７０６．ソースコアネットワークデバイスが、ダウンリンクデータをターゲットコアネットワークデバイスに送信する。
【０３８１】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０３８２】
１７０７．ターゲットコアネットワークデバイスが、ダウンリンクデータをターゲット基地局に送信する。
【０３８３】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０３８４】
１７０８．ターゲット基地局がダウンリンクデータを端末に送信する。
【０３８５】
ターゲットコアネットワークデバイスによって送信されるダウンリンクデータを受信した後で、ターゲット基地局はダウンリンクデータを端末に送信する。
【０３８６】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３８７】
任意選択で、ターゲットコアネットワークデバイスは、ソースコアネットワークデバイスがデータ経路作成メッセージを送信することまたはデータおよびコンテキスト要求メッセージを送信してターゲットコアネットワークデバイスの応答情報を受信することをトリガするために、セル変更完了指示をまず送信し得る。このデータは、送信の要求に追加されることがあり、または応答が受信された後で送信されることがある。
【０３８８】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３８９】
具体的には、図１８を参照すると、端末がセル変更を実行し、コアネットワークデバイスがデータ送信を実行し、ソース基地局およびターゲット基地局が異なるコアネットワークデバイスに接続される。
【０３９０】
ステップ１８０１からステップ１８０４はステップ１７０１からステップ１７０４と同じである。詳細は本明細書では再び説明されない。
【０３９１】
１８０５．ソースコアネットワークデバイスが、ターゲットコアネットワークデバイスにデータ送信チャネル作成応答を送信し、ダウンリンクデータをデータ送信チャネル作成応答に追加する。
【０３９２】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータをデータ送信チャネル作成応答に追加する。
【０３９３】
この実施形態では、データ送信チャネル作成応答は、データ転送トンネル作成応答であり得る。具体的なシグナリングは本明細書では限定されない。
【０３９４】
ステップ１８０６およびステップ１８０７はステップ１７０７および１７０８と同じである。詳細は本明細書では再び説明されない。
【０３９５】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３９６】
具体的には、図１９を参照すると、端末がセル変更を実行し、コアネットワークデバイスがデータ送信を実行し、ソース基地局およびターゲット基地局が異なるコアネットワークデバイスに接続される。
【０３９７】
ステップ１９０１からステップ１９０３はステップ１７０１からステップ１７０３と同じである。詳細は本明細書では再び説明されない。
【０３９８】
１９０４．ターゲットコアネットワークデバイスが、コンテキスト情報およびデータ要求をソースコアネットワークデバイスに送信する。
【０３９９】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０４００】
この実施形態では、コンテキスト情報およびデータ要求メッセージは、コンテキストおよびデータ要求であり得る。具体的なシグナリングは本明細書では限定されない。
【０４０１】
１９０５．ソースコアネットワークデバイスが、ターゲットコアネットワークデバイスにコンテキスト情報およびデータ応答を送信し、ダウンリンクデータをコンテキスト情報およびデータ応答に追加する。
【０４０２】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０４０３】
この実施形態では、コンテキスト情報およびデータ応答は、コンテキストおよびデータ応答であり得る。具体的なシグナリングは本明細書では限定されない。
【０４０４】
ステップ１９０６およびステップ１９０７はステップ１７０７およびステップ１７０８と同じである。詳細は本明細書では再び説明されない。
【０４０５】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０４０６】
具体的には、図２０を参照すると、端末がセル変更を実行し、コアネットワークデバイスがデータ送信を実行し、ソース基地局およびターゲット基地局が同じコアネットワークデバイスに接続される。
【０４０７】
ステップ２００１はステップ１６０１と同じである。詳細は本明細書では再び説明されない。
【０４０８】
２００２．コアネットワークデバイスが、ソース基地局にダウンリンクデータを送信し、ターゲット基地局にダウンリンクデータを送信し、第３のタイマーを始動する。
【０４０９】
端末がセル変更を実行すべきであることを示すために使用される第１の指示メッセージを受信した後で、コアネットワークデバイスは第３のタイマーを始動し得る。加えて、コアネットワークデバイスは、Ｓ１インターフェースを使用することによってダウンリンクデータをターゲット基地局に送信することがあり、コアネットワークデバイスは、Ｓ１インターフェースを使用することによってダウンリンクデータをソース基地局に送信し続ける。
【０４１０】
２００３．ソース基地局がダウンリンクデータを端末に送信し、ターゲット基地局がダウンリンクデータを端末に送信する。
【０４１１】
コアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０４１２】
実際の適用形態では、コアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０４１３】
２００４．ターゲット基地局が第１の指示メッセージをコアネットワークデバイスに送信し、第１の指示メッセージは、端末がセル変更を完了したことを示す。
【０４１４】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０４１５】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０４１６】
この実施形態では、第３のタイマーがタイムアウトした後にターゲット基地局が第１の指示メッセージをコアネットワークデバイスに送信しない場合、そのことは、端末がターゲット基地局へ接続されることに失敗することを示す。コアネットワークデバイスは、ダウンリンクデータをターゲット基地局に送信するのを止めることがあり、コアネットワークデバイスは、ダウンリンクデータをソース基地局に送信し続ける。
【０４１７】
２００５．コアネットワークデバイスが、ダウンリンクデータをソース基地局に送信するのを止める。
【０４１８】
端末がセル変更を完了したことを知った後で、コアネットワークデバイスは、ダウンリンクデータをソース基地局に送信するのを止める。
【０４１９】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０４２０】
この実施形態では、端末がセル変更を実行すべきであることを示すメッセージを受信した後、コアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０４２１】
具体的には、図２１を参照すると、端末がセル変更を実行し、コアネットワークデバイスがデータ送信を実行し、ソース基地局およびターゲット基地局が異なるコアネットワークデバイスに接続される。
【０４２２】
ステップ２１０１はステップ１７０１と同じである。詳細は本明細書では再び説明されない。
【０４２３】
２１０２．ソースコアネットワークデバイスが、ソース基地局にダウンリンクデータを送信し、ターゲット基地局にダウンリンクデータを送信し、第３のタイマーを始動する。
【０４２４】
端末がセル変更を実行すべきであることを示すために使用される第１の指示メッセージを受信した後で、ソースコアネットワークデバイスは第３のタイマーを始動し得る。加えて、ソースコアネットワークデバイスは、Ｓ１インターフェースを使用することによってダウンリンクデータをターゲット基地局に送信することがあり、ソースコアネットワークデバイスは、Ｓ１インターフェースを使用することによってダウンリンクデータをソース基地局に送信し続ける。
【０４２５】
２１０３．ソース基地局がダウンリンクデータを端末に送信し、ターゲット基地局がダウンリンクデータを端末に送信する。
【０４２６】
ソースコアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０４２７】
実際の適用形態では、ソースコアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０４２８】
２１０４．ターゲット基地局が通知命令をターゲットコアネットワークデバイスに送信し、通知命令は、端末がセル変更を完了したことを示すために使用される。
【０４２９】
端末がターゲット基地局に接続されることに成功した後で、ターゲット基地局は、端末がセル変更を完了したことをターゲットコアネットワークデバイスに通知するために、第１の指示メッセージをターゲットコアネットワークデバイスに送信する。
【０４３０】
この実施形態における通知メッセージは、ターゲット基地局によってターゲットコアネットワークデバイスに送信される、初期ＵＥメッセージまたは経路切替えメッセージなどのメッセージであり得る。具体的なメッセージ形式は本明細書では限定されない。
【０４３１】
２１０５．ターゲットコアネットワークデバイスが通知メッセージをソースコアネットワークデバイスに送信し、通知メッセージは、端末がセル変更を完了したことを示すために使用される。
【０４３２】
端末がセル変更を完了したことを知った後で、ターゲットコアネットワークデバイスは、端末がセル変更を完了したことを示す通知メッセージをソースコアネットワークデバイスに送信する。
【０４３３】
この実施形態では、第３のタイマーがタイムアウトした後にターゲット基地局が通知命令をターゲットコアネットワークデバイスに送信しない場合、そのことは、端末がターゲット基地局へ接続されることに失敗することを示す。加えて、ターゲットコアネットワークデバイスは、通知メッセージをソースコアネットワークデバイスに送信しない。この場合、ソースコアネットワークデバイスは、ダウンリンクデータをターゲット基地局に送信するのを止めることがあり、ソースコアネットワークデバイスは、ダウンリンクデータをソース基地局に送信し続ける。
【０４３４】
２１０６．ソースコアネットワークデバイスが、ソース基地局にダウンリンクデータを送信するのを止め、ダウンリンクデータをターゲット基地局に送信するのを止める。
【０４３５】
端末がセル変更を完了したことを知った後で、ソースコアネットワークデバイスは、ダウンリンクデータをソース基地局に送信するのを止め、ダウンリンクデータをターゲット基地局に送信するのを止める。
【０４３６】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０４３７】
この実施形態では、端末がセル変更を実行すべきであることを示すメッセージを受信した後、ソースコアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０４３８】
具体的には、図２２を参照すると、端末はセル変更を実行し、基地局側はデータ送信を実行する。
【０４３９】
２２０１．ソース基地局が、ハンドオーバー要求をターゲット基地局に送信する。
【０４４０】
ハンドオーバーの判断を行った後で、ソース基地局は、ハンドオーバー要求をターゲット基地局に送信する。
【０４４１】
２２０２．ターゲット基地局が、ハンドオーバー肯定応答メッセージをターゲット基地局に送信する。
【０４４２】
ソース基地局のハンドオーバー要求を受信した後で、ターゲット基地局は、ハンドオーバー肯定応答メッセージをソース基地局に送信し得る。このようにして、ターゲット基地局およびソース基地局は、ターゲット基地局とソース基地局との間の接続シグナリングとしてハンドオーバーシグナリングを使用する。
【０４４３】
２２０３．ソース基地局が、ダウンリンクデータをターゲット基地局に送信する。
【０４４４】
ソース基地局は、基地局間のＸ２インターフェースを使用することによって、ダウンリンクデータをターゲット基地局に送信する。
【０４４５】
加えて、実際の適用形態では、ターゲット基地局およびソース基地局が互いにデータを送信するとき、ターゲット基地局およびソース基地局は、データを転送するための情報要素をハンドオーバー要求に追加し得る。この情報要素の名前は、ＮＡＳ  ＰＤＵのためのデータ転送であり得る。代わりに、転送ダウンリンクデータが追加される先の１つのＸ２−ＡＰシグナリングが、ターゲット基地局とソース基地局との間で使用される。この情報要素の名前は、ＤＬデータ転送であり得る。代わりに、ソース基地局がハンドオーバー要求コマンド（ハンドオーバー要求）をターゲット基地局に送信するとき、ターゲットコアネットワークデバイスに送信されるべきデータがあることを示すために使用される情報要素が、ハンドオーバー要求に追加される。ターゲット基地局によって送信されるハンドオーバー肯定応答メッセージを受信した後、ソース基地局はさらに、データを送信するための１つのシグナリングをターゲット基地局に送信する。この場合、シグナリングに含まれる情報要素は、ＮＡＳ  ＰＤＵのためのデータ転送であり得る。代わりに、ターゲット基地局は、ＳＲＢ１に対応するＸ２ベアラ、ＥＰＳベアラに対応する新しいＥ−ＲＡＢ、およびＥ−ＲＡＢのデータを搬送するためのトンネルを確立する。トンネルが確立された後で、ターゲット基地局が対応するトンネルアドレスをソース基地局に送信し、ソース基地局がトンネルを使用することによってデータをターゲット基地局に転送する。本明細書では、ソース基地局は様々な方式でダウンリンクデータをターゲット基地局に送信し得る。これは本明細書では限定されない。
【０４４６】
２２０４．ターゲット基地局がダウンリンクデータを端末に送信する。
【０４４７】
ターゲット基地局は、ソース基地局から取得されたダウンリンクデータを端末に送信する。
【０４４８】
実際の適用形態では、ソース基地局から取得されたすべてのデータが順番に送信されることができることを確実にするために、ソース基地局からデータを取得した後で、ターゲット基地局は、ターゲットコアネットワークデバイスとシグナリングを交換し、ダウンリンクデータを受信する。代わりに、ターゲット基地局はまず、ソース基地局から取得されたダウンリンクデータを送信し、次いで、ターゲットコアネットワークデバイスによって送信されるダウンリンクデータを受信する。具体的な方式は本明細書では限定されない。
【０４４９】
この実施形態では、ソース基地局およびターゲット基地局はデータを互いに送信する。このことは、ダウンリンクデータが再選択の間に失われないことを確実にでき、それによりデータ連続性を確実にする。
【０４５０】
データ処理方法の前述の説明に基づいて、接続モードにおいて端末のモビリティを維持することに加えて、本出願の実施形態はさらに、接続モードにおける端末の電力消費を減らすために以下の解決法を提供し得る。
【０４５１】
具体的には、図２３を参照すると、本出願の実施形態は、以下のステップを含むセル取得方法を提供する。
【０４５２】
２３０１．端末が現在のソースサービングセルに接続されるときに、端末が現在のソースサービングセルの第１の品質パラメータを取得する。
【０４５３】
端末が現在のソースサービングセルに接続されるときに、端末は、現在のソースサービングセルの第１の品質パラメータをリアルタイムに取得し得る。
【０４５４】
この実施形態では、第１の品質パラメータは、基準信号受信品質または基準信号受信電力であり得る。具体的な決定基準は本明細書では限定されない。実際の適用形態では、端末が現在のソースサービングセルに接続されるとき、言い換えると、端末が現在のソースサービングセルに対応する基地局とデータまたはシグナリングを交換するとき、端末は、現在のソースサービングセルの基準信号受信電力または基準信号受信品質を取得して、現在のソースサービングセルの第１の品質パラメータを決定し得る。
【０４５５】
２３０２．端末が、第１の品質パラメータが第１のあらかじめ設定された閾値未満であるかどうかを決定し、そうである場合、ステップ２３０３からステップ２３０５を実行し、そうではない場合、ステップ２３０６を実行する。
【０４５６】
第１の品質パラメータを取得した後で、端末は、第１の品質パラメータが第１のあらかじめ設定された閾値未満であるかどうかを決定する。第１の品質パラメータが第１のあらかじめ設定された閾値未満である場合、端末はステップ２３０３からステップ２３０５を実行する。第１の品質パラメータが第１のあらかじめ設定された閾値未満ではない場合、端末はステップ２３０６を実行する。
【０４５７】
実際の適用形態では、接続モードの端末は、端末が現在のソースサービングセルにおいてサービスを実行できる条件を現在のソースサービングセルの品質パラメータが満たすかどうかを決定するための閾値をあらかじめ設定し得る。現在のソースサービングセルの品質パラメータを取得した後で、端末は品質パラメータを閾値と比較する。
【０４５８】
２３０３．端末が測定セルセットを取得する。
【０４５９】
端末が、端末によって測定され得るセルを決定し、測定セルセットを生成する。
【０４６０】
この実施形態では、端末は、その品質パラメータがアイドルモードにおいて測定を通じて取得されあらかじめ設定された閾値以上であるセルを測定セルとして使用することがあり、または、あらかじめ設定された時間長内に以前に端末へ接続されていたセルを測定セルとして使用することがあり、または、あらかじめ設定された時間長内に端末により保存される信号品質があらかじめ設定された閾値に達するセルを測定セルとして使用することがあり、または、端末に接続される基地局によって送信されるブロードキャストメッセージの中のセルリストの中のセルを測定セルとして使用することがあり、または、セルリストの中の周波数情報に関するセルを測定セルとして使用することがある。端末が適切な測定セルセットを取得できる限り、本明細書では具体的な方式は限定されない。端末は、アイドルモードにおいて、または接続モードにおいてブロードキャストメッセージを取得し得る。これは本明細書では特に限定されない。たとえば、端末はアイドル状態で２０個のセルを測定する。セルＡ、セルＢ、およびセルＣの品質パラメータは各々、あらかじめ設定された閾値８０より大きい。加えて、最近２日の間に端末に接続されたセルは、セルＤ、セルＥ、およびセルＦを含む。最近２日の間に端末による測定を通じて取得された品質パラメータが各々８０より大きいセルは、セルＧおよびセルＨを含む。基地局によって送信され端末によって受信されるブロードキャストメッセージの中のセルリストの中のセルは、セルＡからセルＨを含む。基地局によって送信され端末によって受信されるブロードキャストメッセージの中の周波数情報に関するセルは、セルＢ、セルＣ、セルＤ、およびセルＥを含む。この場合、端末によって決定される測定セルセットは、セルＡからセルＨのうちの少なくとも１つを含む。
【０４６１】
加えて、端末によって決定される測定セルセットの中の測定セルの量が、セルリストの中のセルの量および／または周波数情報に関するセルの量未満である場合：
【０４６２】
２３０４．端末が測定セルセットの中の測定セルを測定して、第２の品質パラメータセットを取得する。
【０４６３】
端末は、測定セルの第２の品質パラメータを取得するために、測定セルセットの中の測定セルを１つずつ測定し、第２の品質パラメータを使用することによって第２の品質パラメータセットを生成する。
【０４６４】
実際の適用形態では、端末は以下の方式で測定セルを測定し得る。
【０４６５】
ある可能な実装形態では、端末は、第２の品質パラメータを取得するために、同一周波数内測定、異周波数間測定、およびシステム間測定のうちの少なくとも１つの測定方式を使用することによって測定セルの基準信号受信電力を測定する。
【０４６６】
別の可能な実装形態では、端末は、第２の品質パラメータを取得するために、同一周波数内測定、異周波数間測定、およびシステム間測定のうちの少なくとも１つの測定方式を使用することによって測定セルの基準信号受信品質を測定する。
【０４６７】
２３０５．端末が第２の品質パラメータセットに基づいてターゲットサービングセルを決定する。
【０４６８】
端末は、第２の品質パラメータセットの中の第２の品質パラメータに基づいて、測定セルセットからターゲットサービングセルを決定する。
【０４６９】
実際の適用形態では、端末は、第２の品質パラメータがあらかじめ設定された閾値より大きい測定セルをターゲットサービングセルとして使用することがあり、または、端末は、第２の品質パラメータが最良である測定セルをターゲットサービングセルとして選択する。たとえば、端末によって決定される測定セルセットは、セルＡ、セルＢ、セルＤ、およびセルＥを含む。セルＡの第２の品質パラメータが８７であり、セルＢの第２の品質パラメータが８５であり、セルＤの第２の品質パラメータが７５であり、セルＥの第２の品質パラメータが８１であることが、測定を通じて知られる。あらかじめ設定された閾値が８５である場合、端末は、セルＡおよびセルＢをターゲットサービングセルとして使用することがあり、またはセルＡをターゲットサービングセルとして使用することがある。
【０４７０】
測定セルおよびサービングセルを測定した後で、端末は第１の品質パラメータおよび第２の品質パラメータを取得し、端末はまた、セル再選択規則、たとえばランキング機構または優先順位付け機構に基づいて、ターゲットセルを決定し得る。たとえば、各セルまたは周波数に関する各セルは、セル再選択の間に、特定のサポートされるサービスに基づいて、補償値またはオフセットを加算し得る。加えて、補償値またはオフセットは、各セルまたは周波数および端末に関する各セルによってあらかじめ設定されるデフォルト値であり得る。代わりに、端末は、基地局によってブロードキャストされるシステムメッセージを受信することによって、補償値またはオフセットを取得し得る。代わりに、端末は、専用シグナリングを受信することによって、補償値またはオフセットを取得し得る。端末が補償値またはオフセットを取得した後で、端末がターゲットサービスを実行してセル再選択を実行しているとき、端末は、ターゲットサービスをサポートするセルを優先的に選択し得る。たとえば、セルＡはＳＣ−ＰＴＭサービスをサポートする。ＳＣ−ＰＴＭサービスをサポートするための補償値またはオフセットは、システムブロードキャストにおいてブロードキャストされる。ＵＥは、セル再選択を実行するときにランキング機構を使用する。ＵＥがセルについての計算を実行するとき、ＵＥは補償値またはオフセットを加算するので、端末はセルＡを選択することができる。任意選択で、ＳＣ−ＰＴＭをサポートする端末が現在位置しているセルがＳＣ−ＰＴＭサービスをサポートしない場合、現在のサービングセルの信号品質または信号レベルが測定または再選択をトリガしない場合であっても、セルまたは周波数がＳＣ−ＰＴＭをサポートすることが、システムブロードキャストを使用することによって、または別の方式で知られる場合、測定がトリガされ、ランキングおよび再選択が実行され、またはターゲットセルもしくはその周波数のセルが直接測定され、閾値の要件が満たされれば、再選択が実行される。
【０４７１】
任意選択で、ＳＣ−ＰＴＭをサポートするＵＥが、システムブロードキャストを使用することによって、または別の方式で、セルまたは周波数がＳＣ−ＰＴＭをサポートすることを知る場合、測定がトリガされ、セル再選択を実行するためにセル再選択規則が使用され、または、ターゲットセルもしくは周波数のセルが直接測定され、閾値が再選択を満たす場合、または閾値が維持される場合、セルが再選択される。代わりに、サービスをサポートするセルが発見され、セルが再選択される。
【０４７２】
２３０６．端末が、ターゲットサービングセルについての情報を基地局に送信する。
【０４７３】
ターゲットサービングセルを決定した後で、端末は、端末に現在接続されている基地局に、ターゲットサービングセルのインデックスまたはＩＤを送信する。たとえば、この実施形態では、端末は、セルＡのインデックスまたはセルＩＤを基地局に送信し得る。代わりに、端末は、セルＡおよびセルＢのインデックスまたはセルＩＤを基地局に送信し得る。
【０４７４】
２３０７．端末が測定をトリガすることをスキップする。
【０４７５】
端末は、現在のソースサービングセルへの接続を維持し、セル測定を実行しない。
【０４７６】
この実施形態では、端末は、ターゲットサービングセルを決定し、測定データなどの情報を基地局にもはや報告せず、これにより、端末の電力消費を減らす。
【０４７７】
上記は、本出願の実施形態におけるデータ処理方法を説明する。以下は、本出願の実施形態における基地局およびコアネットワークデバイスを説明する。
【０４７８】
具体的には、図２４を参照すると、本出願の実施形態によるコアネットワークデバイスのある実施形態は、
受信モジュール２４０１および送信モジュール２４０２を含む。
【０４７９】
受信モジュール２４０１は、第１の指示メッセージを取得するように構成され、端末がセル変更またはセル再選択を完了したことを示すために第１の指示メッセージが使用される。
【０４８０】
送信モジュール２４０２は、ダウンリンクデータをターゲット基地局に送信するように構成され、ターゲット基地局は、端末がセル変更またはセル再選択を完了した後で接続される基地局である。
【０４８１】
前述の実施形態を参照すると、コアネットワークデバイスはさらに、処理モジュール２４０３を含む。処理モジュール２４０３は、ダウンリンクデータを保存し、第１のタイマーを始動するように構成され、ダウンリンクデータは、コアネットワークデバイスによってソース基地局に送信されるべきダウンリンクデータであり、ソース基地局は、セル変更を完了する前またはセル再選択を完了する前に端末が接続される基地局である。
【０４８２】
受信モジュール２４０１はさらに、第１のタイマーがタイムアウトしないとき、第１の指示メッセージを取得するように構成される。
【０４８３】
前述の実施形態を参照すると、処理モジュール２４０３はさらに、第１のタイマーがタイムアウトし受信モジュールが第１の指示メッセージを取得しない場合に保存されたダウンリンクデータを削除するように構成される。
【０４８４】
前述の実施形態を参照すると、受信モジュール２４０１はさらに、端末のフィードバック情報を受信するように構成される。
【０４８５】
処理モジュール２４０３はさらに、端末がダウンリンクデータを完全に受信したことをフィードバック情報が示す場合にダウンリンクデータを削除し、または、端末がダウンリンクデータを完全には受信していないことをフィードバック情報が示す場合にターゲット基地局へのダウンリンクデータの送信をトリガするように構成される。
【０４８６】
前述の実施形態を参照すると、受信モジュール２４０１はさらに、指示シグナリングを受信するように構成される。指示シグナリングは、端末がセル再選択を実行すべきであることまたは端末がセル変更を実行すべきであることを示すために使用される。
【０４８７】
処理モジュール２４０３はさらに、ダウンリンクデータをソース基地局に送信するのを止め、第２のタイマーを始動するように構成される。ダウンリンクデータは、ソース基地局へコアネットワークデバイスによって送信されることになるダウンリンクデータである。
【０４８８】
受信モジュール２４０１はさらに、第２のタイマーがタイムアウトしないとき、第１の指示メッセージを取得するように構成される。
【０４８９】
前述の実施形態を参照すると、処理モジュール２４０３はさらに、第２のタイマーがタイムアウトし受信モジュールが第１の指示メッセージを取得しない場合、ソース基地局へのダウンリンクデータの送信を再開するように構成される。
【０４９０】
前述の実施形態を参照すると、受信モジュール２４０１はさらに、指示シグナリングを受信するように構成される。
【０４９１】
送信モジュール２４０２はさらに、ターゲット基地局にダウンリンクデータを送信し始め、ダウンリンクデータをソース基地局に送信し続けるように構成される。ダウンリンクデータは、ソース基地局へコアネットワークデバイスによって送信されることになるダウンリンクデータである。
【０４９２】
処理モジュール２４０３はさらに、第３のタイマーを始動するように構成される。
【０４９３】
受信モジュール２４０１はさらに、第３のタイマーがタイムアウトしないとき、第１の指示メッセージを取得するように構成される。
【０４９４】
送信モジュール２４０２はさらに、ターゲット基地局にダウンリンクデータを送信し、ダウンリンクデータをソース基地局に送信するのを止めるように構成される。
【０４９５】
前述の実施形態を参照すると、処理モジュール２４０３はさらに、第１のタイマーがタイムアウトし受信モジュールが第１の指示メッセージを取得しない場合に保存されたダウンリンクデータを削除するように構成される。
【０４９６】
前述の実施形態を参照すると、受信モジュール２４０１はさらに、端末のフィードバック情報を受信するように構成される。
【０４９７】
処理モジュール２４０３はさらに、端末がダウンリンクデータを完全に受信したことをフィードバック情報が示す場合にダウンリンクデータを削除し、または、端末がダウンリンクデータを完全には受信していないことをフィードバック情報が示す場合にターゲット基地局へのダウンリンクデータの送信をトリガするように構成される。
【０４９８】
前述の実施形態を参照すると、処理モジュール２４０３はさらに、第３のタイマーがタイムアウトした後に第１の指示メッセージが取得されない場合、ダウンリンクデータをターゲット基地局に送信するのを止めるように構成される。
【０４９９】
さらに、図２４のサーバはさらに、図１から図２２のいずれか１つのコアネットワークデバイスによって実行されるあらゆるステップを実行し、図１から図２２のいずれか１つのコアネットワークデバイスによって実施されることができるあらゆる機能を実施するように構成され得る。
【０５００】
この実施形態では、端末がセル再選択またはセル変更を完了したことを示すメッセージを受信モジュール２４０１が受信した後で、送信モジュール２４０２はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５０１】
具体的には、図２５を参照すると、本出願の実施形態によるコアネットワークデバイスの別の実施形態は、
トランシーバ２５０１およびプロセッサ２５０２を含み、トランシーバ２５０１およびプロセッサ２５０２は、バス２５０３を使用することによって互いに接続される。
【０５０２】
バス２５０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略してＰＣＩ）バス、拡張インダストリスタンダードアーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略してＥＩＳＡ）バスなどであり得る。バスは、アドレスバス、データバス、制御バスなどを含み得る。表現を簡単にするために、図２５のバスは、１つの実線だけを使用することで表されているが、これは１つだけのバスまたは１つのタイプだけのバスがあることを示さない。
【０５０３】
プロセッサ２５０２は、中央処理装置（ｃｅｎｔｒａｌ  ｐｒｏｃｅｓｓｉｎｇ  ｕｎｉｔ、略してＣＰＵ）、ネットワークプロセッサ（ｎｅｔｗｏｒｋ  ｐｒｏｃｅｓｓｏｒ、略してＮＰ）、またはＣＰＵとＮＰの組合せであり得る。
【０５０４】
プロセッサ２５０２はさらに、ハードウェアチップを含み得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）、プログラマブル論理デバイス（ｐｒｏｇｒａｍｍａｂｌｅ  ｌｏｇｉｃ  ｄｅｖｉｃｅ、略してＰＬＤ）、またはこれらの組合せであり得る。前述のＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、略してＣＰＬＤ）、フィールドプログラマブル論理ゲートアレイ（ｆｉｌｅｄ−ｐｒｏｇｒａｍｍａｂｌｅ  ｇａｔｅ  ａｒｒａｙ、略してＦＰＧＡ）、汎用アレイ論理（ｇｅｎｅｒｉｃ  ａｒｒａｙ  ｌｏｇｉｃ、略してＧＡＬ）、またはこれらの任意の組合せであり得る。
【０５０５】
図２５に示されるように、コアネットワークデバイスはさらにメモリ２５０４を含み得る。メモリ２５０４はダウンリンクデータを保存するように構成される。メモリ２５０４は、ランダムアクセスメモリ（ｒａｎｄｏｍ−ａｃｃｅｓｓ  ｍｅｍｏｒｙ、略してＲＡＭ）などの揮発性メモリ（ｖｏｌａｔｉｌｅ  ｍｅｍｏｒｙ）を含み得る。メモリはさらに、フラッシュメモリ（ｆｌａｓｈ  ｍｅｍｏｒｙ）、ハードディスクドライブ（ｈａｒｄ  ｄｉｓｋ  ｄｒｉｖｅ、略してＨＤＤ）、またはソリッドステートドライブ（ｓｏｌｉｄ−ｓｔａｔｅ  ｄｒｉｖｅ、略してＳＳＤ）などの、不揮発性メモリ（ｎｏｎ−ｖｏｌａｔｉｌｅ  ｍｅｍｏｒｙ）を含み得る。メモリ２５０４はさらに、前述のタイプのメモリの組合せを含み得る。
【０５０６】
任意選択で、メモリ２５０４はさらに、プログラム命令を記憶するように構成され得る。プロセッサ２５０２は、図１から図２２のいずれか１つに示される実施形態の１つまたは複数のステップを実行するために、メモリ２５０４に記憶されているプログラム命令を呼び出し、または、前述の方法でコアネットワークデバイスの挙動の機能を実施するために、そのプログラム命令の任意選択の実装形態を呼び出し得る。
【０５０７】
前述の実施形態を参照すると、トランシーバ２５０１は、コアネットワークデバイスの中の受信モジュール２４０１および送信モジュール２４０２に対応する。トランシーバ２５０１は、前述の実施形態における、コアネットワークデバイスによるデータの受信および送信またはシグナリングのステップを実行する。
【０５０８】
前述の実施形態を参照すると、プロセッサ２５０２は、コアネットワークデバイスの中の処理モジュール２４０３に対応する。処理２５０２は、前述の実施形態における、コアネットワークデバイスの処理モジュール２４０３によって実行されるステップを実行する。
【０５０９】
この実施形態では、端末がセル再選択またはセル変更を完了したことを示すメッセージをトランシーバ２５０１が受信した後で、トランシーバ２５０１はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５１０】
具体的には、図２６を参照すると、本出願の実施形態による基地局のある実施形態は、
受信モジュール２６０１および送信モジュール２６０２を含む。
【０５１１】
受信モジュール２６０１は、第２の指示メッセージを取得するように構成される。第２の指示メッセージは、端末がセル変更を実行し始めることまたは端末がセル再選択を実行し始めることを示すために使用される。ソース基地局は、端末がセル再選択を完了する前またはセル変更を完了する前に端末が位置するソースサービングセルに対応する基地局である。
【０５１２】
送信モジュール２６０２はターゲット基地局にダウンリンクデータを送信するように構成されるので、ターゲット基地局はダウンリンクデータを端末に送信する。ターゲット基地局は、端末がセル再選択またはセル変更を完了した後のターゲットサービングセルに対応する基地局である。
【０５１３】
前述の実施形態を参照すると、第２の指示メッセージは、端末がセル再選択を完了したことを示す。
【０５１４】
受信モジュール２６０１はさらに、ターゲット基地局によって送信されるデータ送信指示メッセージまたは無線リンク障害指示メッセージを受信するように構成される。
【０５１５】
送信モジュール２６０２はさらに、第１の要求メッセージをターゲット基地局に送信するように構成される。
【０５１６】
受信モジュール２６０１はさらに、ターゲット基地局によって第２の指示メッセージとしてフィードバックされる第１の応答メッセージを受信するように構成される。
【０５１７】
前述の実施形態を参照すると、第２の指示メッセージは、端末がセル変更を実行し始めることを示す。
【０５１８】
送信モジュール２６０２はさらに、第２の要求メッセージをターゲット基地局に送信するように構成される。
【０５１９】
受信モジュール２６０１はさらに、ターゲット基地局によって第２の指示メッセージとしてフィードバックされる第２の応答メッセージを受信するように構成される。
【０５２０】
前述の実施形態を参照すると、送信モジュール２６０２はさらに、基地局間の相互接続インターフェースＸ２を使用することによって、ダウンリンクデータをターゲット基地局に送信するように構成される。
【０５２１】
さらに、図２６の基地局はさらに、図１から図２２のいずれか１つの基地局によって実行されるあらゆるステップを実行し、図１から図２２のいずれか１つの基地局によって実施されることができるあらゆる機能を実施するように構成され得る。
【０５２２】
この実施形態では、端末がセル再選択またはセル変更を完了したことを示すメッセージを受信モジュール２６０１が受信した後で、送信モジュール２６０２はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。  
具体的には、図２７を参照すると、本出願の実施形態による基地局の別の実施形態は、
トランシーバ２７０１およびプロセッサ２７０２を含み、トランシーバ２７０１およびプロセッサ２７０２は、バス２７０３を使用することによって互いに接続される。
【０５２３】
バス２７０３は、ＰＣＩバス、ＥＩＳＡバスなどであり得る。バスは、アドレスバス、データバス、制御バスなどを含み得る。表現を簡単にするために、図２７のバスは、１つの実線だけによって表されているが、これは１つだけのバスまたは１つのタイプだけのバスがあることを示さない。
【０５２４】
プロセッサ２７０２は、ＣＰＵ、ＮＰ、またはＣＰＵとＮＰの組合せであり得る。
【０５２５】
プロセッサ２７０２はさらに、ハードウェアチップを含み得る。ハードウェアチップは、ＡＳＩＣ、ＰＬＤ、またはこれらの組合せであり得る。前述のＰＬＤは、ＣＰＬＤ、ＦＰＧＡ、ＧＡＬ、またはこれらの任意の組合せであり得る。
【０５２６】
図２７に示されるように、基地局はさらにメモリ２７０４を含み得る。メモリ２７０４は、ＲＡＭなどの揮発性メモリ（ｖｏｌａｔｉｌｅ  ｍｅｍｏｒｙ）を含み得る。メモリはさらに、フラッシュメモリ（ｆｌａｓｈ  ｍｅｍｏｒｙ）、ＨＤＤ、またはＳＳＤなどの不揮発性メモリ（ｎｏｎ−ｖｏｌａｔｉｌｅ  ｍｅｍｏｒｙ）を含み得る。メモリ２７０４はさらに、前述のタイプのメモリの組合せを含み得る。
【０５２７】
任意選択で、メモリ２７０４はさらに、プログラム命令を記憶するように構成され得る。プロセッサ２７０２は、図１から図２２のいずれか１つに示される実施形態の１つまたは複数のステップを実行するために、メモリ２７０４に記憶されているプログラム命令を呼び出し、または、前述の方法で基地局の挙動の機能を実施するために、そのプログラム命令の任意選択の実装形態を呼び出し得る。
【０５２８】
前述の実施形態を参照すると、トランシーバ２７０１は、前述の実施形態のステップにおける基地局によるデータの受信および送信のステップを実行する。
【０５２９】
前述の実施形態を参照すると、プロセッサ２７０２は、前述の実施形態のステップにおける基地局によるデータの処理のステップを実行する。
【０５３０】
この実施形態では、端末がセル再選択またはセル変更を完了したことを示すメッセージをトランシーバ２７０１が受信した後で、トランシーバ２７０１はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５３１】
説明の便宜上、また説明を簡単にするために、前述のシステム、装置、およびユニットの詳細な作動プロセスについて、前述の方法の実施形態における対応するプロセスに対して参照が行われてもよく、詳細は本明細書で再び説明されないことが、当業者により明確に理解され得る。
【０５３２】
本出願において提供されるいくつかの実施形態では、開示されるシステム、装置、および方法は、他の方式で実装され得ることを理解されたい。たとえば、説明される装置の実施形態は例にすぎない。たとえば、ユニットの分割は、論理的な機能の分割にすぎず、実際の実装形態では他の分割であり得る。たとえば、複数のユニットまたは構成要素が別のシステムへと組み合わされ、もしくは統合されることがあり、または、いくつかの特徴は無視され、または実行されないことがある。加えて、表示または議論される、相互結合または直接結合または通信接続が、いくつかのインターフェースを使用することによって実施され得る。装置もしくはユニット間の間接結合または通信接続は、電気的な形式、機械的な形式、または他の形式で実装され得る。
【０５３３】
別々の部分として説明されるユニットは、物理的に別々であることもそうではないこともあり、ユニットとして表示される部分は、物理的なユニットであることもそうではないこともあり、１つの場所に位置することがあり、または、複数のネットワークユニットに分散されることがある。ユニットの一部またはすべてが、実施形態の解決法の目的を達成するために、実際の要件に従って選択され得る。
【０５３４】
加えて、本出願の実施形態における機能ユニットが１つの処理ユニットへと統合されることがあり、またはユニットの各々が物理的に単独で存在することがあり、または２つ以上のユニットが１つのユニットへと統合される。統合されたユニットは、ハードウェアの形式で実装されることがあり、または、ソフトウェア機能ユニットの形式で実装されることがある。
【０５３５】
統合されたユニットがソフトウェア機能ユニットの形式で実装され、独立の製品として販売または使用されるとき、統合されたユニットはコンピュータ可読記憶媒体に記憶され得る。そのような理解に基づいて、本出願の技術的な解決法が基本的に、または従来の技術に寄与する部分、または技術的な解決法のすべてもしくは一部が、ソフトウェア製品の形式で実装され得る。ソフトウェア製品は、記憶媒体に記憶され、本出願の実施形態において説明される方法のステップのすべてまたは一部を実行するようにコンピュータデバイス（パーソナルコンピュータ、サーバ、またはネットワークデバイスであり得る）に命令するための、いくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光学ディスクなどの、プログラムコードを記憶できる任意の媒体を含む。
【０５３６】
前述の実施形態は、本出願の技術的な解決法を説明することが意図されているにすぎず、本出願を限定することは意図されていない。本出願は前述の実施形態を参照して詳細に説明されるが、それでも、本出願の実施形態の技術的な解決法の趣旨および範囲から逸脱することなく、前述の実施形態において説明される技術的な解決法に修正を行い得ること、またはそれらのいくつかの技術的な特徴に等価な置換を行い得ることを、当業者は理解されたい。
【図１】
2019525640.tif 000003
【図２】
2019525640.tif 000004
【図３】
2019525640.tif 000005
【図４】
2019525640.tif 000006
【図５】
2019525640.tif 000007
【図６】
2019525640.tif 000008
【図７】
2019525640.tif 000009
【図８】
2019525640.tif 000010
【図９】
2019525640.tif 000011
【図１０】
2019525640.tif 000012
【図１１】
2019525640.tif 000013
【図１２】
2019525640.tif 000014
【図１３】
2019525640.tif 000015
【図１４】
2019525640.tif 000016
【図１５】
2019525640.tif 000017
【図１６】
2019525640.tif 000018
【図１７】
2019525640.tif 000019
【図１８】
2019525640.tif 000020
【図１９】
2019525640.tif 000021
【図２０】
2019525640.tif 000022
【図２１】
2019525640.tif 000023
【図２２】
2019525640.tif 000024
【図２３】
2019525640.tif 000025
【図２４】
2019525640.tif 000026
【図２５】
2019525640.tif 000027
【図２６】
2019525640.tif 000028
【図２７】
2019525640.tif 000029
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
狭帯域モノのインターネットに適用可能な方法であって、
端末デバイスによって、Ｓｉｎｇｌｅ−Ｃｅｌｌ  Ｐｏｉｎｔ−ｔｏ−Ｍｕｌｔｉｐｏｉｎｔ（ＳＣ−ＰＴＭ）サービスをサポートするための補償値を基地局から受信するステップと、
前記端末デバイスによって、ランキング機構を使用することによってセル再選択を実行するステップとを備え、前記ランキング機構が前記補償値を使用する、方法。
【請求項２】
端末デバイスによって、ＳＣ−ＰＴＭサービスをサポートするための補償値を基地局から受信する前記ステップが、
前記端末デバイスによって、ＳＣ−ＰＴＭサービスをサポートするための前記補償値を搬送するシステムブロードキャストメッセージを前記基地局から受信するステップを備える請求項１に記載の方法。
【請求項３】
前記端末デバイスによって、ＳＣ−ＰＴＭサービスをサポートするためのセルを選択するステップをさらに備える請求項１に記載の方法。
【請求項４】
狭帯域モノのインターネットに適用可能な方法であって、
基地局によって、ＳＣ−ＰＴＭサービスをサポートするための補償値を決定するステップと、
前記基地局によって、ＳＣ−ＰＴＭサービスをサポートするための前記補償値を、ランキング機構を使用することによりセル再選択を実行するための端末にブロードキャストするステップとを備え、前記ランキング機構が前記補償値を使用する、方法。
【請求項５】
前記補償値が端末デバイスによってセル再選択を実行するために使用される請求項４に記載の方法。
【請求項６】
狭帯域モノのインターネットに適用可能な装置であって、
プログラム命令を記憶するように構成されるメモリと、
ＳＣ−ＰＴＭサービスをサポートするための補償値をネットワークから受信するように構成される受信機と、
ランキング機構を使用することによってセル再選択を実行するように構成されるプロセッサとを備え、前記ランキング機構が前記補償値を使用する、装置。
【請求項７】
前記受信機が特に、
端末デバイスによって、ＳＣ−ＰＴＭサービスをサポートするための前記補償値を搬送するシステムブロードキャストメッセージを受信するように構成される請求項６に記載の装置。
【請求項８】
前記プロセッサがさらに、ＳＣ−ＰＴＭサービスをサポートするためのセルを選択するように構成される請求項６に記載の装置。
【請求項９】
狭帯域モノのインターネットに適用可能な装置であって、
プログラム命令を記憶するように構成されるメモリと、
ＳＣ−ＰＴＭサービスをサポートするための補償値を決定するように構成されるプロセッサと、
ＳＣ−ＰＴＭサービスをサポートするための前記補償値を、ランキング機構を使用することによりセル再選択を実行するための端末にブロードキャストするように構成される送信機とを備え、前記ランキング機構が前記補償値を使用する、装置。
【請求項１０】
前記補償値が端末デバイスによってセル再選択を実行するために使用される請求項９に記載の装置。
【請求項１１】
端末デバイスにより使用するためのプログラムコードを記憶する非一時的コンピュータ可読媒体であって、前記プログラムコードが、
ＳＣ−ＰＴＭサービスをサポートするための補償値を基地局から受信するための命令と、
ランキング機構を使用することによってセル再選択を実行するための命令とを備え、前記ランキング機構が前記補償値を使用する、非一時的コンピュータ可読媒体。
【請求項１２】
端末デバイスによって、ＳＣ−ＰＴＭサービスをサポートするための補償値を受信することが、
ＳＣ−ＰＴＭサービスをサポートするための前記補償値を搬送するシステムブロードキャストメッセージを受信することを含む請求項１１に記載の非一時的コンピュータ可読媒体。
【請求項１３】
前記プログラムコードが、ＳＣ−ＰＴＭサービスをサポートするためのセルを選択する命令をさらに備える請求項１１に記載の非一時的コンピュータ可読媒体。
【請求項１４】
基地局により使用するためのプログラムコードを記憶する非一時的コンピュータ可読媒体であって、前記プログラムコードが、
ＳＣ−ＰＴＭサービスをサポートするための補償値を決定するための命令と、
ＳＣ−ＰＴＭサービスをサポートするための前記補償値を、ランキング機構を使用することによりセル再選択を実行するための端末にブロードキャストするための命令とを備え、前記ランキング機構が前記補償値を使用する、非一時的コンピュータ可読媒体。
【請求項１５】
前記補償値が端末デバイスによってセル再選択を実行するために使用される請求項１４に記載の非一時的コンピュータ可読媒体。
【手続補正２】
【補正対象書類名】明細書
【補正対象項目名】全文
【補正方法】変更
【補正の内容】
【発明の詳細な説明】
【技術分野】
【０００１】
本出願は通信分野に関し、より具体的には、データ処理方法および関連するデバイスに関する。
【背景技術】
【０００２】
モバイル通信は人々の生活を大きく変えてきたが、人々はより高性能なモバイル通信を追求することを決して辞めない。モバイルデータトラフィックの爆発的な成長、大量のデバイス接続、様々な新しく出現するサービス、および未来の適用シナリオに対処するために、時代が必要とするので第５世代（５Ｇ）が出現する。５Ｇの構成部分として、モノのインターネットには急速に成長している市場需要がある。現在、３ＧＰＰ規格は、狭帯域技術の特性を十分に利用することによってモノのインターネット（Ｉｎｔｅｒｎｅｔ  ｏｆ  Ｔｈｉｎｇｓ：ＩｏＴ）サービスを提供するために、セルラーネットワークに基づく新しいエアインターフェースを設計することを研究している。そのようなタイプのＩｏＴは、狭帯域モノのインターネット（英語の完全な名称：Ｎａｒｒｏｗ  Ｂａｎｄ−Ｉｎｔｅｒｎｅｔ  ｏｆ  Ｔｈｉｎｇｓ、略してＮＢ−ＩｏＴ）と呼ばれる。しかしながら、ＮＢ−ＩｏＴのネットワーク、サービス、および端末の要件ならびに特性により、ネットワークアーキテクチャの設計にいくつかの新しい課題が課される。現在、モノのインターネットは、主に低モビリティの端末および適用例のために、アイドルモードにおけるモビリティ機能のみを実装する。しかしながら、モビリティを伴うモノのインターネットの要件も重要な要件である。したがって、接続モードにおけるモビリティの問題が解決される必要がある。
【０００３】
現在、接続モードにおいてＮＢ−ＩｏＴのモビリティを実装するために、ロングタームエボリューション（英語の完全な名称：Ｌｏｎｇ  Ｔｅｒｍ  Ｅｖｏｌｕｔｉｏｎ、略してＬＴＥ）のハンドオーバー手順が普通はＮＢ−ＩｏＴに適用される。
【０００４】
しかしながら、ＮＢ−ＩｏＴはパケットデータコンバージェンスプロトコル（英語の完全な名称：Ｐａｃｋｅｔ  Ｄａｔａ  Ｃｏｎｖｅｒｇｅｎｃｅ  Ｐｒｏｔｏｃｏｌ、略してＰＤＣＰ）を含まないので、ＮＢ−ＩｏＴは制御プレーン上でデータ送信を実行することができない。その結果、ターゲット基地局にアクセスした後で、端末は、ハンドオーバーの前に完全には受信されていないダウンリンクデータを、完全には受信することができない。
【発明の概要】
【０００５】
本出願の実施形態は、端末が、ターゲット基地局にアクセスした後で、ハンドオーバーまたは再選択の前に完全には受信されていないダウンリンクデータを完全に受信できることを事実上確実にするための、言い換えると、端末のダウンリンクデータが失われないことを事実上確実にし、それによって接続モードにおける端末のモビリティを確実にするための、データ処理方法および関連するデバイスを提供する。
【０００６】
第１の態様によれば、本出願のある実施形態は、コアネットワークデバイスが、端末がセル変更またはセル再選択を完了したことを示すために使用される第１の指示メッセージを取得することを含む、データ処理方法を提供する。次いで、コアネットワークデバイスは、端末がセル変更またはセル再選択を完了した後で接続されるターゲット基地局にダウンリンクデータを送信する。
【０００７】
本出願のこの実施形態において提供される技術的な解決法では、端末によるセル再選択の完了またはセル変更の完了に肯定応答した後で、コアネットワークデバイスは、ターゲット基地局にダウンリンクデータを送信する。このことは、ダウンリンクデータがセル変更またはセル再選択の後で失われないことを事実上確実にでき、それにより、モビリティ状態における端末の連続性を確実にする。
【０００８】
本出願のこの実施形態では、ダウンリンクデータを失わないようにするために、コアネットワークデバイスは、次のいくつかの方式でデータ処理を実行し得る。
【０００９】
ある可能な実装形態では、コアネットワークデバイスは、ソース基地局に送信されるべきダウンリンクデータを保存し、ダウンリンクデータを保存した後で第１のタイマーを始動する。ソース基地局は、セル変更を完了する前またはセル再選択を完了する前に端末が接続される基地局である。このようにして、コアネットワークデバイスは、第１のタイマーがタイムアウトしないとき、第１の指示メッセージを取得することができる。
【００１０】
本出願のこの実施形態において提供される技術的な解決法では、コアネットワークデバイスは、ソース基地局に送信されるべきダウンリンクデータを保存し、端末がターゲット基地局への接続を確立した後で保存されたダウンリンクデータをターゲット基地局に送信し、それにより、ダウンリンクデータが失われないことを事実上確実にし、さらに、モビリティ状態における端末の連続性を確実にする。
【００１１】
前述の方式に基づくと、第１のタイマーがタイムアウトした後でまだコアネットワークデバイスが第１の指示メッセージを取得しない場合、コアネットワークデバイスは保存されたダウンリンクデータを削除する。
【００１２】
本出願のこの実施形態において提供される技術的な解決法では、コアネットワークデバイスは、コアネットワークデバイスが第１の指示メッセージを取得しないとき、保存されたダウンリンクデータを削除するので、ストレージ負荷が事実上低減することができる。
【００１３】
前述の方式に基づくと、コアネットワークデバイスは、端末によってダウンリンクデータを受信することのステータスを示すために使用されるフィードバック情報を受信する。端末がダウンリンクデータを完全に受信したことをフィードバック情報が示す場合、コアネットワークデバイスはダウンリンクデータを削除する。端末がダウンリンクデータを完全には受信していないことをフィードバック情報が示す場合、コアネットワークデバイスはダウンリンクデータをターゲット基地局に送信することをトリガされる。
【００１４】
本出願のこの実施形態において提供される技術的な解決法では、コアネットワークデバイスは、端末によってダウンリンクデータを受信することの特定のステータスに基づいて特定の動作を実行し、それにより、ストレージ負荷を低減してコアネットワークデバイスの作業効率を改善することを助ける。
【００１５】
前述の方式に基づくと、コアネットワークデバイスによって取得される第１の指示メッセージは、初期ＵＥメッセージ、経路切替えメッセージ、または別のメッセージであり得る。
【００１６】
本出願のこの実施形態では、コアネットワークデバイスは、様々なシグナリングを使用することによって第１の指示メッセージを取得し得るので、コアネットワークデバイスの互換性および効率が事実上改善することができる。
【００１７】
別の可能な実装形態では、コアネットワークが第１の指示メッセージを取得する前に、コアネットワークデバイスは、端末がセル再選択またはセル変更を実行すべきであることを示すために使用される指示シグナリングを受信する。次いで、コアネットワークデバイスは、ダウンリンクデータをソース基地局に送信するのを止め、第２のタイマーを始動する。このダウンリンクデータは、ソース基地局へコアネットワークデバイスによって送信されることになるダウンリンクデータである。次いで、コアネットワークデバイスは、第２のタイマーがタイムアウトしないとき、第１の指示メッセージを取得する。
【００１８】
本出願のこの実施形態において提供される技術的な解決法では、端末がセル再選択を実行すべきであること、または端末がセル変更を実行すべきであることを示すために使用される指示シグナリングを受信した後で、コアネットワークデバイスは、ダウンリンクデータを送信するのを止め、そして、端末がターゲット基地局への接続を確立した後でターゲット基地局にダウンリンクデータを送信するので、ダウンリンクデータが失われないことが事実上確実にされることが可能であり、これによりモビリティ状態における端末の連続性を確実にする。
【００１９】
前述の方式に基づくと、第２のタイマーがタイムアウトした後でコアネットワークデバイスがまだ第１の指示メッセージを取得していない場合、言い換えると、端末がターゲット基地局へ接続されることに失敗した可能性がある場合、コアネットワークデバイスは、ソース基地局へのダウンリンクデータの送信を再開し始める。
【００２０】
本出願のこの実施形態において提供される技術的な解決法では、コアネットワークデバイスは、特定のステータスに基づいて特定の動作を実行することがあり、それにより、コアネットワークデバイスの作業効率を改善することを助ける。
【００２１】
前述の方式に基づくと、第１の指示メッセージは、アップリンク非アクセス層メッセージトランスポートＵＬ  ＮＡＳトランスポートメッセージまたは別のＳ１−ＡＰメッセージであり得る。これは本明細書では特に限定されない。
【００２２】
本出願のこの実施形態では、コアネットワークデバイスは、様々なシグナリングを使用することによって第１の指示メッセージを取得し得るので、コアネットワークデバイスの互換性および効率が実質的に改善することができる。
【００２３】
別の可能な実装形態では、第１の指示メッセージを取得する前に、コアネットワークデバイスは、端末がセル再選択を実行すべきであることまたは端末がセル変更を実行すべきであることを示すために使用される指示シグナリングを受信する。次いで、コアネットワークデバイスは、ターゲット基地局にダウンリンクデータを送信し始め、ソース基地局にダウンリンクデータを送信し続け、第３のタイマーを始動する。このダウンリンクデータは、ソース基地局へコアネットワークデバイスによって送信されることになるダウンリンクデータである。続いて、コアネットワークデバイスは、第３のタイマーがタイムアウトしないとき、第１の指示メッセージを取得する。最後に、第３のタイマーがタイムアウトしないときにコアネットワークデバイスが第１の指示メッセージを取得する場合、コアネットワークデバイスは、ダウンリンクデータをターゲット基地局に送信し、ダウンリンクデータをソース基地局に送信するのを止める。
【００２４】
本出願のこの実施形態において提供される技術的な解決法では、コアネットワークデバイスは、ソース基地局とターゲット基地局の両方にダウンリンクデータを送信し得るので、ダウンリンクデータが失われないことが事実上確実にされることが可能であり、それにより、モビリティ状態における端末の連続性を確実にする。
【００２５】
前述の方式に基づくと、第３のタイマーがタイムアウトした後でコアネットワークデバイスがまだ第１の指示メッセージを取得していない場合、言い換えると、端末がターゲット基地局へ接続されることに失敗した可能性がある場合、コアネットワークデバイスは、ターゲット基地局へダウンリンクデータを送信するのを止める。
【００２６】
本出願のこの実施形態において提供される技術的な解決法では、コアネットワークデバイスは、特定のステータスに基づいて特定の動作を実行することがあり、それにより、コアネットワークデバイスの作業効率を改善することを助ける。
【００２７】
前述の方式に基づくと、第１の指示メッセージは、ＵＬ  ＮＡＳトランスポートメッセージまたは別のＳ１−ＡＰメッセージであり得る。
【００２８】
本出願のこの実施形態では、コアネットワークデバイスは、様々なシグナリングを使用することによって第１の指示メッセージを取得し得るので、コアネットワークデバイスの互換性および効率が事実上改善することができる。
【００２９】
ある可能な実装形態では、コアネットワークデバイスは、モビリティ管理エンティティ（英語の完全な名称：Ｍｏｂｉｌｉｔｙ  Ｍａｎａｇｅｍｅｎｔ  Ｅｎｔｉｔｙ、略してＭＭＥ）であり得る。
【００３０】
実際の適用形態では、代わりに、コアネットワークデバイスは別のエンティティ装置であり得る。具体的なエンティティ装置は本明細書では限定されない。
【００３１】
第２の態様によれば、本出願のある実施形態は、端末がセル再選択を完了する前またはセル変更を完了する前に端末が位置するソースサービングセルに対応するソース基地局が、端末がセル変更を実行し始めることまたは端末がセル再選択を実行し始めることを示すために使用される第２の指示メッセージを取得することを含む、データ処理方法を提供する。次いで、ソース基地局は、端末がセル再選択またはセル変更を完了した後でターゲットサービングセルに対応するターゲット基地局にダウンリンクデータを送信するので、ターゲット基地局はダウンリンクデータを端末に送信する。
【００３２】
本出願のこの実施形態では、ソース基地局とターゲット基地局との間のデータ送信は、ダウンリンクデータが失われないことが事実上確実にでき、それにより、モビリティ状態における端末の連続性を確実にする。
【００３３】
ある可能な設計方式では、端末がセル再選択を完了したことを第２の指示メッセージが示すとき、ソース基地局は、ターゲット基地局によって送信されるデータ送信指示メッセージまたは無線リンク障害指示メッセージを受信する。次いで、ソース基地局は、第１の要求メッセージをターゲット基地局に送信する。最後に、ソース基地局は、ターゲット基地局によって第２の指示メッセージとしてフィードバックされる第１の応答メッセージを受信する。第１の要求メッセージはハンドオーバー要求メッセージであり、第１の応答メッセージはハンドオーバー肯定応答メッセージである。第１の要求メッセージおよび第１の応答メッセージは各々、Ｘ２−ＡＰメッセージであり得る。第１の要求メッセージがハンドオーバー要求メッセージである場合、ハンドオーバー要求メッセージにおける情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答メッセージを受信しないデータであり、または、送信されないデータであり得る。第１の要求メッセージはハンドオーバー要求メッセージであり、ハンドオーバー要求における情報要素は、ターゲット基地局にダウンリンクデータを送信するために使用され得る。このダウンリンクデータは、ソース基地局がそれに対する受信肯定応答メッセージを受信しないデータであり、または、送信されないデータであり得る。
【００３４】
当然、第１の要求メッセージおよび第２の応答メッセージは別のタイプのメッセージであり得る。具体的なステータスは本明細書では限定されない。
【００３５】
ある可能な設計方式では、端末がセル変更を実行し始めることを示すために第２の指示メッセージが使用されるとき、ソース基地局は第２の要求メッセージをターゲット基地局に送信する。最後に、ソース基地局は、ターゲット基地局によって第２の指示メッセージとしてフィードバックされる第２の応答メッセージを受信する。第２の要求メッセージはハンドオーバー要求メッセージであり、第２の応答メッセージはハンドオーバー肯定応答メッセージである。第２の要求メッセージおよび第２の応答メッセージは各々、Ｘ２−ＡＰメッセージであり得る。第２の要求メッセージがハンドオーバー要求メッセージである場合、ハンドオーバー要求メッセージにおける情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答メッセージを受信しないデータであり、または、送信されないデータであり得る。第２の要求メッセージはハンドオーバー要求メッセージであり、ハンドオーバー要求における情報要素は、ターゲット基地局にダウンリンクデータを送信するために使用され得る。このダウンリンクデータは、ソース基地局がそれに対する受信肯定応答メッセージを受信しないデータであり、または、送信されないデータであり得る。
【００３６】
当然、第２の要求メッセージおよび第２の応答メッセージは別のタイプのメッセージであり得る。具体的なステータスは本明細書では限定されない。
【００３７】
本出願のこの実施形態において提供される技術的な解決法では、ソース基地局は特定の指示メッセージに基づいて特定の動作を実行するので、ソース基地局の作業効率が事実上改善することができる。
【００３８】
ある可能な設計方式では、ソース基地局は、基地局間の相互接続インターフェースＸ２を使用することによって、ダウンリンクデータをターゲット基地局に送信する。
【００３９】
当然、ダウンリンクデータをターゲット基地局に送信する前に、ソース基地局は、コアネットワークデバイスによって送信されるダウンリンクデータを受信する。データ送信の間、基地局はデータだけを送信し、シグナリングを転送しない。したがって、ＮＡＳ情報を基地局に送信するとき、コアネットワークデバイスは、データまたはシグナリングが送信されるかどうかをソース基地局に示すことが必要である。
【００４０】
別の可能な実装形態では、第２の指示メッセージは、アップリンク直接転送メッセージＵＬ情報転送または別の無線リソース制御ＲＲＣメッセージである。具体的なメッセージ形式は本明細書では限定されない。
【００４１】
上記は、ソース基地局およびターゲット基地局が同じコアネットワークデバイスに接続されるシナリオだけを説明する。実際の適用形態では、ソース基地局およびターゲット基地局は異なるコアネットワークデバイスに接続され得る。以下は複数のコアネットワークデバイスにまたがるシナリオを説明する。
【００４２】
第３の態様によれば、本出願のある実施形態は、ソースコアネットワークデバイスが、端末がサービングセルを変更すべきであることまたはターゲットコアネットワークデバイスがダウンリンクデータを送信することを要求することを示すために使用される第３の指示メッセージを取得することを含む、データ処理方法を提供する。ソースコアネットワークデバイスは、端末がセル再選択またはセル変更の前に接続を確立するソース基地局へ接続されるコアネットワークデバイスである。ターゲットコアネットワークデバイスは、端末がセル再選択またはセル変更の後でそれへの接続を確立するターゲット基地局へ接続されるコアネットワークデバイスである。次いで、ソースコアネットワークデバイスはダウンリンクデータをターゲットコアネットワークデバイスに送信するので、ターゲットコアネットワークデバイスはダウンリンクデータをターゲット基地局に送信する。
【００４３】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００４４】
本出願のこの実施形態では、ダウンリンクデータを失わないようにするために、コアネットワークデバイスは、次のいくつかの方式でデータ処理を実行し得る。
【００４５】
ある可能な実装形態では、ソースコアネットワークデバイスは、ダウンリンクデータを保存して第１のタイマーを始動する。ダウンリンクデータは、ソース基地局を使用することによってソースコアネットワークデバイスによって送信されるダウンリンクデータである。第１のタイマーがタイムアウトし、ソースコアネットワークデバイスが第１の指示メッセージを取得しない場合、ソースコアネットワークデバイスはダウンリンクデータを削除する。第１のタイマーがタイムアウトせず、ソースコアネットワークデバイスが第１の指示メッセージを取得する場合、ソースコアネットワークデバイスはダウンリンクデータをターゲットコアネットワークデバイスに送信することをトリガされる。
【００４６】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００４７】
前述の方式に基づくと、ターゲットコアネットワークデバイスがダウンリンクデータを送信することを要求することを第１の指示メッセージが示すとき、ソースコアネットワークデバイスは、ターゲットコアネットワークデバイスによって送信されデータ送信チャネルを作成するようにソースコアネットワークデバイスに命令するために使用される、第１の要求メッセージを受信する。第１の要求メッセージは、ターゲットコアネットワークデバイスに接続されるターゲット基地局から第１の指示情報を受信した後で、ターゲットコアネットワークデバイスによって送信される。第１の指示情報は、ターゲットコアネットワークデバイスがソースコアネットワークデバイスからダウンリンクデータを取得することが必要であることを示すために使用される。次いで、ソースコアネットワークデバイスは、データ送信チャネルをセットアップするための第１の応答メッセージを、ターゲットコアネットワークデバイスに送信する。最後に、ソースコアネットワークデバイスは、ダウンリンクデータをターゲットコアネットワークデバイスに送信する。
【００４８】
第１の要求メッセージは、データ転送トンネル作成要求であり得る。第１の応答メッセージは、データ転送トンネル作成応答であり得る。具体的なシグナリング形式は本明細書では限定されない。
【００４９】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５０】
前述の方式に基づくと、ターゲットコアネットワークデバイスがダウンリンクデータを送信することを要求することを第１の指示メッセージが示すとき、ソースコアネットワークデバイスは、ターゲットコアネットワークデバイスによって送信されデータ送信チャネルを作成するようにソースコアネットワークデバイスに命令するために使用される、第２の要求メッセージを受信する。第２の要求メッセージは、第１の指示情報を受信した後でターゲットコアネットワークデバイスによって送信される。次いで、ソースコアネットワークデバイスは、データ送信チャネルを作成するための第２の応答メッセージを、ターゲットコアネットワークデバイスに送信する。第２の応答メッセージはダウンリンクデータを搬送する。
【００５１】
第２の要求メッセージは、データ転送トンネル作成要求であり得る。第２の応答メッセージは、データ転送トンネル作成応答であり得る。具体的なシグナリング形式は本明細書では限定されない。
【００５２】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５３】
前述の方式に基づくと、ターゲットコアネットワークデバイスがダウンリンクデータを送信することを要求することを第１の指示メッセージが示すとき、ソースコアネットワークデバイスは、ターゲットコアネットワークデバイスによって送信されダウンリンクデータを要求するために使用される、第３の要求メッセージを受信する。第３の要求メッセージは、第１の指示情報を受信した後でターゲットコアネットワークデバイスによって送信される。次いで、ソースコアネットワークデバイスは、第３の応答メッセージをターゲットコアネットワークデバイスに送信する。第３の応答メッセージはダウンリンクデータを搬送する。
【００５４】
第３の要求メッセージは、コンテキストおよびデータ要求であり得る。第３の応答メッセージは、コンテキストおよびデータ応答であり得る。具体的なシグナリング形式は本明細書では限定されない。
【００５５】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５６】
前述の方式に基づくと、端末がセル変更を実行すると第１の指示メッセージが示すとき、ソースコアネットワークデバイスは、ソースコアネットワークデバイスに接続されるソース基地局によって送信されるハンドオーバー要求を受信する。ハンドオーバー要求は、ターゲットコアネットワークデバイスについての情報を含む。次いで、ソースコアネットワークデバイスは、ターゲットコアネットワークデバイスについての情報に基づいて、データ割振り要求をターゲットコアネットワークデバイスに送信する。次いで、ソースコアネットワークデバイスは、第１の指示情報としてターゲットコアネットワークデバイスによってフィードバックされるデータ割振り応答を受信する。データ割振り応答は、ターゲット基地局によってフィードバックされるハンドオーバー応答を受信した後で、ターゲットコアネットワークデバイスによって送信される。次いで、ソースコアネットワークデバイスは、データ送信チャネルを作成するようにターゲットコアネットワークデバイスに命令するために使用される第４の要求情報を、ターゲットコアネットワークデバイスに送信する。次いで、ソースコアネットワークデバイスは、データ送信チャネルを作成するための、ターゲットコアネットワークデバイスによってフィードバックされる第４の応答メッセージを受信する。最後に、ソースコアネットワークデバイスは、ダウンリンクデータをターゲットコアネットワークデバイスに送信する。
【００５７】
データ割振り要求は、ｆｏｒｗａｒｄ  ｒｅｌｏｃａｔｉｏｎ  ｒｅｑｕｅｓｔであり得る。データ割振り応答は、ｆｏｒｗａｒｄ  ｒｅｌｏｃａｔｉｏｎ  ｒｅｓｐｏｎｓｅであり得る。第４の要求情報は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔ  ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。第４の応答メッセージは、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅ  ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリング形式は本明細書では限定されない。
【００５８】
本出願のこの実施形態において提供される技術的な解決法では、端末がサービングセルを変更すべきである事例、またはターゲットコアネットワークデバイスがダウンリンクデータを送信することを要求する事例に肯定応答した後で、コアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００５９】
前述の方式に基づくと、端末がセル変更を実行すると第１の指示メッセージが示すとき、ソースコアネットワークデバイスは、ソースコアネットワークデバイスに接続されるソース基地局によって送信されるハンドオーバー要求を受信する。ハンドオーバー要求は、ターゲットコアネットワークデバイスについての情報を含む。次いで、ソースコアネットワークデバイスは、ターゲットコアネットワークデバイスについての情報に基づいて、データ割振り要求をターゲットコアネットワークデバイスに送信する。次いで、ソースコアネットワークデバイスは、第１の指示情報としてターゲットコアネットワークデバイスによってフィードバックされるデータ割振り応答を受信する。データ割振り応答は、ターゲット基地局によってフィードバックされるハンドオーバー応答を受信した後で、ターゲットコアネットワークデバイスによって送信される。次いで、ソースコアネットワークデバイスは、ターゲットコアネットワークデバイスによって送信される第５の要求情報を受信する。第５の要求情報はダウンリンクデータを要求するために使用される。最後に、ソースコアネットワークデバイスは、第５の応答メッセージをターゲットコアネットワークデバイスに送信する。第５の応答メッセージはダウンリンクデータを搬送する。
【００６０】
データ割振り要求は、ｆｏｒｗａｒｄ  ｒｅｌｏｃａｔｉｏｎ  ｒｅｑｕｅｓｔ  ｆｏｒｗａｒｄ  ｒｅｌｏｃａｔｉｏｎ  ｒｅｑｕｅｓｔであり得る。データ割振り応答は、ｆｏｒｗａｒｄ  ｒｅｌｏｃａｔｉｏｎ  ｒｅｓｐｏｎｓｅであり得る。第５の要求情報は、コンテキストおよびデータ要求であり得る。第５の応答メッセージは、コンテキストおよびデータ応答であり得る。具体的なシグナリング形式は本明細書では限定されない。
【００６１】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６２】
前述の方式に基づくと、ソースコアネットワークデバイスはさらに、端末によってダウンリンクデータを受信することのステータスを示すために使用されるフィードバック情報を受信し得る。端末がダウンリンクデータを完全に受信したことをフィードバック情報が示す場合、ソースコアネットワークデバイスはダウンリンクデータを削除する。端末がダウンリンクデータを完全には受信していないことをフィードバック情報が示す場合、ソースコアネットワークデバイスはダウンリンクデータをターゲットコアネットワークデバイスに送信することをトリガされる。
【００６３】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６４】
別の実装形態では、ソースコアネットワークデバイスは、端末がセル再選択を実行すべきであることまたは端末がセル変更を実行すべきであることを示すために使用される指示シグナリングを受信する。次いで、ソースコアネットワークデバイスは、ダウンリンクデータをソース基地局に送信するのを止め、第２のタイマーを始動する。最後に、ソースコアネットワークデバイスは、第２のタイマーがタイムアウトしないとき、第１の指示メッセージを取得する。
【００６５】
指示シグナリングは、アップリンク非アクセス層トランスポートメッセージＵＬ  ＮＡＳトランスポート、または基地局とコアネットワークデバイスとの間の別のアップリンクメッセージである。具体的なシグナリング形式は本明細書では限定されない。
【００６６】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００６７】
前述の方式に基づくと、第２のタイマーがタイムアウトし、ソースコアネットワークデバイスが第１の指示メッセージを取得しない場合、ソースコアネットワークデバイスはダウンリンクデータをソース基地局に送信する。
【００６８】
前述の方式に基づくと、ソースコアネットワークデバイスは、ターゲットコアネットワークデバイスによって送信され、データ送信チャネルを作成するようにソースコアネットワークデバイスに命令する、第６の要求情報を受信する。第６の要求情報は、ターゲット基地局から第２の指示情報を受信した後で、ターゲットコアネットワークデバイスによって送信される。第２の指示情報は、端末がセル再選択を完了したこと、または端末がセル変更を完了したことと、ターゲットコアネットワークデバイスがソースコアネットワークデバイスからダウンリンクデータを取得する必要があることとを示すために使用される。次いで、ソースコアネットワークデバイスは、データ送信チャネルを作成するための第６の応答メッセージを、ターゲットコアネットワークデバイスに送信する。最後に、ソースコアネットワークデバイスは、ダウンリンクデータをターゲットコアネットワークデバイスに送信する。
【００６９】
第６の要求情報は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔ  ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。第６の応答メッセージは、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅ  ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリング形式は本明細書では限定されない。
【００７０】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７１】
前述の方式に基づくと、ソースコアネットワークデバイスは、ターゲットコアネットワークデバイスによって送信され、ソースコアネットワークデバイスからのダウンリンクデータを要求するために使用される、第７の要求情報を受信する。第７の要求情報は、第２の指示情報を受信した後でターゲットコアネットワークデバイスによって送信される。次いで、ソースコアネットワークデバイスは、データ送信チャネルを作成するための第７の応答メッセージを、ターゲットコアネットワークデバイスに送信する。第７の応答メッセージはダウンリンクデータを搬送する。
【００７２】
第７の要求情報は、コンテキストおよびデータ要求であり得る。第７の応答メッセージは、コンテキストおよびデータ応答であり得る。
【００７３】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７４】
別の可能な実装形態では、端末がセル再選択を実行すべきであること、または端末がセル変更を実行すべきであることを示すために使用される指示シグナリングを受信した後で、ソースコアネットワークデバイスは、ターゲット基地局を使用することによってダウンリンクデータを端末に送信し始め、ソース基地局を使用することによってダウンリンクデータを端末に送信し始め、第３のタイマーを始動する。第３のタイマーがタイムアウトしないときにソースコアネットワークデバイスが第１の指示メッセージを取得する場合、ソースコアネットワークデバイスは、ソース基地局を使用することによってダウンリンクデータを端末に送信するのを止める。第３のタイマーがタイムアウトした後でソースコアネットワークデバイスが第１の指示メッセージを取得しない場合、ソースコアネットワークデバイスは、ターゲット基地局を使用することによってダウンリンクデータを端末に送信するのを止める。
【００７５】
本出願のこの実施形態において提供される技術的な解決法では、端末がサービングセルを変更すべきである事例、またはターゲットコアネットワークデバイスがダウンリンクデータを送信することを要求する事例に肯定応答した後で、ソースコアネットワークデバイスは３つのダウンリンクデータをターゲットコアネットワークデバイスに送信し、ターゲットコアネットワークデバイスは次いでダウンリンクデータをターゲット基地局に送信するので、セル変更またはセル再選択の後でダウンリンクデータが失われないことが事実上確実にされることが可能であり、それによってモビリティ状態における端末の連続性を確実にする。
【００７６】
ソースコアネットワークデバイスおよびターゲットコアネットワークデバイスは各々、ＭＭＥであり得る。実際の適用形態では、代わりに、ソースコアネットワークデバイスおよびターゲットコアネットワークデバイスは、他のエンティティ装置であり得る。具体的なエンティティ装置は本明細書では限定されない。
【００７７】
第４の態様によれば、本出願のある実施形態は、セル再選択またはセル変更の前に端末が位置するソースサービングセルに対応するソース基地局が、端末がセル変更を実行すべきであることまたは端末がセル再選択を完了したことを示すために使用される第２の指示メッセージを取得することを含む、データ処理方法を提供する。ソース基地局は、端末がセル再選択またはセル変更を完了した後でターゲットサービングセルに対応するターゲット基地局にダウンリンクデータを送信するので、ターゲット基地局はダウンリンクデータを端末に送信する。
【００７８】
本出願のこの実施形態では、ソース基地局とターゲット基地局との間のデータ送信は、ダウンリンクデータが失われないことが事実上確実にでき、それにより、モビリティ状態における端末の連続性を確実にする。
【００７９】
ある可能な設計方式では、端末がセル再選択を完了したことを第２の指示メッセージが示すとき、ソース基地局は、ターゲット基地局によって送信されるセル再選択もしくはセル変更指示メッセージまたは無線リンク障害指示メッセージを受信する。次いで、ソース基地局は、第１の要求メッセージをターゲット基地局に送信する。最後に、ソース基地局は、ターゲット基地局によって第２の指示メッセージとしてフィードバックされる第２の応答メッセージを受信する。第１の要求メッセージはハンドオーバー要求メッセージであり、第１の応答メッセージはハンドオーバー肯定応答メッセージである。第１の要求メッセージおよび第１の応答メッセージは各々、Ｘ２−ＡＰメッセージであり得る。第１の要求メッセージがハンドオーバー要求メッセージである場合、ハンドオーバー要求メッセージにおける情報要素が、ターゲット基地局に送信されるべきダウンリンクデータがあるかどうかを示すために使用される。もしあれば、ソース基地局は、ハンドオーバー肯定応答メッセージを受信した後で、ダウンリンクデータをターゲット基地局に送信する。このダウンリンクデータは、ソース基地局がそれに対する受信肯定応答メッセージを受信しないデータであり、または、送信されないデータであり得る。第１の要求メッセージはハンドオーバー要求メッセージであり、ハンドオーバー要求における情報要素は、ターゲット基地局へのダウンリンクデータを送信するために使用され得る。このダウンリンクデータは、ソース基地局がそれに対する受信肯定応答メッセージを受信しないデータであり、または、送信されないデータであり得る。
【００８０】
当然、第２の要求メッセージおよび第２の応答メッセージは別のタイプのメッセージであり得る。具体的なステータスは本明細書では限定されない。
【００８１】
ある可能な設計方式では、端末がセル変更を実行し始めることを示すために第２の指示メッセージが使用されるとき、ソース基地局は第２の要求メッセージをターゲット基地局に送信する。最後に、ソース基地局は、ターゲット基地局によって第２の指示メッセージとしてフィードバックされる第２の応答メッセージを受信する。第２の要求メッセージはハンドオーバー要求メッセージであり、第２の応答メッセージはハンドオーバー肯定応答メッセージである。第２の要求メッセージおよび第２の応答メッセージは各々、Ｘ２−ＡＰメッセージであり得る。第２の要求メッセージがハンドオーバー要求メッセージである場合、ハンドオーバー要求メッセージにおける情報要素が、ターゲット基地局に送信されるべきダウンリンクデータがあるかどうかを示すために使用される。もしあれば、ソース基地局は、ハンドオーバー要求メッセージを受信した後で、ダウンリンクデータをターゲット基地局に送信する。このダウンリンクデータは、ソース基地局がそれに対する受信肯定応答メッセージを受信しないデータであり、または、送信されないデータであり得る。第２の要求メッセージはハンドオーバー要求メッセージであり、ハンドオーバー要求における情報要素は、ターゲット基地局へのダウンリンクデータを送信するために使用され得る。このダウンリンクデータは、ソース基地局がそれに対する受信肯定応答メッセージを受信しないデータであり、または、送信されないデータであり得る。
【００８２】
当然、第２の要求メッセージおよび第２の応答メッセージは別のタイプのメッセージであり得る。具体的なステータスは本明細書では限定されない。
【００８３】
本出願のこの実施形態において提供される技術的な解決法では、ソース基地局は特定の指示メッセージに基づいて特定の動作を実行するので、ソース基地局の作業効率が事実上改善することができる。
【００８４】
ある可能な設計方式では、ソース基地局は、基地局間の相互接続インターフェースＸ２を使用することによって、ダウンリンクデータをターゲット基地局に送信する。
【００８５】
当然、ダウンリンクデータをターゲット基地局に送信する前に、ソース基地局は、コアネットワークデバイスによって送信されるダウンリンクデータを受信する。データ送信の間、基地局はデータだけを送信し、シグナリングを転送しない。したがって、ＮＡＳ情報を基地局に送信するとき、コアネットワークデバイスは、データまたはシグナリングが送信されるかどうかをソース基地局に示すことが必要である。
【００８６】
別の可能な実装形態では、第２の指示メッセージは、アップリンク直接転送メッセージＵＬ情報転送または別の無線リソース制御ＲＲＣメッセージである。具体的なメッセージ形式は本明細書では限定されない。
【００８７】
第５の態様によれば、本出願のある実施形態は、端末が現在のソースサービングセルに接続されるときに、端末が現在のソースサービングセルの第１の品質パラメータを取得することを含む、セル取得方法を提供する。第１の品質パラメータが第１のあらかじめ設定された閾値未満である場合、端末は測定セルセットを取得する。次いで、端末は、測定セルセットの中の測定セルを測定して、第２の品質パラメータセットを取得する。最後に、端末は、セル再選択規則に従って、第２のあらかじめ設定された閾値または第２の品質パラメータに基づいて計算および分類を実行し、第２の品質パラメータセットにおいて、第２の品質パラメータに対応するターゲットサービングセルを決定する。
【００８８】
本出願のこの実施形態において提供される技術的な解決法では、端末はターゲットサービングセルを決定し、これにより、接続モードにおいて測定エネルギー消費を減らし、端末の電力消費を減らす。
【００８９】
ある可能な実装形態では、測定セルセットは、アイドルモードにおいて端末による測定を通じて取得されあらかじめ設定された値を超える品質パラメータを伴うセル、アイドル状態において端末による測定を通じて取得され高位にある品質パラメータを伴うセル、端末が接続されることができるセル、端末によって受信されるブロードキャストメッセージの中のセルリストの中のセル、および端末によって受信されるブロードキャストメッセージの中の周波数情報に関するセルのうちの少なくとも１つを含む。
【００９０】
本出願のこの実施形態において提供される技術的な解決法では、セル選択範囲が集中的に測定され、これにより、端末測定の量を減らし、端末の電力消費を減らす。
【００９１】
ある可能な実装形態では、端末は、アップリンク直接転送（uplink direct transfer）メッセージを使用することによって、現在のソースサービングセルに対応するソース基地局にターゲットサービングセルについての情報を報告する。ターゲットサービングセルについての情報は、ターゲットサービングセルの識別子ＩＤまたはターゲットサービングセルのインデックス値を含み得る。
【００９２】
ある可能な実装形態では、端末が、アップリンク直接転送メッセージを使用することによって、現在のソースサービングセルに対応するソース基地局にターゲットサービングセルを報告した後で、ソース基地局はターゲット基地局を決定し得る。次いで、ソース基地局は、ハンドオーバー要求メッセージをターゲット基地局に送信する。ソース基地局は、ターゲット基地局によってフィードバックされるハンドオーバー応答メッセージを受信する。端末は、ＲＲＣ接続解放（RRC connection release）メッセージまたはダウンリンク直接転送（downlink direct transfer）メッセージを使用することによって、ソース基地局に送信されるターゲットサービングセルについての情報を受信する。端末は、ＲＲＣ接続セットアップ完了（RRC connection setup complete）メッセージ、ＲＲＣ接続再構成完了（RRC reconfiguration complete）メッセージ、およびアップリンク直接転送メッセージのうちの少なくとも１つを使用することによって、ターゲット基地局にセル変更肯定応答（cell change acknowledgment）メッセージを送信する。
【００９３】
前述の方式に基づくと、端末がターゲット基地局への接続をセットアップするとき、端末は、接続をセットアップする理由を、対応するシグナリングを使用することによってターゲット基地局に示し得る。接続の理由は、端末がセル再選択を実行すべきであること、または端末がセル変更を実行すべきであること、または端末がネットワークから切断されて再接続を必要としていることなどであり得る。具体的な理由は本明細書では限定されない。その上、端末は様々なタイプのシグナリングを使用し得る。これは本明細書では限定されない。
【００９４】
前述の方式に基づくと、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムブロードキャストは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージのサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【００９５】
第６の態様によれば、本出願の実施形態はコアネットワークデバイスを提供する。コアネットワークデバイスは、前述の方法でコアネットワークデバイスを実装することの機能を有する。この機能は、ハードウェアによって実装されることがあり、または対応するソフトウェアを実行するハードウェアによって実装されることがある。ハードウェアまたはソフトウェアは、前述の機能に対応する１つまたは複数のモジュールを含む。
【００９６】
ある可能な実装形態では、コアネットワークデバイスは、
第１の指示メッセージを取得するように構成される受信モジュールであって、端末がセル変更またはセル再選択を完了したことを示すために第１の指示メッセージが使用される、受信モジュールと、
ダウンリンクデータをターゲット基地局に送信するように構成される送信モジュールであって、ターゲット基地局が、端末がセル変更またはセル再選択の後で接続される基地局である、送信モジュールとを含む。
【００９７】
別の可能な実装形態では、コアネットワークデバイスは、
トランシーバと、プロセッサと、バスとを含み、
トランシーバおよびプロセッサがバスを使用して互いに接続され、
トランシーバが、第１の指示メッセージを取得するステップであって、端末がセル変更またはセル再選択を完了したことを示すために第１の指示メッセージが使用される、ステップと、ダウンリンクデータをターゲット基地局に送信するステップであって、ターゲット基地局が、端末がセル変更またはセル再選択を完了した後で接続される基地局である、ステップとを実行する。
【００９８】
第７の態様によれば、本出願の実施形態は基地局を提供する。基地局は、前述の方法で基地局を実装することの機能を有する。この機能は、ハードウェアによって実装されることがあり、または対応するソフトウェアを実行するハードウェアによって実装されることがある。ハードウェアまたはソフトウェアは、前述の機能に対応する１つまたは複数のモジュールを含む。
【００９９】
ある可能な実装形態では、基地局は、
第２の指示メッセージを取得するように構成される受信モジュールであって、第２の指示メッセージが、端末がセル変更を実行し始めること、または端末がセル再選択を実行し始めることを示すために使用され、ソース基地局が、端末がセル再選択を完了する前またはセル変更を完了する前に位置するソースサービングセルに対応する基地局である、受信モジュールと、
ターゲット基地局がダウンリンクデータを端末に送信するように、ダウンリンクデータをターゲット基地局に送信するように構成される送信モジュールであって、ターゲット基地局が、端末がセル再選択またはセル変更を完了した後のターゲットサービングセルに対応する基地局である、送信モジュールとを含む。
【０１００】
別の可能な実装形態では、基地局は、
トランシーバと、プロセッサと、バスとを含み、
トランシーバおよびプロセッサがバスを使用して互いに接続され、
トランシーバが、第２の指示メッセージを取得するステップであって、第２の指示メッセージが、端末がセル変更を実行し始めること、または端末がセル再選択を実行し始めることを示すために使用され、ソース基地局が、端末がセル再選択を完了する前またはセル変更を完了する前に位置するソースサービングセルに対応する基地局である、ステップと、ターゲット基地局がダウンリンクデータを端末に送信するように、ダウンリンクデータをターゲット基地局に送信するステップであって、ターゲット基地局が、端末がセル再選択またはセル変更を完了した後のターゲットサービングセルに対応する基地局である、ステップとを実行する。
【０１０１】
第８の態様によれば、本出願のある実施形態はコンピュータ記憶媒体を提供する。コンピュータ記憶媒体はプログラムコードを記憶する。プログラムコードは、第１の態様に従って方法を実行するために使用される。
【０１０２】
前述の技術的な解決法から、本出願の実施形態には、端末によるセル再選択の完了またはセル変更の完了に肯定応答した後で、コアネットワークデバイスがダウンリンクデータをターゲット基地局に送信するという利点があることが知られることができる。このことは、ダウンリンクデータがセル変更またはセル再選択の後で失われないことを事実上確実にでき、それにより、モビリティ状態における端末の連続性を確実にする。
【図面の簡単な説明】
【０１０３】
【図１】本出願のある実施形態によるネットワークシステムの概略枠組み図である。
【図２】本出願のある実施形態によるデータ処理方法のある実施形態の概略図である。
【図３】本出願の実施形態によるデータ処理方法の別の実施形態の概略図である。
【図４】本出願の実施形態によるデータ処理方法の別の実施形態の概略図である。
【図５】本出願の実施形態によるデータ処理方法の別の実施形態の概略図である。
【図６】本出願の実施形態によるデータ処理方法の別の実施形態の概略図である。
【図７】本出願の実施形態によるデータ処理方法の別の実施形態の概略図である。
【図８】本出願の実施形態によるデータ処理方法の別の実施形態の概略図である。
【図９】本出願の実施形態によるデータ処理方法の別の実施形態の概略図である。
【図１０】本出願の実施形態によるデータ処理方法の別の実施形態の概略図である。
【図１１】本出願の実施形態によるデータ処理方法の別の実施形態の概略図である。
【図１２】本出願の実施形態によるデータ処理方法の別の実施形態の概略図である。
【図１３】本出願の実施形態によるデータ処理方法の別の実施形態の概略図である。
【図１４】本出願の実施形態によるデータ処理方法の別の実施形態の概略図である。
【図１５】本出願の実施形態によるデータ処理方法の別の実施形態の概略図である。
【図１６】本出願の実施形態によるデータ処理方法の別の実施形態の概略図である。
【図１７】本出願の実施形態によるデータ処理方法の別の実施形態の概略図である。
【図１８】本出願の実施形態によるデータ処理方法の別の実施形態の概略図である。
【図１９】本出願の実施形態によるデータ処理方法の別の実施形態の概略図である。
【図２０】本出願の実施形態によるデータ処理方法の別の実施形態の概略図である。
【図２１】本出願の実施形態によるデータ処理方法の別の実施形態の概略図である。
【図２２】本出願の実施形態によるデータ処理方法の別の実施形態の概略図である。
【図２３】本出願の実施形態によるセル取得方法の実施形態の概略図である。
【図２４】本出願の実施形態によるコアネットワークデバイスのある実施形態の概略図である。
【図２５】本出願の実施形態によるコアネットワークデバイスの別の実施形態の概略図である。
【図２６】本出願の実施形態による基地局のある実施形態の概略図である。
【図２７】本出願の実施形態による基地局の別の実施形態の概略図である。
【発明を実施するための形態】
【０１０４】
以下は、本出願の実施形態における添付の図面を参照して、本出願の実施形態における技術的な解決法を明確に説明する。明らかに、説明される実施形態は、本出願のいくつかの実施形態にすぎず、すべての実施形態ではない。創造的な努力なしに本出願の実施形態に基づいて当業者によって取得されるすべての他の実施形態が、本出願の保護範囲内に入るものとする。
【０１０５】
本出願の明細書、特許請求の範囲、および添付の図面において、「第１の」、「第２の」、「第３の」、「第４の」など（もし存在すれば）という用語は、同様の物体を区別することが意図されており、特定の順序または順列を必ずしも示さない。そのような方法で名付けられるデータは、本明細書において説明される本願の実施形態が本明細書において例示または説明される順序以外の順序で実施されることができるように、適切な状況においては相互交換可能である。その上、「含む（ｉｎｃｌｕｄｅ）」、「格納する（ｃｏｎｔａｉｎ）」という用語、および任意の他の変形は、非排他的な包含をカバーすることを意図しており、たとえば、ステップもしくはユニットのリストを含むプロセス、方法、システム、製品、またはデバイスは必ずしもそれらのユニットに限定されず、明示的に列挙されない、または、そのようなプロセス、方法、システム、製品、もしくはデバイスに固有の、他のユニットを含み得る。
【０１０６】
図１に示されるネットワークシステムを参照すると、ネットワーク端末システムは、基地局と、端末と、コアネットワークデバイスとを含む。ネットワークシステムは、複数の基地局と、複数のコアネットワークデバイスと、複数の端末とを含み得る。基地局およびコアネットワークデバイスは、Ｓ１インターフェースを使用することによって、データを互いに送信する。基地局は、Ｘ２インターフェースを使用することによって、データを互いに送信する。端末およびコアネットワークデバイスは、基地局を使用することによって、データを互いに送信する。端末は、アイドルモードにおいてセル再選択を実行することがあり、または接続モードにおいてセル変更を実行することがある。両方の事例において、端末は、ソースサービングセルに対応する基地局を使用することによってコアネットワークデバイスとデータを交換する代わりに、ターゲットサービングセルに対応する基地局を使用することによってコアネットワークとデータを交換する必要がある。
【０１０７】
現在、３ＧＰＰ規格は、狭帯域技術の特性を十分に利用することによってＩｏＴサービスを提供するために、セルラーネットワークに基づく新しいエアインターフェースを設計することを研究している。そのようなタイプのＩｏＴは、狭帯域モノのインターネット（Narrowband Internet of Things）と呼ばれる。しかしながら、ＮＢ−ＩｏＴは、主に低モビリティの端末および適用例のために、アイドルモードにおけるモビリティ機能のみを実装する。しかしながら、モビリティを伴うモノのインターネットの要件も重要な要件である。したがって、接続モードにおけるモビリティの問題が解決される必要がある。現在、ＮＢ−ＩｏＴのモビリティを接続モードで実装するために、ＬＴＥのハンドオーバー手順が普通はＮＢ−ＩｏＴに適用される。しかしながら、ＮＢ−ＩｏＴはパケットデータコンバージェンスプロトコル（英語の完全な名称：Ｐａｃｋｅｔ  Ｄａｔａ  Ｃｏｎｖｅｒｇｅｎｃｅ  Ｐｒｏｔｏｃｏｌ、略してＰＤＣＰ）を含まないので、ＮＢ−ＩｏＴは制御プレーン上でデータ送信を実行することができない。その結果、ターゲット基地局にアクセスした後で、端末は、ハンドオーバーの前に完全には受信されていないダウンリンクデータを、完全には受信することができない。
【０１０８】
この問題を解決するために、本出願の実施形態は、コアネットワークデバイスが、端末がセル変更またはセル再選択を完了したことを示すために使用される第１の指示メッセージを取得するという、技術的な解決法を提供する。コアネットワークデバイスは、端末がセル変更またはセル再選択を完了した後で接続されるターゲット基地局へのダウンリンクデータを、端末に送信する。
【０１０９】
詳しくは、以下のいくつかの実施形態を参照されたい。図２〜図１２は各々、端末がセル再選択を実行するときのデータ処理方法である。図１３〜図２２は各々、端末がセル変更を実行するときのデータ処理方法である。
【０１１０】
具体的には、図２を参照すると、この実施形態では、端末がセル再選択を実行し、コアネットワークデバイスがデータ送信を実行し、ソース基地局およびターゲット基地局がコアネットワークデバイスを共有する。
【０１１１】
２０１．コアネットワークデバイスが、ダウンリンクデータを保存して第１のタイマーを始動する。
【０１１２】
コアネットワークデバイスがダウンリンクデータをソース基地局に送信すべきであるとき、コアネットワークデバイスは送信されるべきダウンリンクデータを保存し、第１のタイマーを始動する。
【０１１３】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。ソース基地局へＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。当然、ＭＭＥは、データパケット１を送信した後でタイマー１を始動し、データパケット２を送信した後でタイマー２を始動し、以下同様である。これらのタイマーの値は、同じであることがあり、または異なることがある。代わりに、ＭＭＥは、５個のパケットを送信した後で１つのタイマーを始動することがある。具体的な使用形式は限定されない。
【０１１４】
２０２．ターゲット基地局が第１の指示メッセージをコアネットワークデバイスに送信し、第１の指示メッセージは、端末がセル再選択を完了したことを示すために使用される。
【０１１５】
端末はセル再選択を実行する。端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０１１６】
この実施形態では、端末がターゲット基地局に接続される必要がある場合、端末はさらに、ＲＲＣ接続セットアップ要求またはＲＲＣ接続再確立要求などの情報に、端末によるターゲット基地局への接続の理由を追加し得る。たとえば、それは、セル再選択が原因で接続が現在実行されていることを示すことがあり、またはそれは、ネットワーク中断が原因で再接続データが必要とされるので接続が現在実行されていることを示すことがあり、またはそれは、セル変更が原因で接続が現在実行されていることを示すことがある。具体的な理由は本明細書では限定されない。具体的には、ＮＢ−ＩｏＴでは、制御プレーンに基づく送信の解決法、およびユーザプレーンに基づく送信の解決法という、２つのデータ送信の解決法がある。制御プレーンに基づく解決法では、ターゲット基地局への接続を確立するとき、端末は、ＲＲＣ接続セットアップ要求を開始し、セル再選択の値または別の理由の値をＲＲＣ接続セットアップ要求に追加し得る。基地局は、接続セットアップ要求を受信した後で、ＲＲＣ接続セットアップメッセージを端末に送信する。端末は、ＲＲＣ接続セットアップ完了メッセージを用いて基地局に返答する。
【０１１７】
ユーザプレーンを使用することによるデータ送信の解決法では、端末は、セル再選択の値または別の理由の値を搬送する、ＲＲＣ接続再確立要求を送信し得る。接続セットアップ要求を受信した後で、基地局は、ＲＲＣ接続再確立メッセージを端末に送信する。端末は、ＲＲＣ接続再確立完了メッセージを用いて基地局に返答する。
【０１１８】
端末へのＲＲＣ接続を確立した後で、基地局は、初期ＵＥメッセージまたは経路切替えメッセージをコアネットワークデバイスに送信する。メッセージはまた、端末によって接続を確立する理由の値を搬送する。コアネットワークデバイスは、接続を確立する具体的な理由を知る。
【０１１９】
具体的には、制御プレーンに基づく送信の解決法では、無線リンク障害が生じ、端末がまだコアネットワークデバイスからダウンリンク肯定応答メッセージを受信しない場合、端末は通知をＮＡＳレイヤに送信することがあり、ＮＡＳレイヤは接続を復元すると決定する。端末は、ＲＲＣ接続セットアップ要求をターゲット基地局に送信し、肯定応答メッセージがコアネットワークの側から受信される必要があるので、または別の理由で、接続が現在確立されるべきであることを示すために、理由の値を追加する。ターゲット基地局は、初期ＵＥメッセージを使用することによって、メッセージをコアネットワークに送信し得る。このようにして、コアネットワークは接続を確立する理由を知る。
【０１２０】
代わりに、このシナリオでは、ＲＲＣ接続セットアップ要求を送信するときに端末によって追加される理由の値はモバイル着信（ｍｏｂｉｌｅ  ｔｅｒｍｉｎａｔｅｄ：ＭＴ）であり、情報要素は、確立の理由を示すために、ＲＲＣ接続セットアップ要求が送信されるときに送信されるサービス要求メッセージに追加され、次いで、初期ＵＥメッセージを使用することによって、かつ基地局を使用することによって、理由がコアネットワークに送信される。このようにして、コアネットワークは接続を確立する理由を知る。
【０１２１】
代わりに、このシナリオでは、端末は追跡エリア更新手順を開始する。
【０１２２】
加えて、実際の適用形態では、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムメッセージは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージ３のサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【０１２３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０１２４】
この実施形態では、第１のタイマーがタイムアウトした後にターゲット基地局が第１の指示メッセージをコアネットワークデバイスに送信しない場合、そのことは、端末がターゲット基地局へ接続されることに失敗すること、または、第１のタイマーの動作の間に端末がセル再選択を実行しないことを示す。この場合、コアネットワークデバイスは保存されたダウンリンクデータを削除し得る。たとえば、ＭＭＥが５個のデータパケットを保存してから１０秒後に、ターゲット基地局によって送信され端末がセル再選択を完了したことを示すメッセージをＭＭＥが受信しない場合、ＭＭＥは５個のデータパケットを削除する。
【０１２５】
２０３．コアネットワークデバイスが、ダウンリンクデータをターゲット基地局に送信する。
【０１２６】
コアネットワークデバイスが、保存されたダウンリンクデータをターゲット基地局に送信する。
【０１２７】
この実施形態では、端末がターゲット基地局への接続を確立するプロセスにおいて、端末はさらに、ダウンリンクデータを受信することのステータスをフィードバックし得る。端末は、以下の方式でダウンリンクデータを受信することのステータスをフィードバックし得る。たとえば、端末がダウンリンクデータを完全には受信していない場合、フィードバック情報が送信される。端末がダウンリンクデータを完全に受信している場合、フィードバック情報は送信されない。当然、逆に、端末がダウンリンクデータを完全には受信していない場合に、フィードバック情報が送信されないことがある。端末がダウンリンクデータを完全に受信している場合に、フィードバック情報が送信されることがある。フィードバック情報は、ＲＲＣ接続セットアップ要求シグナリングまたはＲＲＣ接続セットアップ完了シグナリングに追加され得る。フィードバック情報を受信した後で、ターゲット基地局はさらに、コアネットワークデバイスに送信されるべき初期ＵＥメッセージまたは経路切替えメッセージにフィードバック情報を追加することがあり、言い換えると、端末がダウンリンクデータを完全に受信していること、または端末がダウンリンクデータを完全には受信していないことを、コアネットワークデバイスに通知することがある。端末がダウンリンクデータを完全に受信したことをフィードバック情報が示す場合、コアネットワークデバイスはダウンリンクデータを削除し得る。端末がダウンリンクデータを完全には受信していないことをフィードバック情報が示す場合、コアネットワークデバイスは次いで、ターゲット基地局を使用することによってダウンリンクデータを端末に送信する。具体的なフィードバック方式およびフィードバック情報送信方式は、本明細書では限定されない。
【０１２８】
この実施形態では、端末が５個のデータパケットを受信したかどうかを端末が決定し得る。端末が５個のデータパケット、すなわちデータパケット１、データパケット２、データパケット３、データパケット４、およびデータパケット５を完全に受信する場合、端末は、ターゲット基地局を使用することによって、端末が５個のデータパケットを完全に受信していることをコアネットワークデバイスに通知し得る。この場合、コアネットワークデバイスは、ターゲット基地局を使用することによって５個のデータを端末に送信する必要はない。端末が３個だけのデータパケット、すなわちデータパケット１、データパケット２、およびデータパケット３を受信すると端末が決定する場合、端末は、ターゲット基地局を使用することによって、端末が５個のデータパケットを完全には受信していないことをコアネットワークデバイスに通知し得る。この場合、端末は、受信されたデータパケット１、データパケット２、およびデータパケット３を削除し、ターゲット基地局を使用することによって端末へコアネットワークデバイスによって送信される５個のデータパケット、すなわちデータパケット１、データパケット２、データパケット３、データパケット４、およびデータパケット５を再び受信し得る。端末が３個だけのデータパケット、すなわちデータパケット１、データパケット２、およびデータパケット３を受信すると端末が決定する場合、端末は、受信されたデータパケットの番号またはインデックス値をコアネットワークデバイスにフィードバックし得る。コアネットワークデバイスは、最初の３つの保存されたパケットを削除し、ターゲット基地局を使用することによって４番目のパケットおよび５番目のパケットを送信し得る。コアネットワークデバイスが１つだけのデータパケットを送信し、端末がデータパケットを完全には受信しない場合、端末はネットワーク側にフィードバックを送信し、完全には受信されないＮＡＳパケットを削除する。ＭＭＥは、ターゲット基地局を使用することによって、ＮＡＳパケットを再び送信する。具体的には、ＵＥは、ＮＡＳパケットを知っており、各データの番号に基づいて、受信される具体的なパケットを知ることがある。フィードバックの間、パケット番号がフィードバックされることがあり、または、現在の接続の間に受信されるＮＡＳパケットの量がフィードバックされることがある。具体的な形式は限定されない。
【０１２９】
２０４．ターゲット基地局がダウンリンクデータを端末に送信する。
【０１３０】
ターゲット基地局がダウンリンクデータを端末に転送する。
【０１３１】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答が受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。加えて、端末はさらに、アップリンクデータを送信するときに、アップリンクデータがＮＡＳシグナリングであるかまたはＮＡＳデータであるかを示し得る。加えて、データを送信するとき、端末はさらに、アップリンクデータパケットのＮＡＳカウントを送信し得る。セル再選択、ハンドオーバー、セル変更などの事例を送信する場合、基地局は、正しく受信されたが順序が狂っているデータパケットおよび番号をターゲット基地局に転送し得る。端末は、ターゲット基地局に、その受信が肯定応答されずＮＡＳカウント値に対応する、ＮＡＳパケットを送信し得る。
【０１３２】
この実施形態では、コアネットワークデバイスは端末のダウンリンクデータを保存するので、端末がソース基地局からターゲット基地局にハンドオーバーされた後で、コアネットワークデバイスは、保存されたダウンリンクデータを端末に送信する。このことは、ダウンリンクデータが再選択の間に失われないことを確実にでき、それによりデータ連続性を確実にする。
【０１３３】
具体的には、図３を参照すると、この実施形態では、端末がセル再選択を実行し、コアネットワークデバイスがデータ送信を実行し、ソース基地局およびターゲット基地局が異なるコアネットワークデバイスに接続される。
【０１３４】
３０１．ソースコアネットワークデバイスが、ダウンリンクデータを保存して第１のタイマーを始動する。
【０１３５】
ソースコアネットワークデバイスがソース基地局を使用することによってダウンリンクデータを端末に送信すべきであるとき、ソースコアネットワークデバイスは送信されるべきダウンリンクデータを保存し、第１のタイマーを始動する。
【０１３６】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。セル再選択の前に、ソース基地局へソースＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。
【０１３７】
３０２．ターゲット基地局が第１の命令をターゲットコアネットワークデバイスに送信する。
【０１３８】
ターゲット基地局への接続を確立するとき、端末は、ソース基地局についての情報と、ソースコアネットワークデバイス、たとえばＧＵＴＩについての情報などのコンテンツを、ＲＲＣ接続セットアップ要求、ＲＲＣ接続再確立要求、ＲＲＣ接続セットアップ完了メッセージ、またはＲＲＣ再確立完了メッセージなどの、接続を確立するためのメッセージに追加する。ターゲット基地局は、関連する情報を搬送するコンテンツをターゲットコアネットワークデバイスに転送する。ターゲット基地局によってターゲットコアネットワークデバイスに送信されるメッセージは、第１の命令と見なされ得る。この命令は、データを取得するかどうかをコアネットワークデバイスに命令し得る。データが取得される必要がある場合、この命令は、ソースコアネットワークデバイスからダウンリンクデータを要求するように、ターゲットコアネットワークデバイスに命令する。
【０１３９】
この実施形態では、ターゲット基地局は、初期ＵＥメッセージをターゲットコアネットワークデバイスに送信することがあり、初期ＵＥメッセージは、ソースコアネットワークデバイスにダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥから要求するようにターゲットＭＭＥに命令するためのフィールド１１００を、初期ＵＥメッセージに追加する。
【０１４０】
３０３．ターゲットコアネットワークデバイスが、データ送信チャネル作成要求をソースコアネットワークデバイスに送信する。
【０１４１】
ターゲットコアネットワークデバイスは、データ送信チャネル作成要求をソースコアネットワークデバイスに送信する。
【０１４２】
この実施形態では、データ送信チャネル作成要求は、ｃｒｅａｔｅ  ｄａｔａ  ｆｏｒｗａｒｄｉｎｇ  ｔｕｎｎｅｌ  ｒｅｑｕｅｓｔであり得る。具体的なシグナリングは本明細書では限定されない。
【０１４３】
３０４．ソースコアネットワークデバイスが、データ送信チャネル作成応答をターゲットコアネットワークデバイスに送信する。
【０１４４】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０１４５】
この実施形態では、データ送信チャネル作成応答は、ｃｒｅａｔｅ  ｄａｔａ  ｆｏｒｗａｒｄｉｎｇ  ｔｕｎｎｅｌ  ｒｅｓｐｏｎｓｅであり得る。具体的なシグナリングは本明細書では限定されない。
【０１４６】
３０５．ソースコアネットワークデバイスが、ダウンリンクデータをターゲットコアネットワークデバイスに送信する。
【０１４７】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０１４８】
３０６．ターゲットコアネットワークデバイスが、ダウンリンクデータをターゲット基地局に送信する。
【０１４９】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０１５０】
３０７．ターゲット基地局がダウンリンクデータを端末に送信する。
【０１５１】
ターゲットコアネットワークデバイスによって送信されるダウンリンクデータを受信した後で、ターゲット基地局はダウンリンクデータを端末に送信する。
【０１５２】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答メッセージが受信されない第１のデータパケットから始まる、ターゲット基地局への送信を実行する。端末がターゲット基地局への接続を確立し始めるとき、ソース基地局は、受信されたデータパケットを順番にかつ連続的にコアネットワークデバイスへ送信し得る。
【０１５３】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１５４】
具体的には、図４を参照すると、この実施形態では、端末がセル再選択を実行し、コアネットワークデバイスがデータ送信を実行し、ソース基地局およびターゲット基地局が異なるコアネットワークデバイスに接続される。
【０１５５】
ステップ４０１からステップ４０３はステップ３０１からステップ３０３と同じである。詳細は本明細書では再び説明されない。
【０１５６】
４０４．ソースコアネットワークデバイスが、ターゲットコアネットワークデバイスにデータ送信チャネル作成応答を送信し、ダウンリンクデータをデータ送信チャネル作成応答に追加する。
【０１５７】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータにデータ送信チャネル作成応答を追加する。
【０１５８】
この実施形態では、データ送信チャネル作成応答は、データ転送トンネル作成応答であり得る。具体的なシグナリングは本明細書では限定されない。
【０１５９】
ステップ４０５およびステップ４０６はステップ３０６およびステップ３０７と同じである。詳細は本明細書では再び説明されない。
【０１６０】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１６１】
具体的には、図５を参照すると、この実施形態では、端末がセル再選択を実行し、コアネットワークデバイスがデータ送信を実行し、ソース基地局およびターゲット基地局が異なるコアネットワークデバイスに接続される。
【０１６２】
ステップ５０１およびステップ５０２はステップ３０１およびステップ３０２と同じである。詳細は本明細書では再び説明されない。
【０１６３】
５０３．ターゲットコアネットワークデバイスが、コンテキスト情報およびデータ要求をソースコアネットワークデバイスに送信する。
【０１６４】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０１６５】
この実施形態では、コンテキスト情報およびデータ要求メッセージは、コンテキストおよびデータ要求であり得る。具体的なシグナリングは本明細書では限定されない。
【０１６６】
５０４．ソースコアネットワークデバイスが、ターゲットコアネットワークデバイスにコンテキスト情報およびデータ応答を送信し、ダウンリンクデータをコンテキスト情報およびデータ応答に追加する。
【０１６７】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０１６８】
この実施形態では、コンテキスト情報およびデータ応答は、コンテキストおよびデータ応答であり得る。具体的なシグナリングは本明細書では限定されない。
【０１６９】
ステップ５０５およびステップ５０６はステップ３０６およびステップ３０７と同じである。詳細は本明細書では再び説明されない。
【０１７０】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１７１】
具体的には、図６を参照すると、この実施形態では、端末がセル再選択を実行し、コアネットワークデバイスがデータ送信を実行し、ソース基地局およびターゲット基地局が同じコアネットワークデバイスに接続される。
【０１７２】
６０１．端末が指示シグナリングをソース基地局に送信し、この指示シグナリングは、端末がセル再選択を実行すべきであることを示すために使用される。
【０１７３】
セル再選択を実行する前に、端末が指示シグナリングをソース基地局に送信し、この指示シグナリングは、端末がセル再選択を実行すべきであることをソース基地局に通知するために使用される。
【０１７４】
この実施形態では、指示シグナリングは、セル再選択指示、Ｓ−ＴＭＳＩ、およびターゲット基地局などの情報を搬送する。この情報は、ＲＲＣメッセージ、たとえば、ＲＲＣ接続セットアップ要求もしくはＲＲＣ接続再確立要求に追加されることがあり、または、ＮＡＳメッセージ、たとえばＵＬ情報転送に追加されることがある。この実施形態では、ＭＭＥが例として使用される。具体的には、そのような情報は、ＮＡＳレイヤ通知メッセージとして使用されてＲＲＣシグナリングに追加されることがあり、または、セル再選択を通知するために、フィールドがＲＲＣメッセージに追加されることがある。
【０１７５】
６０２．ソース基地局が通知メッセージをコアネットワークデバイスに送信し、通知メッセージは、端末がセル再選択を実行すべきであることを示すために使用される。
【０１７６】
端末によって送信される指示シグナリングを受信した後で、ソース基地局は、端末がセル再選択を実行すべきであることをコアネットワークデバイスに通知するために使用される通知メッセージを、コアネットワークデバイスに送信する必要がある。
【０１７７】
この実施形態では、通知メッセージは、ＵＬ  ＮＡＳトランスポートシグナリングであることがあり、または、別のＳ１−ＡＰメッセージであることがある。具体的には、コアネットワークデバイスを通知するためにＮＡＳレイヤメッセージがＳ１−ＡＰメッセージに追加されることがあり、または、コアネットワークデバイスに示すために、フィールドがＳ１−ＡＰメッセージまたはシグナリングに直接追加されることがある。具体的なシグナリングは本明細書では限定されない。
【０１７８】
６０３．コアネットワークデバイスは、ダウンリンクデータをソース基地局に送信するのを止め、第２のタイマーを始動する。
【０１７９】
端末がセル再選択を実行すべきであることを知った後で、コアネットワークデバイスは、第２のタイマーを始動し、ダウンリンクデータをソース基地局に送信するのを止める。
【０１８０】
この実施形態では、第１のタイマーの動作時間長があらかじめ設定される。具体的な時間長は本明細書では限定されない。実際の適用形態では、ＭＭＥは、５個のデータパケット、すなわちデータパケット１、データパケット２、データパケット３、データパケット４、およびデータパケット５をソース基地局に送信するのを止める。
【０１８１】
６０４．ターゲット基地局が第１の指示メッセージをコアネットワークデバイスに送信し、第１の指示メッセージは、端末がセル再選択を完了したことを示すために使用される。
【０１８２】
端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０１８３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０１８４】
この実施形態では、第２のタイマーがタイムアウトした後にターゲット基地局が第１の指示メッセージをコアネットワークデバイスに送信しない場合、そのことは、端末がターゲット基地局へ接続されることに失敗することを示す。この場合、端末はダウンリンクデータをソース基地局に送信するのを再開する。たとえば、第２のタイマーがタイムアウトした後で、ターゲット基地局によって送信され端末がセル再選択を完了したことを示すメッセージをＭＭＥが受信しない場合、ＭＭＥは、５個のデータパケット、すなわちデータパケット１、データパケット２、データパケット３、データパケット４、およびデータパケット５をソース基地局に送信するのを再開する。
【０１８５】
６０５．コアネットワークデバイスが、ダウンリンクデータをターゲット基地局に送信する。
【０１８６】
第１の指示情報を受信した後で、コアネットワークデバイスは、送信されないダウンリンクデータをターゲット基地局に送信する。
【０１８７】
６０６．ターゲット基地局がダウンリンクデータを端末に送信する。
【０１８８】
ターゲット基地局がダウンリンクデータを端末に転送する。
【０１８９】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０１９０】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０１９１】
具体的には、図７を参照すると、この実施形態では、端末がセル再選択を実行し、コアネットワークデバイスがデータ送信を実行し、ソース基地局およびターゲット基地局が異なるコアネットワークデバイスに接続される。
【０１９２】
ステップ７０１はステップ６０１と同じである。詳細は本明細書では再び説明されない。
【０１９３】
７０２．ソース基地局が通知メッセージをソースコアネットワークデバイスに送信し、通知メッセージは、端末がセル再選択を実行すべきであることを示すために使用される。
【０１９４】
端末によって送信される指示シグナリングを受信した後で、ソース基地局は、端末がセル再選択を実行すべきであることをソースコアネットワークデバイスに通知するために使用される通知メッセージを、ソースコアネットワークデバイスに送信する必要がある。
【０１９５】
この実施形態では、通知メッセージは、ＵＬ  ＮＡＳトランスポートシグナリングであることがあり、または、Ｓ１−ＡＰメッセージであることがある。具体的なシグナリングは本明細書では限定されない。
【０１９６】
７０３．ソースコアネットワークデバイスは、ダウンリンクデータをソース基地局に送信するのを止め、第２のタイマーを始動する。
【０１９７】
端末がセル再選択を実行すべきであることを知った後で、ソースコアネットワークデバイスは、第２のタイマーを始動し、ダウンリンクデータをソース基地局に送信するのを止める。
【０１９８】
この実施形態では、第１のタイマーの動作時間長があらかじめ設定される。具体的な時間長は本明細書では限定されない。実際の適用形態では、ソースＭＭＥは、５個のデータパケット、すなわちデータパケット１、データパケット２、データパケット３、データパケット４、およびデータパケット５をソース基地局に送信するのを止める。
【０１９９】
７０４．ターゲット基地局が通知命令をターゲットコアネットワークデバイスに送信し、この通知命令は、端末がセル再選択を完了したことを示すために、および、ソースコアネットワークデバイスからデータを要求するようにターゲットコアネットワークデバイスに命令するために使用される。
【０２００】
端末がターゲット基地局への接続を確立した後、ターゲット基地局は、通知命令をターゲットコアネットワークデバイスに送信する。通知命令は、端末がセル再選択を完了したことを示すために、および、ソースコアネットワークデバイスにダウンリンクデータを要求するようにターゲットコアネットワークデバイスに命令するために使用される。
【０２０１】
この実施形態では、ターゲット基地局は、初期ＵＥメッセージをターゲットコアネットワークデバイスに送信することがあり、初期ＵＥメッセージは、ソースコアネットワークデバイスからダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥに要求するようにターゲットＭＭＥに命令するためのフィールド１１００を、初期ＵＥメッセージに追加する。
【０２０２】
７０５．ターゲットコアネットワークデバイスが、データ送信チャネル作成要求をソースコアネットワークデバイスに送信する。
【０２０３】
ターゲットコアネットワークデバイスは、データ送信チャネル作成要求をソースコアネットワークデバイスに送信する。
【０２０４】
この実施形態では、データ送信チャネル作成要求は、データ転送トンネル作成要求であり得る。具体的なシグナリングは本明細書では限定されない。
【０２０５】
７０６．ソースコアネットワークデバイスが、データ送信チャネル作成応答をターゲットコアネットワークデバイスに送信する。
【０２０６】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０２０７】
この実施形態では、データ送信チャネル作成応答は、データ転送トンネル作成応答であり得る。具体的なシグナリングは本明細書では限定されない。
【０２０８】
７０７．ソースコアネットワークデバイスが、ダウンリンクデータをターゲットコアネットワークデバイスに送信する。
【０２０９】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。データをターゲットコアネットワークデバイスに転送するとき、ソースコアネットワークデバイスは、最終パケット指示（last-packet indication）を送信することがあり、または、末尾データ転送指示（end data forwarding indication）を送信することがある。ターゲット基地局の指示情報を受信した後で、ターゲットコアネットワークデバイスは経路切替え指示をＳ−ＧＷに送信する。このことは、ターゲットＭＭＥがデータをＵＥに転送し始めることを示す。
【０２１０】
７０８．ターゲットコアネットワークデバイスが、ダウンリンクデータをターゲット基地局に送信する。
【０２１１】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０２１２】
７０９．ターゲット基地局がダウンリンクデータを端末に送信する。
【０２１３】
ターゲットコアネットワークデバイスによって送信されるダウンリンクデータを受信した後で、ターゲット基地局はダウンリンクデータを端末に送信する。
【０２１４】
実際の適用形態では、端末がターゲット基地局への接続を確立した後、ターゲット基地局は、初期ＵＥメッセージまたは経路切替えメッセージをターゲットコアネットワークデバイスに送信する。ターゲットコアネットワークデバイスは、端末を使用することによって、かつ、基地局によって転送される指示情報を使用することによって、ソースＭＭＥおよびソース基地局についての情報を取得する。ターゲットコアネットワークデバイスは、端末がターゲットコアネットワークデバイスへの接続を確立したことを示すために、情報をソースコアネットワークデバイスに送信し、データチャネル作成要求またはデータ送信要求をソースコアネットワークデバイスが送信することをトリガし得る。ターゲットコアネットワークデバイスは、応答メッセージで返答する。次いで、ソースコアネットワークデバイスが、データをターゲットコアネットワークデバイスに転送する。ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０２１５】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２１６】
具体的には、図８を参照すると、この実施形態では、端末がセル再選択を実行し、コアネットワークデバイスがデータ送信を実行し、ソース基地局およびターゲット基地局が異なるコアネットワークデバイスに接続される。
【０２１７】
ステップ８０１からステップ８０５はステップ７０１からステップ７０５と同じである。詳細は本明細書では再び説明されない。
【０２１８】
８０６．ソースコアネットワークデバイスが、ターゲットコアネットワークデバイスにデータ送信チャネル作成応答を送信し、ダウンリンクデータをデータ送信チャネル作成応答に追加する。
【０２１９】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータをデータ送信チャネル作成応答に追加する。
【０２２０】
この実施形態では、データ送信チャネル作成応答は、データ転送トンネル作成応答であり得る。具体的なシグナリングは本明細書では限定されない。
【０２２１】
ステップ８０７およびステップ８０８はステップ７０８およびステップ７０９と同じである。詳細は本明細書では再び説明されない。
【０２２２】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２２３】
具体的には、図９を参照すると、この実施形態では、端末がセル再選択を実行し、コアネットワークデバイスがデータ送信を実行し、ソース基地局およびターゲット基地局が異なるコアネットワークデバイスに接続される。
【０２２４】
ステップ９０１からステップ９０４はステップ７０１からステップ７０４と同じである。詳細は本明細書では再び説明されない。
【０２２５】
９０５．ターゲットコアネットワークデバイスが、コンテキスト情報およびデータ要求をソースコアネットワークデバイスに送信する。
【０２２６】
ターゲット基地局によって送信され、ソースコアネットワークデバイスからダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０２２７】
この実施形態では、コンテキスト情報およびデータ要求メッセージは、コンテキストおよびデータ要求であり得る。具体的なシグナリングは本明細書では限定されない。
【０２２８】
９０６．ソースコアネットワークデバイスが、ターゲットコアネットワークデバイスにコンテキスト情報およびデータ応答を送信し、ダウンリンクデータをコンテキスト情報およびデータ応答に追加する。
【０２２９】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０２３０】
この実施形態では、コンテキスト情報およびデータ応答は、コンテキストおよびデータ応答であり得る。具体的なシグナリングは本明細書では限定されない。
【０２３１】
ステップ９０７およびステップ９０８はステップ７０８およびステップ７０９と同じである。詳細は本明細書では再び説明されない。
【０２３２】
この実施形態では、端末がセル再選択を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０２３３】
具体的には、図１０を参照すると、端末がセル再選択を実行し、コアネットワークデバイスがデータ送信を実行し、ソース基地局およびターゲット基地局が同じコアネットワークデバイスに接続される。
【０２３４】
ステップ１００１およびステップ１００２はステップ６０１およびステップ６０２と同じである。詳細は本明細書では再び説明されない。
【０２３５】
１００３．コアネットワークデバイスが、ソース基地局にダウンリンクデータを送信し、ターゲット基地局にダウンリンクデータを送信し、第３のタイマーを始動する。
【０２３６】
端末がセル再選択を実行すべきであることを示すために使用される第１の指示メッセージを受信した後で、コアネットワークデバイスは第３のタイマーを始動し得る。加えて、コアネットワークデバイスは、Ｓ１インターフェースを使用することによってダウンリンクデータをターゲット基地局に送信することがあり、コアネットワークデバイスは、Ｓ１インターフェースを使用することによってダウンリンクデータをソース基地局に送信し続ける。
【０２３７】
１００４．ソース基地局がダウンリンクデータを端末に送信し、ターゲット基地局がダウンリンクデータを端末に送信する。
【０２３８】
コアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０２３９】
実際の適用形態では、コアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０２４０】
１００５．ターゲット基地局が第１の指示メッセージをコアネットワークデバイスに送信し、第１の指示メッセージは、端末がセル再選択を完了したことを示す。
【０２４１】
端末がターゲット基地局に接続されることに成功した後で、ターゲット基地局は、端末がセル再選択を完了したことをコアネットワークデバイスに通知するために、第１の指示メッセージをコアネットワークデバイスに送信する。
【０２４２】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０２４３】
この実施形態では、第３のタイマーがタイムアウトした後にターゲット基地局が第１の指示メッセージをコアネットワークデバイスに送信しない場合、そのことは、端末がターゲット基地局へ接続されることに失敗することを示す。コアネットワークデバイスは、ダウンリンクデータをターゲット基地局に送信するのを止めることがあり、コアネットワークデバイスは、ダウンリンクデータをソース基地局に送信し続ける。
【０２４４】
１００６．コアネットワークデバイスが、ダウンリンクデータをソース基地局に送信するのを止める。
【０２４５】
端末がセル再選択を完了したことを知った後で、コアネットワークデバイスは、ダウンリンクデータをソース基地局に送信するのを止める。
【０２４６】
実際の適用形態では、ソース基地局が端末により送信されるアップリンクデータをまだ有する場合、ソース基地局は、受信されたデータパケットをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータパケットから始めて、データをターゲット基地局に送信する。重複するデータパケットはＮＡＳレイヤにより処理されることになる。
【０２４７】
この実施形態では、端末がセル再選択を実行すべきであることを示すメッセージを受信した後、コアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０２４８】
具体的には、図１１を参照すると、端末がセル再選択を実行し、コアネットワークデバイスがデータ送信を実行し、ソース基地局およびターゲット基地局が異なるコアネットワークデバイスに接続される。
【０２４９】
ステップ１１０１およびステップ１１０２はステップ７０１およびステップ７０２と同じである。詳細は本明細書では再び説明されない。
【０２５０】
１１０３．ソースコアネットワークデバイスが、ソース基地局にダウンリンクデータを送信し、ターゲットコアネットワークデバイスが、ターゲット基地局にダウンリンクデータを送信し、第３のタイマーを始動する。
【０２５１】
端末は、ソース基地局を使用することによって、指示情報をソースコアネットワークデバイスに送信する。指示情報は、ターゲットコアネットワークデバイスおよびターゲット基地局についての情報を含み、具体的なＩＤ、セル識別子などを含む。ソースコアネットワークデバイスは、この情報に基づいてターゲットコアネットワークデバイスを発見し、データチャネル作成要求を送信し、理由を示す。メッセージを受信した後、ターゲットコアネットワークデバイスは、セル再選択または変更要求を示すメッセージをターゲット基地局に送信する。ターゲット基地局がデータチャネルの確立を許可すると決定する場合、ターゲット基地局は、対応する構成情報を応答メッセージに追加し、応答メッセージをターゲットコアネットワークデバイスに送信する。ターゲット基地局のメッセージを受信した後で、ターゲットコアネットワークデバイスは、データチャネル作成要求肯定応答で返答し、ターゲット基地局によって送信される情報をソースコアネットワークデバイスに転送し、ターゲット基地局によって送信される情報を端末に送信する。ターゲットコアネットワークデバイスの肯定応答メッセージを受信した後で、ソースコアネットワークデバイスは、ダウンリンクデータをターゲットコアネットワークデバイスに転送する。任意選択で、ソースコアネットワークデバイスはデータ送信要求を直接送信することがあり、ターゲットコアネットワークは応答情報を送信する。応答情報は、端末上でターゲット基地局によって実行される関連する構成についての情報を直接搬送し得る。本明細書では、ＧＴＰプロトコルが使用される。応答情報を受信した後で、ソースコアネットワークデバイスは、シグナリングを使用することによってデータを直接送信する。
【０２５２】
任意選択で、ターゲットコアネットワークデバイスは、データを受信した後に第３のタイマーを始動する。ターゲットコアネットワークデバイスが、第３のタイマーの時間長の間に、ターゲット基地局を使用することによって端末により送信される情報を受信する場合、ターゲットコアネットワークデバイスは、データをソース基地局に送信するのを止めるようにソースコアネットワークデバイスに命令する。第３のタイマーがタイムアウトし、ターゲットコアネットワークデバイスが端末の接続セットアップ情報をまだ受信しない場合、ターゲットコアネットワークデバイスはデータをターゲット基地局に送信するのを止め、ターゲット基地局は関連するデータを削除する。
【０２５３】
１１０４．ソース基地局がダウンリンクデータを端末に送信し、ターゲット基地局がダウンリンクデータを端末に送信する。
【０２５４】
ソースコアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０２５５】
実際の適用形態では、ソースコアネットワークデバイスが前述の方式でデータを送信し、端末がＮＡＳ  ＰＤＵを受信したがソース基地局が端末によりフィードバックされる肯定応答情報を受信せず、または不正確に構文解析し、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。重複するパケットがコアネットワーク側に現れるとき、同じ解決方法が使用される。
【０２５６】
１１０５．ターゲット基地局が、通知命令をターゲットコアネットワークデバイスに送信し、シグナリングを取得した後で、ターゲットコアネットワークデバイスは、端末がセル再選択を完了したことを知る。
【０２５７】
端末がターゲット基地局に接続されることに成功した後で、ターゲット基地局は、端末がセル再選択を完了したことをターゲットコアネットワークデバイスに通知するために、第１の指示メッセージをターゲットコアネットワークデバイスに送信する。
【０２５８】
この実施形態における通知メッセージは、ターゲット基地局によってターゲットコアネットワークデバイスに送信される、初期ＵＥメッセージまたは経路切替えメッセージなどのメッセージであり得る。具体的なメッセージ形式は本明細書では限定されない。
【０２５９】
１１０６．ターゲットコアネットワークデバイスが通知メッセージをソースコアネットワークデバイスに送信し、通知メッセージは、端末がセル再選択を完了したことを示すために使用される。
【０２６０】
端末がセル再選択を完了したことを知った後で、ターゲットコアネットワークデバイスは、端末がセル再選択を完了したことを示す通知メッセージをソースコアネットワークデバイスに送信する。
【０２６１】
この実施形態では、第３のタイマーがタイムアウトした後にターゲット基地局が通知命令をターゲットコアネットワークデバイスに送信しない場合、そのことは、端末がターゲット基地局へ接続されることに失敗することを示す。加えて、ターゲットコアネットワークデバイスは、通知メッセージをソースコアネットワークデバイスに送信しない。この場合、ソースコアネットワークデバイスは、ダウンリンクデータをターゲット基地局に送信するのを止めることがあり、ソースコアネットワークデバイスは、ダウンリンクデータをソース基地局に送信し続ける。
【０２６２】
１１０７．ソースコアネットワークデバイスが、ソース基地局にダウンリンクデータを送信するのを止め、ダウンリンクデータをターゲット基地局に送信する。
【０２６３】
端末がセル再選択を完了したことを知った後で、ソースコアネットワークデバイスは、ダウンリンクデータをソース基地局に送信するのを止め、ダウンリンクデータをターゲット基地局に送信するのを止める。
【０２６４】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０２６５】
この実施形態では、端末がセル再選択を実行すべきであることを示すメッセージを受信した後、ソースコアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０２６６】
具体的には、図１２を参照すると、端末はセル再選択を実行し、基地局側はデータ送信を実行する。
【０２６７】
１２０１．ターゲット基地局が指示情報をソース基地局に送信し、指示情報は、端末がセル再選択を完了したことを示すために使用される。
【０２６８】
端末がターゲット基地局への接続を確立した後で、ターゲット基地局は、端末によって送信されるソース基地局についての情報を受信する。ターゲット基地局は、Ｘ２インターフェースを使用することによってソース基地局についての情報に基づくソース基地局に、端末がセル再選択を完了したことを示すために使用される指示情報を送信し得る。具体的なメッセージはセル再選択指示であり得る。代わりに、指示のためにフィールドがＲＬＦ指示に追加される。具体的なメッセージは限定されない。
【０２６９】
１２０２．ソース基地局が、ハンドオーバー要求をターゲット基地局に送信する。
【０２７０】
端末がセル再選択を完了したことを知った後で、ソース基地局は、ハンドオーバー要求または別のＸ２メッセージをターゲット基地局に送信する。
【０２７１】
１２０３．ターゲット基地局が、ハンドオーバー肯定応答メッセージをターゲット基地局に送信する。
【０２７２】
ソース基地局のハンドオーバー要求を受信した後で、ターゲット基地局は、ハンドオーバー肯定応答メッセージまたは別のＸ２メッセージをソース基地局に送信し得る。このようにして、ターゲット基地局およびソース基地局は、ターゲット基地局とソース基地局との間の接続シグナリングとしてハンドオーバーシグナリングを使用する。
【０２７３】
１２０４．ソース基地局が、ダウンリンクデータをターゲット基地局に送信する。
【０２７４】
ソース基地局は、基地局間のＸ２インターフェースを使用することによって、ダウンリンクデータをターゲット基地局に送信する。
【０２７５】
加えて、実際の適用形態では、ターゲット基地局およびソース基地局が互いにデータを送信するとき、ターゲット基地局およびソース基地局は、データを転送するための情報要素をハンドオーバー要求に追加し得る。この情報要素の名前は、ＮＡＳ  ＰＤＵのためのデータ転送（data forwarding for NAS PDU）であり得る。代わりに、転送ダウンリンクデータが追加される先の１つのＸ２−ＡＰシグナリングが、ターゲット基地局とソース基地局との間で使用される。この情報要素の名前は、ＤＬデータ転送（DL data forwarding）であり得る。代わりに、ソース基地局がハンドオーバー要求コマンド（ハンドオーバー要求）をターゲット基地局に送信するとき、ターゲットコアネットワークデバイスに送信されるべきデータがあることを示すために使用される情報要素が、ハンドオーバー要求に追加される。ターゲット基地局によって送信されるハンドオーバー肯定応答メッセージを受信した後、ソース基地局はさらに、データを送信するための１つのシグナリングをターゲット基地局に送信する。この場合、シグナリングに含まれる情報要素は、ＮＡＳ  ＰＤＵのためのデータ転送であり得る。代わりに、ターゲット基地局は、ＳＲＢ１に対応するＸ２ベアラ、ＥＰＳベアラに対応する新しいＥ−ＲＡＢ、およびＥ−ＲＡＢのデータを搬送するためのトンネルを確立する。トンネルが確立された後で、ターゲット基地局が対応するトンネルアドレスをソース基地局に送信し、次いで、ソース基地局がトンネルを使用することによってデータをターゲット基地局に転送する。本明細書では、ソース基地局は様々な方式でダウンリンクデータをターゲット基地局に送信し得る。これは本明細書では限定されない。加えて、データを転送した後で、ソース基地局は、最終パケット指示および末尾データ送信指示をターゲット基地局に送信する。このようにして、ターゲット基地局はまず、ソース基地局によって送信されるデータを、端末またはコアネットワークデバイスに送信し、次いでコアネットワークまたは端末から取得される新しいデータを送信することがあり、これにより、順序が狂う事例を避ける。
【０２７６】
１２０５．ターゲット基地局がダウンリンクデータを端末に送信する。
【０２７７】
ターゲット基地局は、ソース基地局から取得されたダウンリンクデータを端末に送信する。
【０２７８】
実際の適用形態では、ソース基地局から取得されたすべてのデータが順番に送信されることができることを確実にするために、ソース基地局からデータを取得した後で、ターゲット基地局は、ターゲットコアネットワークデバイスとシグナリングを交換し、ダウンリンクデータを受信する。代わりに、ターゲット基地局はまず、ソース基地局から取得されたダウンリンクデータを送信し、次いで、ターゲットコアネットワークデバイスによって送信されるダウンリンクデータを受信する。具体的な方式は本明細書では限定されない。
【０２７９】
この実施形態では、ソース基地局およびターゲット基地局はデータを互いに送信する。このことは、ダウンリンクデータが再選択の間に失われないことを確実にでき、それによりデータ連続性を確実にする。
【０２８０】
具体的には、図１３を参照すると、端末がセル変更を実行し、コアネットワークデバイスがデータ送信を実行し、ソース基地局およびターゲット基地局が同じコアネットワークデバイスに接続される。
【０２８１】
１３０１．コアネットワークデバイスが、ダウンリンクデータを保存して第１のタイマーを始動する。
【０２８２】
コアネットワークデバイスがソース基地局を使用することによってダウンリンクデータを端末に送信すべきであるとき、コアネットワークデバイスは送信されるべきダウンリンクデータを保存し、第１のタイマーを始動する。
【０２８３】
この実施形態では、第１のタイマーの動作時間長があらかじめ設定される。具体的な時間長は本明細書では限定されない。コアネットワークデバイスは、ＭＭＥであることがあり、または別のコアネットワークデバイス、たとえばＳＧＷであることがある。データが失われないことが事実上確実にされることができる限り、具体的な形式は本明細書では限定されない。この実施形態では、たとえば、コアネットワークデバイスはＭＭＥである。第１のタイマーの時間長は１０秒である。セル再選択の前に、ソース基地局へＭＭＥによって送信されるべきダウンリンクデータは、データパケット１、データパケット２、データパケット３、データパケット４、およびデータパケット５である。ＭＭＥは５個のデータパケットを保存し、第１のタイマーを始動する。
【０２８４】
１３０２．ターゲット基地局が第１の指示メッセージをコアネットワークデバイスに送信し、第１の指示メッセージは、端末がセル変更を完了したことを示すために使用される。
【０２８５】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０２８６】
この実施形態では、端末がターゲット基地局に接続される必要がある場合、端末はさらに、ＲＲＣ接続セットアップ要求またはＲＲＣ接続再確立要求などの情報に、端末によるターゲット基地局への接続の理由を追加し得る。たとえば、それは、セル再選択が原因で接続が現在実行されていることを示すことがあり、またはそれは、ネットワーク中断が原因で再接続データが必要とされるので接続が現在実行されていることを示すことがあり、またはそれは、セル変更が原因で接続が現在実行されていることを示すことがある。具体的な理由は本明細書では限定されない。具体的には、ＮＢ−ＩｏＴでは、制御プレーンに基づく送信の解決法、およびユーザプレーンに基づく送信の解決法という、２つのデータ送信の解決法がある。制御プレーンに基づく解決法では、ターゲット基地局への接続を確立するとき、端末は、ＲＲＣ接続セットアップ要求を開始し、セル再選択の値または別の理由の値をＲＲＣ接続セットアップ要求に追加し得る。基地局は、接続セットアップ要求を受信した後で、ＲＲＣ接続セットアップメッセージを端末に送信する。端末は、ＲＲＣ接続セットアップ完了メッセージを用いて基地局に返答する。
【０２８７】
ユーザプレーンを使用することによるデータ送信の解決法では、端末は、セル再選択の値または別の理由の値を搬送する、ＲＲＣ接続再確立要求を送信し得る。接続セットアップ要求を受信した後で、基地局は、ＲＲＣ接続再確立メッセージを端末に送信する。端末は、ＲＲＣ接続再確立完了メッセージを用いて基地局に返答する。
【０２８８】
端末へのＲＲＣ接続を確立した後で、基地局は、初期ＵＥメッセージまたは経路切替えメッセージをコアネットワークデバイスに送信する。メッセージはまた、端末によって接続を確立する理由の値を搬送する。コアネットワークデバイスは、接続を確立する具体的な理由を知る。
【０２８９】
具体的には、制御プレーンに基づく送信の解決法では、無線リンク障害が生じ、端末がまだコアネットワークデバイスからダウンリンク肯定応答メッセージを受信しない場合、端末は通知をＮＡＳレイヤに送信することがあり、ＮＡＳレイヤは接続を復元すると決定する。端末は、ＲＲＣ接続セットアップ要求をターゲット基地局に送信し、肯定応答メッセージがコアネットワークの側から受信される必要があるので、または別の理由で、接続が現在確立されるべきであることを示すために、理由の値を追加する。ターゲット基地局は、初期ＵＥメッセージを使用することによって、メッセージをコアネットワークに送信し得る。このようにして、コアネットワークは接続を確立する理由を知る。
【０２９０】
代わりに、このシナリオでは、ＲＲＣ接続セットアップ要求を送信するときに端末によって追加される理由の値はＭＴであり、情報要素は、確立の理由を示すために、ＲＲＣ接続セットアップ要求が送信されるときに送信されるサービス要求メッセージに追加され、次いで、初期ＵＥメッセージを使用することによって、かつ基地局を使用することによって、理由がコアネットワークに送信される。このようにして、コアネットワークは接続を確立する理由を知る。
【０２９１】
代わりに、このシナリオでは、端末は追跡エリア更新手順を開始する。
【０２９２】
加えて、実際の適用形態では、端末がターゲット基地局にランダムにアクセスするとき、端末は、特定の専用のシグナリングまたはシステムブロードキャストを使用することによって、非アンカーキャリアの構成を取得し得る。専用のシグナリングは、ＲＲＣ接続再構成メッセージまたはＲＲＣ接続解放メッセージなどのメッセージであり得る。システムメッセージは、ＳＩＢ１またはＳＩＢ２などのシステムメッセージであり得る。具体的な事例は本明細書では限定されない。ランダムアクセスリソースの構成は、ランダムアクセスリソースの時間長、ランダムアクセスリソースの開始時間、ランダムアクセスリソースのキャリアオフセット、ランダムアクセスリソースのサブキャリア量、ランダムアクセスリソースメッセージ３のサブキャリア開始位置、プリアンブル試行の最大の量、各プリアンブルの繰り返しの量、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含む。非アンカーキャリアの構成は、ランダムアクセス応答の制御情報に対応し、ランダムアクセス応答に対応するＮＰＤＣＣＨの繰り返しの量、ランダムアクセス応答に対応するダウンリンク制御チャネル探索空間の開始位置、またはランダムアクセス応答に対応するダウンリンク制御チャネルのオフセットなどの情報を含み得る。具体的な事例は本明細書では限定されない。
【０２９３】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０２９４】
この実施形態では、第１のタイマーがタイムアウトした後にターゲット基地局が第１の指示メッセージをコアネットワークデバイスに送信しない場合、そのことは、端末がターゲット基地局へ接続されることに失敗すること、または、第１のタイマーの動作の間に端末がセル再選択を実行しないことを示す。この場合、コアネットワークデバイスは保存されたダウンリンクデータを削除し得る。たとえば、ＭＭＥが５個のデータパケットを保存してから１０秒後に、ターゲット基地局によって送信され端末がセル再選択を完了したことを示すメッセージをＭＭＥが受信しない場合、ＭＭＥは５個のデータパケットを削除する。
【０２９５】
１３０３．コアネットワークデバイスが、ダウンリンクデータをターゲット基地局に送信する。
【０２９６】
コアネットワークデバイスが、保存されたダウンリンクデータをターゲット基地局に送信する。
【０２９７】
この実施形態では、端末がターゲット基地局への接続を確立するプロセスにおいて、端末はさらに、ダウンリンクデータを受信することのステータスをフィードバックし得る。端末は、以下の方式でダウンリンクデータを受信することのステータスをフィードバックし得る。たとえば、端末がダウンリンクデータを完全には受信していない場合、フィードバック情報が送信される。端末がダウンリンクデータを完全に受信している場合、フィードバック情報は送信されない。当然、逆に、端末がダウンリンクデータを完全には受信していない場合に、フィードバック情報が送信されないことがある。端末がダウンリンクデータを完全に受信している場合に、フィードバック情報が送信されることがある。フィードバック情報は、ＲＲＣ接続セットアップ要求シグナリングまたはＲＲＣ接続セットアップ完了シグナリングに追加され得る。フィードバック情報を受信した後で、ターゲット基地局はさらに、コアネットワークデバイスに送信されるべき初期ＵＥメッセージまたは経路切替えメッセージにフィードバック情報を追加することがあり、言い換えると、端末がダウンリンクデータを完全に受信していること、または端末がダウンリンクデータを完全には受信していないことを、コアネットワークデバイスに通知することがある。端末がダウンリンクデータを完全に受信したことをフィードバック情報が示す場合、コアネットワークデバイスはダウンリンクデータを削除し得る。端末がダウンリンクデータを完全には受信していないことをフィードバック情報が示す場合、コアネットワークデバイスは次いで、ターゲット基地局を使用することによってダウンリンクデータを端末に送信する。具体的なフィードバック方式およびフィードバック情報送信方式は、本明細書では限定されない。
【０２９８】
この実施形態では、端末が５個のデータパケットを受信したかどうかを端末が決定し得る。端末が５個のデータパケット、すなわちデータパケット１、データパケット２、データパケット３、データパケット４、およびデータパケット５を完全に受信する場合、端末は、ターゲット基地局を使用することによって、端末が５個のデータパケットを完全に受信していることをコアネットワークデバイスに通知し得る。この場合、コアネットワークデバイスは、ターゲット基地局を使用することによって５個のデータを端末に送信する必要はない。端末が３個だけのデータパケット、すなわちデータパケット１、データパケット２、およびデータパケット３を受信すると端末が決定する場合、端末は、ターゲット基地局を使用することによって、端末が５個のデータパケットを完全には受信していないことをコアネットワークデバイスに通知し得る。この場合、端末は、受信されたデータパケット１、データパケット２、およびデータパケット３を削除し、ターゲット基地局を使用することによって端末へコアネットワークデバイスによって送信される５個のデータパケット、すなわちデータパケット１、データパケット２、データパケット３、データパケット４、およびデータパケット５を再び受信し得る。端末が３個だけのデータパケット、すなわちデータパケット１、データパケット２、およびデータパケット３を受信すると端末が決定する場合、端末は、受信されたＮＡＳパケットの番号またはインデックス値をコアネットワークデバイスにフィードバックし得る。コアネットワークデバイスは、最初の３つの保存されたパケットを削除し、ターゲット基地局を使用することによって４番目のパケットおよび５番目のパケットを送信し得る。コアネットワークデバイスが１つだけのＮＡＳパケットを送信し、端末がＮＡＳパケットを完全には受信しない場合、端末はコアネットワークデバイスにフィードバックを送信し、完全には受信されないＮＡＳパケットを削除する。コアネットワークデバイスは、ターゲット基地局を使用することによって、ＮＡＳパケットを再び送信する。具体的には、端末は、ＮＡＳパケットを知っており、各データの番号に基づいて、受信される具体的なパケットを知ることがある。フィードバックの間、パケット番号がフィードバックされることがあり、または、現在の接続の間に受信されるＮＡＳパケットの量がフィードバックされることがある。具体的な形式は限定されない。
【０２９９】
１３０４．ターゲット基地局がダウンリンクデータを端末に送信する。
【０３００】
ターゲット基地局がダウンリンクデータを端末に転送する。
【０３０１】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信される受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３０２】
この実施形態では、コアネットワークデバイスは端末のダウンリンクデータを保存するので、端末がソース基地局からターゲット基地局にハンドオーバーされた後で、コアネットワークデバイスは、保存されたダウンリンクデータを端末に送信する。このことは、ダウンリンクデータが再選択の間に失われないことを確実にでき、それによりデータ連続性を確実にする。
【０３０３】
具体的には、図１４を参照すると、端末がセル変更を実行し、コアネットワークデバイスがデータ送信を実行し、ソース基地局およびターゲット基地局が異なるコアネットワークデバイスに接続される。
【０３０４】
ステップ１４０１はステップ１３０１と同じである。詳細は本明細書では再び説明されない。
【０３０５】
１４０２．ソース基地局がハンドオーバー要求をソースコアネットワークデバイスに送信し、ハンドオーバー要求はターゲット基地局についての情報およびターゲットコアネットワークデバイスについての情報を含む。
【０３０６】
ハンドオーバーの判断を行った後で、ソース基地局は、ハンドオーバー要求をソースコアネットワークデバイスに送信する。ハンドオーバー要求は、ターゲット基地局についての情報およびターゲットコアネットワークデバイスについての情報を含む。
【０３０７】
この実施形態では、ハンドオーバー要求は、ＨＯ  ｒｅｑｕｉｒｅｄシグナリングであることがあり、または他のシグナリングによって表されることがある。具体的なシグナリングは本明細書では限定されない。
【０３０８】
１４０３．ソースコアネットワークデバイスが、データ割振り要求をターゲットコアネットワークデバイスに送信する。
【０３０９】
ハンドオーバー要求を受信した後で、ソースコアネットワークデバイスは、ターゲットコアネットワークデバイスについての情報に基づいて、データ割振り要求をターゲットコアネットワークデバイスに送信する。
【０３１０】
この実施形態では、データ割振り要求は、ｆｏｒｗａｒｄ  ｒｅｌｏｃａｔｉｏｎ  ｒｅｑｕｅｓｔシグナリングであることがあり、または他のシグナリングであることがある。これは本明細書では特に限定されない。
【０３１１】
１４０４．ターゲットコアネットワークデバイスが、ハンドオーバー要求をターゲット基地局に送信する。
【０３１２】
データ割振り要求を受信した後で、ターゲットコアネットワークデバイスは、ハンドオーバー要求をターゲット基地局に送信する。
【０３１３】
この実施形態では、ハンドオーバー要求は、ＨＯ  ｒｅｑｕｉｒｅｄシグナリングであることがあり、または他のシグナリングによって表されることがある。具体的なシグナリングは本明細書では限定されない。
【０３１４】
１４０５．ターゲット基地局がハンドオーバー応答をターゲットコアネットワークデバイスに送信する。
【０３１５】
ターゲット基地局は、ハンドオーバー応答をターゲットコアネットワークデバイスにフィードバックする。
【０３１６】
この実施形態では、ハンドオーバー応答は、ＨＯ応答情報であることがあり、または他のシグナリングによって表されることがある。具体的なシグナリングは本明細書では限定されない。
【０３１７】
１４０６．ターゲットコアネットワークデバイスが、データ割振り応答をソースコアネットワークデバイスに送信する。
【０３１８】
ターゲット基地局によってフィードバックされるハンドオーバー応答を受信した後でターゲットコアネットワークデバイスは、データ割振り応答をソースコアネットワークデバイスにフィードバックする。
【０３１９】
この実施形態では、データ割振り応答は、ｆｏｒｗａｒｄ  ｒｅｌｏｃａｔｉｏｎ  ｒｅｑｕｅｓｔシグナリングであることがあり、または他のシグナリングであることがある。これは本明細書では特に限定されない。
【０３２０】
１４０７．ソースコアネットワークデバイスが、ハンドオーバーコマンドをソース基地局に送信する。
【０３２１】
ターゲットコアネットワークデバイスによってフィードバックされるデータ割振り応答を受信した後で、ソースコアネットワークデバイスは、ハンドオーバーが実行され得ることをソース基地局に通知する。
【０３２２】
この実施形態では、ハンドオーバーコマンドは、ＨＯコマンドシグナリングであることがあり、または他のシグナリングであることがある。具体的なシグナリングは本明細書では限定されない。
【０３２３】
１４０８．ソースコアネットワークデバイスが、データ送信チャネル作成要求をターゲットコアネットワークデバイスに送信する。
【０３２４】
ソースコアネットワークデバイスは、データ送信チャネル作成要求をターゲットコアネットワークデバイスに送信する。
【０３２５】
この実施形態では、データ送信チャネル作成要求は、ｃｒｅａｔｅ  ｉｎｄｉｒｅｃｔ  ｄａｔａ  ｆｏｒｗａｒｄｉｎｇ  ｔｕｎｎｅｌ  ｒｅｑｕｅｓｔであり得る。具体的なシグナリングは本明細書では限定されない。
【０３２６】
１４０９．ターゲットコアネットワークデバイスが、データ送信チャネル作成応答をソースコアネットワークデバイスに送信する。
【０３２７】
ソースコアネットワークデバイスによって送信されるデータ送信チャネル作成要求を受信した後で、ターゲットコアネットワークデバイスは、ターゲットコアネットワークデバイスがデータ送信チャネルを作成することを許可することを示すためのデータ送信チャネル作成応答を、ソースコアネットワークデバイスにフィードバックする。
【０３２８】
この実施形態では、データ送信チャネル作成応答は、ｃｒｅａｔｅ  ｉｎｄｉｒｅｃｔ  ｄａｔａ  ｆｏｒｗａｒｄｉｎｇ  ｔｕｎｎｅｌ  ｒｅｓｐｏｎｓｅであり得る。具体的なシグナリングは本明細書では限定されない。
【０３２９】
１４１０．ソースコアネットワークデバイスが、ダウンリンクデータをターゲットコアネットワークデバイスに送信する。
【０３３０】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０３３１】
１４１１．ターゲットコアネットワークデバイスが、ダウンリンクデータをターゲット基地局に送信する。
【０３３２】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０３３３】
１４１２．ターゲット基地局がダウンリンクデータを端末に送信する。
【０３３４】
ターゲットコアネットワークデバイスによって送信されるダウンリンクデータを受信した後で、ターゲット基地局はダウンリンクデータを端末に送信する。
【０３３５】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３３６】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３３７】
具体的には、図１５を参照すると、端末がセル変更を実行し、コアネットワークデバイスがデータ送信を実行し、ソース基地局およびターゲット基地局が異なるコアネットワークデバイスに接続される。
【０３３８】
ステップ１５０１からステップ１５０７はステップ１４０１からステップ１４０７と同じである。詳細は本明細書では再び説明されない。
【０３３９】
１５０８．ターゲットコアネットワークデバイスが、コンテキスト情報およびデータ要求をソースコアネットワークデバイスに送信する。
【０３４０】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０３４１】
この実施形態では、コンテキスト情報およびデータ要求メッセージは、コンテキストおよびデータ要求であり得る。具体的なシグナリングは本明細書では限定されない。
【０３４２】
１５０９．ソースコアネットワークデバイスが、ターゲットコアネットワークデバイスにコンテキスト情報およびデータ応答を送信し、ダウンリンクデータをコンテキスト情報およびデータ応答に追加する。
【０３４３】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０３４４】
この実施形態では、コンテキスト情報およびデータ応答は、コンテキストおよびデータ応答であり得る。具体的なシグナリングは本明細書では限定されない。
【０３４５】
ステップ１５１０およびステップ１５１１はステップ１４１１および１４１２と同じである。詳細は本明細書では再び説明されない。
【０３４６】
この実施形態では、ソースコアネットワークデバイスは端末のダウンリンクデータを保存するので、端末がソース基地局からターゲット基地局にハンドオーバーされた後で、ソースコアネットワークデバイスは、保存されたダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３４７】
具体的には、図１６を参照すると、端末がセル変更を実行し、コアネットワークデバイスがデータ送信を実行し、ソース基地局およびターゲット基地局が同じコアネットワークデバイスに接続される。
【０３４８】
１６０１．ソース基地局が通知メッセージをコアネットワークデバイスに送信し、通知メッセージは、端末がセル変更を実行すべきであることを示すために使用される。
【０３４９】
ハンドオーバーの判断を行った後で、ソース基地局は、端末がセル変更を実行すべきであることをコアネットワークデバイスに通知するために、通知メッセージをコアネットワークデバイスに送信する。
【０３５０】
この実施形態では、ソース基地局は、コアネットワークデバイスに通知するためにＳ１−ＡＰメッセージを送信し得る。シグナリングの名前はＨＯ  ｉｎｄｉｃａｔｉｏｎであることがあり、または他のシグナリングが使用されることがある。これは本明細書では特に限定されない。
【０３５１】
１６０２．コアネットワークデバイスが、ダウンリンクデータをソース基地局に送信するのを止め、第２のタイマーを始動する。
【０３５２】
端末がセル変更を実行すべきであることを知った後で、コアネットワークデバイスは、第２のタイマーを始動し、ダウンリンクデータをソース基地局に送信するのを止める。
【０３５３】
この実施形態では、第１のタイマーの動作時間長があらかじめ設定される。具体的な時間長は本明細書では限定されない。実際の適用形態では、ＭＭＥは、５個のデータパケット、すなわちデータパケット１、データパケット２、データパケット３、データパケット４、およびデータパケット５をソース基地局に送信するのを止める。
【０３５４】
１６０３．ターゲット基地局が第１の指示メッセージをコアネットワークデバイスに送信し、第１の指示メッセージは、端末がセル変更を完了したことを示すために使用される。
【０３５５】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０３５６】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０３５７】
この実施形態では、第２のタイマーがタイムアウトした後にターゲット基地局が第１の指示メッセージをコアネットワークデバイスに送信しない場合、そのことは、端末がターゲット基地局へ接続されることに失敗することを示す。この場合、端末はダウンリンクデータをソース基地局に送信するのを再開する。たとえば、第２のタイマーがタイムアウトした後で、ターゲット基地局によって送信され端末がセル再選択を完了したことを示すメッセージをＭＭＥが受信しない場合、ＭＭＥは、５個のデータパケット、すなわちデータパケット１、データパケット２、データパケット３、データパケット４、およびデータパケット５をソース基地局に送信するのを再開する。
【０３５８】
１６０４．コアネットワークデバイスが、ダウンリンクデータをターゲット基地局に送信する。
【０３５９】
第１の指示情報を受信した後で、コアネットワークデバイスは、送信されないダウンリンクデータをターゲット基地局に送信する。
【０３６０】
１６０５．ターゲット基地局がダウンリンクデータを端末に送信する。
【０３６１】
ターゲット基地局がダウンリンクデータを端末に転送する。
【０３６２】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３６３】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３６４】
具体的には、図１７を参照すると、端末がセル変更を実行し、コアネットワークデバイスがデータ送信を実行し、ソース基地局およびターゲット基地局が異なるコアネットワークデバイスに接続される。
【０３６５】
１７０１．ソース基地局が通知メッセージをソースコアネットワークデバイスに送信し、通知メッセージは、端末がセル変更を実行すべきであることを示すために使用される。
【０３６６】
変更の判断を行った後で、ソース基地局は、端末がセル変更を実行すべきであることをソースコアネットワークデバイスに通知するために、通知メッセージをソースコアネットワークデバイスに送信する。
【０３６７】
この実施形態では、ソース基地局は、ソースコアネットワークデバイスに通知するために、Ｓ１−ＡＰメッセージ、たとえばＵＬ  ＮＡＳトランスポートメッセージを送信し得る。シグナリングの名前はＨＯ  ｉｎｄｉｃａｔｉｏｎであることがあり、または他のシグナリングが使用されることがある。これは本明細書では特に限定されない。
【０３６８】
１７０２．ソースコアネットワークデバイスが、ダウンリンクデータをソース基地局に送信するのを止め、第２のタイマーを始動する。
【０３６９】
端末がセル変更を実行すべきであることを知った後で、ソースコアネットワークデバイスは、第２のタイマーを始動し、ダウンリンクデータをソース基地局に送信するのを止める。
【０３７０】
この実施形態では、第１のタイマーの動作時間長があらかじめ設定される。具体的な時間長は本明細書では限定されない。実際の適用形態では、ソースＭＭＥは、５個のデータパケット、すなわちデータパケット１、データパケット２、データパケット３、データパケット４、およびデータパケット５をソース基地局に送信するのを止める。
【０３７１】
１７０３．ターゲット基地局が通知命令をターゲットコアネットワークデバイスに送信し、この通知命令は、端末がセル変更を完了したことを示すために、および、ソースコアネットワークデバイスにデータを要求するようにターゲットコアネットワークデバイスに命令するために使用される。
【０３７２】
端末がターゲット基地局への接続を確立した後、ターゲット基地局は、通知命令をターゲットコアネットワークデバイスに送信する。通知命令は、端末がセル変更を完了したことを示すために、および、ソースコアネットワークデバイスにダウンリンクデータを要求するようにターゲットコアネットワークデバイスに命令するために使用される。
【０３７３】
この実施形態では、ターゲット基地局は、初期ＵＥメッセージをターゲットコアネットワークデバイスに送信することがあり、初期ＵＥメッセージは、ソースコアネットワークデバイスにダウンリンクデータを要求するようにターゲットコアネットワークデバイスに命令するための、フィールドまたは情報要素を搬送する。初期ＵＥメッセージは、この場合にのみ第１の命令として使用されることができる。たとえば、この実施形態では、ターゲット基地局は、初期ＵＥメッセージをターゲットＭＭＥに送信することがあり、５個のデータパケット、すなわちデータパケット１、データパケット２、データパケット３、データパケット４、およびデータパケット５をソースＭＭＥに要求するようにターゲットＭＭＥに命令するためのフィールド１１００を、初期ＵＥメッセージに追加する。
【０３７４】
１７０４．ターゲットコアネットワークデバイスが、データ送信チャネル作成要求をソースコアネットワークデバイスに送信する。
【０３７５】
ターゲットコアネットワークデバイスは、データ送信チャネル作成要求をソースコアネットワークデバイスに送信する。
【０３７６】
この実施形態では、データ送信チャネル作成要求は、データ転送トンネル作成要求であり得る。具体的なシグナリングは本明細書では限定されない。
【０３７７】
１７０５．ソースコアネットワークデバイスが、データ送信チャネル作成応答をターゲットコアネットワークデバイスに送信する。
【０３７８】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックする。
【０３７９】
この実施形態では、データ送信チャネル作成応答は、データ転送トンネル作成応答であり得る。具体的なシグナリングは本明細書では限定されない。
【０３８０】
１７０６．ソースコアネットワークデバイスが、ダウンリンクデータをターゲットコアネットワークデバイスに送信する。
【０３８１】
データ送信チャネルが作成された後で、ソースコアネットワークデバイスは、ダウンリンクデータをターゲットコアネットワークデバイスに送信する。たとえば、ソースＭＭＥは、５個のデータパケット、すなわちデータパケット１、データパケット２、データパケット３、データパケット４、およびデータパケット５をターゲットＭＭＥに送信する。
【０３８２】
１７０７．ターゲットコアネットワークデバイスが、ダウンリンクデータをターゲット基地局に送信する。
【０３８３】
ソースコアネットワークデバイスによって送信されるダウンリンクデータを受信した後で、ターゲットコアネットワークデバイスは、ダウンリンクデータをターゲット基地局に転送する。たとえば、この実施形態では、ターゲットＭＭＥは、５個のデータパケット、すなわちデータパケット１、データパケット２、データパケット３、データパケット４、およびデータパケット５をターゲット基地局に送信する。
【０３８４】
１７０８．ターゲット基地局がダウンリンクデータを端末に送信する。
【０３８５】
ターゲットコアネットワークデバイスによって送信されるダウンリンクデータを受信した後で、ターゲット基地局はダウンリンクデータを端末に送信する。
【０３８６】
実際の適用形態では、ターゲット基地局を使用することによって端末がどのようにアップリンクデータをコアネットワークデバイスに送信するかが、さらに決定され得る。ターゲット基地局への接続を確立した後で、端末は、ソース基地局によって送信されるそれに対する受信肯定応答メッセージが受信されない第１のデータパケットから始まる、ターゲット基地局への送信を実行する。端末がターゲット基地局への接続を確立し始めるとき、ソース基地局は、受信されたデータパケットを順番にコアネットワークデバイスへ送信し得る。
【０３８７】
任意選択で、ターゲットコアネットワークデバイスは、ソースコアネットワークデバイスがデータ経路作成メッセージを送信することまたはデータおよびコンテキスト要求メッセージを送信してターゲットコアネットワークデバイスの応答情報を受信することをトリガするために、セル変更完了指示をまず送信し得る。このデータは、送信の要求に追加されることがあり、または応答が受信された後で送信されることがある。
【０３８８】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３８９】
具体的には、図１８を参照すると、端末がセル変更を実行し、コアネットワークデバイスがデータ送信を実行し、ソース基地局およびターゲット基地局が異なるコアネットワークデバイスに接続される。
【０３９０】
ステップ１８０１からステップ１８０４はステップ１７０１からステップ１７０４と同じである。詳細は本明細書では再び説明されない。
【０３９１】
１８０５．ソースコアネットワークデバイスが、ターゲットコアネットワークデバイスにデータ送信チャネル作成応答を送信し、ダウンリンクデータをデータ送信チャネル作成応答に追加する。
【０３９２】
ターゲットコアネットワークデバイスによって送信されるデータ送信チャネル作成要求を受信した後で、ソースコアネットワークデバイスは、ソースコアネットワークデバイスがデータ送信チャネルを作成することを許可することを示すためのデータ送信チャネル作成応答を、ターゲットコアネットワークデバイスにフィードバックし、ダウンリンクデータをデータ送信チャネル作成応答に追加する。
【０３９３】
この実施形態では、データ送信チャネル作成応答は、データ転送トンネル作成応答であり得る。具体的なシグナリングは本明細書では限定されない。
【０３９４】
ステップ１８０６およびステップ１８０７はステップ１７０７および１７０８と同じである。詳細は本明細書では再び説明されない。
【０３９５】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０３９６】
具体的には、図１９を参照すると、端末がセル変更を実行し、コアネットワークデバイスがデータ送信を実行し、ソース基地局およびターゲット基地局が異なるコアネットワークデバイスに接続される。
【０３９７】
ステップ１９０１からステップ１９０３はステップ１７０１からステップ１７０３と同じである。詳細は本明細書では再び説明されない。
【０３９８】
１９０４．ターゲットコアネットワークデバイスが、コンテキスト情報およびデータ要求をソースコアネットワークデバイスに送信する。
【０３９９】
ターゲット基地局によって送信され、ソースコアネットワークデバイスにダウンリンクデータを要求するようにターゲットコアネットワークデバイスに命令するために使用される、第１の命令を受信した後で、ターゲットコアネットワークデバイスは、コンテキスト情報およびデータ要求メッセージをソースコアネットワークデバイスに直接送信し得る。
【０４００】
この実施形態では、コンテキスト情報およびデータ要求メッセージは、コンテキストおよびデータ要求であり得る。具体的なシグナリングは本明細書では限定されない。
【０４０１】
１９０５．ソースコアネットワークデバイスが、ターゲットコアネットワークデバイスにコンテキスト情報およびデータ応答を送信し、ダウンリンクデータをコンテキスト情報およびデータ応答に追加する。
【０４０２】
ターゲットコアネットワークデバイスによって送信されるコンテキスト情報およびデータ要求メッセージを受信した後で、ソースコアネットワークデバイスは、ソースコアネットワークデバイスがコンテキスト情報およびダウンリンクデータを送信することを許可することを示すためのコンテキスト情報データ応答をターゲットコアネットワークデバイスにフィードバックし、ダウンリンクデータおよびコンテキスト情報をコンテキスト情報およびデータ応答に追加する。
【０４０３】
この実施形態では、コンテキスト情報およびデータ応答は、コンテキストおよびデータ応答であり得る。具体的なシグナリングは本明細書では限定されない。
【０４０４】
ステップ１９０６およびステップ１９０７はステップ１７０７およびステップ１７０８と同じである。詳細は本明細書では再び説明されない。
【０４０５】
この実施形態では、端末がセル変更を実行すべきであることを示すメッセージを受信した後で、ソースコアネットワークデバイスがソース基地局にダウンリンクデータを送信するのを止めるので、端末がソース基地局からターゲット基地局にハンドオーバーされた後で、ソースコアネットワークデバイスは、ダウンリンクデータをターゲットコアネットワークデバイスに送信し、次いで、ターゲット基地局を使用してダウンリンクデータを端末に送信する。このことは、ダウンリンクデータが再選択の間に失われないことを確実にでき、それによりデータ連続性を確実にする。
【０４０６】
具体的には、図２０を参照すると、端末がセル変更を実行し、コアネットワークデバイスがデータ送信を実行し、ソース基地局およびターゲット基地局が同じコアネットワークデバイスに接続される。
【０４０７】
ステップ２００１はステップ１６０１と同じである。詳細は本明細書では再び説明されない。
【０４０８】
２００２．コアネットワークデバイスが、ソース基地局にダウンリンクデータを送信し、ターゲット基地局にダウンリンクデータを送信し、第３のタイマーを始動する。
【０４０９】
端末がセル変更を実行すべきであることを示すために使用される第１の指示メッセージを受信した後で、コアネットワークデバイスは第３のタイマーを始動し得る。加えて、コアネットワークデバイスは、Ｓ１インターフェースを使用することによってダウンリンクデータをターゲット基地局に送信することがあり、コアネットワークデバイスは、Ｓ１インターフェースを使用することによってダウンリンクデータをソース基地局に送信し続ける。
【０４１０】
２００３．ソース基地局がダウンリンクデータを端末に送信し、ターゲット基地局がダウンリンクデータを端末に送信する。
【０４１１】
コアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０４１２】
実際の適用形態では、コアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０４１３】
２００４．ターゲット基地局が第１の指示メッセージをコアネットワークデバイスに送信し、第１の指示メッセージは、端末がセル変更を完了したことを示す。
【０４１４】
端末がターゲット基地局に接続されることに成功した後で、ターゲット基地局は、端末がセル変更を完了したことをコアネットワークデバイスに通知するために、第１の指示メッセージをコアネットワークデバイスに送信する。
【０４１５】
この実施形態における第１の指示メッセージは、ターゲット基地局によってコアネットワークデバイスに送信される、初期ＵＥメッセージまたは経路切替えメッセージなどのメッセージであり得る。具体的なメッセージ形式は本明細書では限定されない。
【０４１６】
この実施形態では、第３のタイマーがタイムアウトした後にターゲット基地局が第１の指示メッセージをコアネットワークデバイスに送信しない場合、そのことは、端末がターゲット基地局へ接続されることに失敗することを示す。コアネットワークデバイスは、ダウンリンクデータをターゲット基地局に送信するのを止めることがあり、コアネットワークデバイスは、ダウンリンクデータをソース基地局に送信し続ける。
【０４１７】
２００５．コアネットワークデバイスが、ダウンリンクデータをソース基地局に送信するのを止める。
【０４１８】
端末がセル変更を完了したことを知った後で、コアネットワークデバイスは、ダウンリンクデータをソース基地局に送信するのを止める。
【０４１９】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０４２０】
この実施形態では、端末がセル変更を実行すべきであることを示すメッセージを受信した後、コアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０４２１】
具体的には、図２１を参照すると、端末がセル変更を実行し、コアネットワークデバイスがデータ送信を実行し、ソース基地局およびターゲット基地局が異なるコアネットワークデバイスに接続される。
【０４２２】
ステップ２１０１はステップ１７０１と同じである。詳細は本明細書では再び説明されない。
【０４２３】
２１０２．ソースコアネットワークデバイスが、ソース基地局にダウンリンクデータを送信し、ターゲット基地局にダウンリンクデータを送信し、第３のタイマーを始動する。
【０４２４】
端末がセル変更を実行すべきであることを示すために使用される第１の指示メッセージを受信した後で、ソースコアネットワークデバイスは第３のタイマーを始動し得る。加えて、ソースコアネットワークデバイスは、Ｓ１インターフェースを使用することによってダウンリンクデータをターゲット基地局に送信することがあり、ソースコアネットワークデバイスは、Ｓ１インターフェースを使用することによってダウンリンクデータをソース基地局に送信し続ける。
【０４２５】
２１０３．ソース基地局がダウンリンクデータを端末に送信し、ターゲット基地局がダウンリンクデータを端末に送信する。
【０４２６】
ソースコアネットワークデバイスによって送信されるダウンリンクデータを受信した後で、ターゲット基地局は端末への接続を確立した後でダウンリンクデータを端末に送信し得る。ソース基地局は、ソース基地局および端末が互いに接続されたままであるとき、ダウンリンクデータを端末に送信し得る。
【０４２７】
実際の適用形態では、ソースコアネットワークデバイスが前述の方式でデータを送信し、端末がＮＡＳ  ＰＤＵを受信したがソース基地局が端末によりフィードバックされる肯定応答情報を受信せず、ターゲット基地局がＮＡＳ  ＰＤＵを再び送信する場合、言い換えると、ＮＡＳ  ＰＤＵが番号を有しないので端末が２つのＮＡＳ  ＰＤＵを受信する場合、端末は、ＮＡＳカウントを使用することによって、ＮＡＳレイヤにおいてＮＡＳ  ＰＤＵに対して動作を実行し得る。具体的には、同じＮＡＳカウントを発見した後、端末はＮＡＳカウントに対応するデータパケットを削除する。
【０４２８】
２１０４．ターゲット基地局が通知命令をターゲットコアネットワークデバイスに送信し、通知命令は、端末がセル変更を完了したことを示すために使用される。
【０４２９】
端末がターゲット基地局に接続されることに成功した後で、ターゲット基地局は、端末がセル変更を完了したことをターゲットコアネットワークデバイスに通知するために、第１の指示メッセージをターゲットコアネットワークデバイスに送信する。
【０４３０】
この実施形態における通知メッセージは、ターゲット基地局によってターゲットコアネットワークデバイスに送信される、初期ＵＥメッセージまたは経路切替えメッセージなどのメッセージであり得る。具体的なメッセージ形式は本明細書では限定されない。
【０４３１】
２１０５．ターゲットコアネットワークデバイスが通知メッセージをソースコアネットワークデバイスに送信し、通知メッセージは、端末がセル変更を完了したことを示すために使用される。
【０４３２】
端末がセル変更を完了したことを知った後で、ターゲットコアネットワークデバイスは、端末がセル変更を完了したことを示す通知メッセージをソースコアネットワークデバイスに送信する。
【０４３３】
この実施形態では、第３のタイマーがタイムアウトした後にターゲット基地局が通知命令をターゲットコアネットワークデバイスに送信しない場合、そのことは、端末がターゲット基地局へ接続されることに失敗することを示す。加えて、ターゲットコアネットワークデバイスは、通知メッセージをソースコアネットワークデバイスに送信しない。この場合、ソースコアネットワークデバイスは、ダウンリンクデータをターゲット基地局に送信するのを止めることがあり、ソースコアネットワークデバイスは、ダウンリンクデータをソース基地局に送信し続ける。
【０４３４】
２１０６．ソースコアネットワークデバイスが、ソース基地局にダウンリンクデータを送信するのを止め、ダウンリンクデータをターゲット基地局に送信するのを止める。
【０４３５】
端末がセル変更を完了したことを知った後で、ソースコアネットワークデバイスは、ダウンリンクデータをソース基地局に送信するのを止め、ダウンリンクデータをターゲット基地局に送信するのを止める。
【０４３６】
実際の適用形態では、ソース基地局が端末により送信されるアップリンクデータをまだ有する場合、ソース基地局は、受信されたデータをコアネットワークデバイスへ順番にかつ連続的に送信し続け、他の肯定応答されない順序の狂ったデータパケットを廃棄する。加えて、ターゲット基地局への接続を確立した後で、端末は、受信されない最初のデータから始めて、データをターゲット基地局に送信する。
【０４３７】
この実施形態では、端末がセル変更を実行すべきであることを示すメッセージを受信した後、ソースコアネットワークデバイスは、ソース基地局とターゲット基地局の両方にダウンリンクデータを送信する。このことは、ダウンリンクデータが再選択の間に失われないことを確実にでき、それによりデータ連続性を確実にする。
【０４３８】
具体的には、図２２を参照すると、端末はセル変更を実行し、基地局側はデータ送信を実行する。
【０４３９】
２２０１．ソース基地局が、ハンドオーバー要求をターゲット基地局に送信する。
【０４４０】
ハンドオーバーの判断を行った後で、ソース基地局は、ハンドオーバー要求をターゲット基地局に送信する。
【０４４１】
２２０２．ターゲット基地局が、ハンドオーバー肯定応答メッセージをターゲット基地局に送信する。
【０４４２】
ソース基地局のハンドオーバー要求を受信した後で、ターゲット基地局は、ハンドオーバー肯定応答メッセージをソース基地局に送信し得る。このようにして、ターゲット基地局およびソース基地局は、ターゲット基地局とソース基地局との間の接続シグナリングとしてハンドオーバーシグナリングを使用する。
【０４４３】
２２０３．ソース基地局が、ダウンリンクデータをターゲット基地局に送信する。
【０４４４】
ソース基地局は、基地局間のＸ２インターフェースを使用することによって、ダウンリンクデータをターゲット基地局に送信する。
【０４４５】
加えて、実際の適用形態では、ターゲット基地局およびソース基地局が互いにデータを送信するとき、ターゲット基地局およびソース基地局は、データを転送するための情報要素をハンドオーバー要求に追加し得る。この情報要素の名前は、ＮＡＳ  ＰＤＵのためのデータ転送であり得る。代わりに、転送ダウンリンクデータが追加される先の１つのＸ２−ＡＰシグナリングが、ターゲット基地局とソース基地局との間で使用される。この情報要素の名前は、ＤＬデータ転送であり得る。代わりに、ソース基地局がハンドオーバー要求コマンド（ハンドオーバー要求）をターゲット基地局に送信するとき、ターゲットコアネットワークデバイスに送信されるべきデータがあることを示すために使用される情報要素が、ハンドオーバー要求に追加される。ターゲット基地局によって送信されるハンドオーバー肯定応答メッセージを受信した後、ソース基地局はさらに、データを送信するための１つのシグナリングをターゲット基地局に送信する。この場合、シグナリングに含まれる情報要素は、ＮＡＳ  ＰＤＵのためのデータ転送であり得る。代わりに、ターゲット基地局は、ＳＲＢ１に対応するＸ２ベアラ、ＥＰＳベアラに対応する新しいＥ−ＲＡＢ、およびＥ−ＲＡＢのデータを搬送するためのトンネルを確立する。トンネルが確立された後で、ターゲット基地局が対応するトンネルアドレスをソース基地局に送信し、ソース基地局がトンネルを使用することによってデータをターゲット基地局に転送する。本明細書では、ソース基地局は様々な方式でダウンリンクデータをターゲット基地局に送信し得る。これは本明細書では限定されない。
【０４４６】
２２０４．ターゲット基地局がダウンリンクデータを端末に送信する。
【０４４７】
ターゲット基地局は、ソース基地局から取得されたダウンリンクデータを端末に送信する。
【０４４８】
実際の適用形態では、ソース基地局から取得されたすべてのデータが順番に送信されることができることを確実にするために、ソース基地局からデータを取得した後で、ターゲット基地局は、ターゲットコアネットワークデバイスとシグナリングを交換し、ダウンリンクデータを受信する。代わりに、ターゲット基地局はまず、ソース基地局から取得されたダウンリンクデータを送信し、次いで、ターゲットコアネットワークデバイスによって送信されるダウンリンクデータを受信する。具体的な方式は本明細書では限定されない。
【０４４９】
この実施形態では、ソース基地局およびターゲット基地局はデータを互いに送信する。このことは、ダウンリンクデータが再選択の間に失われないことを確実にでき、それによりデータ連続性を確実にする。
【０４５０】
データ処理方法の前述の説明に基づいて、接続モードにおいて端末のモビリティを維持することに加えて、本出願の実施形態はさらに、接続モードにおける端末の電力消費を減らすために以下の解決法を提供し得る。
【０４５１】
具体的には、図２３を参照すると、本出願の実施形態は、以下のステップを含むセル取得方法を提供する。
【０４５２】
２３０１．端末が現在のソースサービングセルに接続されるときに、端末が現在のソースサービングセルの第１の品質パラメータを取得する。
【０４５３】
端末が現在のソースサービングセルに接続されるときに、端末は、現在のソースサービングセルの第１の品質パラメータをリアルタイムに取得し得る。
【０４５４】
この実施形態では、第１の品質パラメータは、基準信号受信品質または基準信号受信電力であり得る。具体的な決定基準は本明細書では限定されない。実際の適用形態では、端末が現在のソースサービングセルに接続されるとき、言い換えると、端末が現在のソースサービングセルに対応する基地局とデータまたはシグナリングを交換するとき、端末は、現在のソースサービングセルの基準信号受信電力または基準信号受信品質を取得して、現在のソースサービングセルの第１の品質パラメータを決定し得る。
【０４５５】
２３０２．端末が、第１の品質パラメータが第１のあらかじめ設定された閾値未満であるかどうかを決定し、そうである場合、ステップ２３０３からステップ２３０５を実行し、そうではない場合、ステップ２３０６を実行する。
【０４５６】
第１の品質パラメータを取得した後で、端末は、第１の品質パラメータが第１のあらかじめ設定された閾値未満であるかどうかを決定する。第１の品質パラメータが第１のあらかじめ設定された閾値未満である場合、端末はステップ２３０３からステップ２３０５を実行する。第１の品質パラメータが第１のあらかじめ設定された閾値未満ではない場合、端末はステップ２３０６を実行する。
【０４５７】
実際の適用形態では、接続モードの端末は、端末が現在のソースサービングセルにおいてサービスを実行できる条件を現在のソースサービングセルの品質パラメータが満たすかどうかを決定するための閾値をあらかじめ設定し得る。現在のソースサービングセルの品質パラメータを取得した後で、端末は品質パラメータを閾値と比較する。
【０４５８】
２３０３．端末が測定セルセットを取得する。
【０４５９】
端末が、端末によって測定され得るセルを決定し、測定セルセットを生成する。
【０４６０】
この実施形態では、端末は、その品質パラメータがアイドルモードにおいて測定を通じて取得されあらかじめ設定された閾値以上であるセルを測定セルとして使用することがあり、または、あらかじめ設定された時間長内に以前に端末へ接続されていたセルを測定セルとして使用することがあり、または、あらかじめ設定された時間長内に端末により保存される信号品質があらかじめ設定された閾値に達するセルを測定セルとして使用することがあり、または、端末に接続される基地局によって送信されるブロードキャストメッセージの中のセルリストの中のセルを測定セルとして使用することがあり、または、セルリストの中の周波数情報に関するセルを測定セルとして使用することがある。端末が適切な測定セルセットを取得できる限り、本明細書では具体的な方式は限定されない。端末は、アイドルモードにおいて、または接続モードにおいてブロードキャストメッセージを取得し得る。これは本明細書では特に限定されない。たとえば、端末はアイドル状態で２０個のセルを測定する。セルＡ、セルＢ、およびセルＣの品質パラメータは各々、あらかじめ設定された閾値８０より大きい。加えて、最近２日の間に端末に接続されたセルは、セルＤ、セルＥ、およびセルＦを含む。最近２日の間に端末による測定を通じて取得された品質パラメータが各々８０より大きいセルは、セルＧおよびセルＨを含む。基地局によって送信され端末によって受信されるブロードキャストメッセージの中のセルリストの中のセルは、セルＡからセルＨを含む。基地局によって送信され端末によって受信されるブロードキャストメッセージの中の周波数情報に関するセルは、セルＢ、セルＣ、セルＤ、およびセルＥを含む。この場合、端末によって決定される測定セルセットは、セルＡからセルＨのうちの少なくとも１つを含む。
【０４６１】
加えて、端末によって決定される測定セルセットの中の測定セルの量が、セルリストの中のセルの量および／または周波数情報に関するセルの量未満である場合：
【０４６２】
２３０４．端末が測定セルセットの中の測定セルを測定して、第２の品質パラメータセットを取得する。
【０４６３】
端末は、測定セルの第２の品質パラメータを取得するために、測定セルセットの中の測定セルを１つずつ測定し、第２の品質パラメータを使用することによって第２の品質パラメータセットを生成する。
【０４６４】
実際の適用形態では、端末は以下の方式で測定セルを測定し得る。
【０４６５】
ある可能な実装形態では、端末は、第２の品質パラメータを取得するために、同一周波数内測定、異周波数間測定、およびシステム間測定のうちの少なくとも１つの測定方式を使用することによって測定セルの基準信号受信電力を測定する。
【０４６６】
別の可能な実装形態では、端末は、第２の品質パラメータを取得するために、同一周波数内測定、異周波数間測定、およびシステム間測定のうちの少なくとも１つの測定方式を使用することによって測定セルの基準信号受信品質を測定する。
【０４６７】
２３０５．端末が第２の品質パラメータセットに基づいてターゲットサービングセルを決定する。
【０４６８】
端末は、第２の品質パラメータセットの中の第２の品質パラメータに基づいて、測定セルセットからターゲットサービングセルを決定する。
【０４６９】
実際の適用形態では、端末は、第２の品質パラメータがあらかじめ設定された閾値より大きい測定セルをターゲットサービングセルとして使用することがあり、または、端末は、第２の品質パラメータが最良である測定セルをターゲットサービングセルとして選択する。たとえば、端末によって決定される測定セルセットは、セルＡ、セルＢ、セルＤ、およびセルＥを含む。セルＡの第２の品質パラメータが８７であり、セルＢの第２の品質パラメータが８５であり、セルＤの第２の品質パラメータが７５であり、セルＥの第２の品質パラメータが８１であることが、測定を通じて知られる。あらかじめ設定された閾値が８５である場合、端末は、セルＡおよびセルＢをターゲットサービングセルとして使用することがあり、またはセルＡをターゲットサービングセルとして使用することがある。
【０４７０】
測定セルおよびサービングセルを測定した後で、端末は第１の品質パラメータおよび第２の品質パラメータを取得し、端末はまた、セル再選択規則、たとえばランキング機構または優先順位付け機構に基づいて、ターゲットサービングセルを決定しても得る。たとえば、各セルまたは周波数に関する各セルは、セル再選択の間に、特定のサポートされるサービスに基づいて、補償値またはオフセットを加算し得る。加えて、補償値またはオフセットは、各セルまたは周波数および端末に関する各セルによってあらかじめ設定されるデフォルト値であり得る。代わりに、端末は、基地局によってブロードキャストされるシステムメッセージを受信することによって、補償値またはオフセットを取得し得る。代わりに、端末は、専用シグナリングを受信することによって、補償値またはオフセットを取得し得る。端末が補償値またはオフセットを取得した後で、端末がターゲットサービスを実行してセル再選択を実行しているとき、端末は、ターゲットサービスをサポートするセルを優先的に選択し得る。たとえば、セルＡはＳＣ−ＰＴＭサービスをサポートする。ＳＣ−ＰＴＭサービスをサポートするための補償値またはオフセットは、システムブロードキャストにおいてブロードキャストされる。ＵＥは、セル再選択を実行するときにランキング機構を使用する。ＵＥがセルについての計算を実行するとき、ＵＥは補償値またはオフセットを加算するので、端末はセルＡを選択することができる。任意選択で、ＳＣ−ＰＴＭをサポートする端末が現在位置しているセルがＳＣ−ＰＴＭサービスをサポートしない場合、現在のサービングセルの信号品質または信号レベルが測定または再選択をトリガしない場合であっても、セルまたは周波数がＳＣ−ＰＴＭをサポートすることが、システムブロードキャストを使用することによって、または別の方式で知られる場合、測定がトリガされ、ランキングおよび再選択が実行され、またはターゲットサービングセルもしくはその周波数のセルが直接測定され、閾値の要件が満たされれば、再選択が実行される。
【０４７１】
任意選択で、ＳＣ−ＰＴＭをサポートするＵＥが、システムブロードキャストを使用することによって、または別の方式で、セルまたは周波数がＳＣ−ＰＴＭをサポートすることを知る場合、測定がトリガされ、セル再選択を実行するためにセル再選択規則が使用され、または、ターゲットサービングセルもしくは周波数のセルが直接測定され、閾値が再選択を満たす場合、または閾値が維持される場合、セルが再選択される。代わりに、サービスをサポートするセルが発見され、セルが再選択される。
【０４７２】
２３０６．端末が、ターゲットサービングセルについての情報を基地局に送信する。
【０４７３】
ターゲットサービングセルを決定した後で、端末は、端末に現在接続されている基地局に、ターゲットサービングセルのインデックスまたはＩＤを送信する。たとえば、この実施形態では、端末は、セルＡのインデックスまたはセルＩＤを基地局に送信し得る。代わりに、端末は、セルＡおよびセルＢのインデックスまたはセルＩＤを基地局に送信し得る。
【０４７４】
２３０７．端末が測定をトリガすることをスキップする。
【０４７５】
端末は、現在のソースサービングセルへの接続を維持し、セル測定を実行しない。
【０４７６】
この実施形態では、端末は、ターゲットサービングセルを決定し、測定データなどの情報を基地局にもはや報告せず、これにより、端末の電力消費を減らす。
【０４７７】
上記は、本出願の実施形態におけるデータ処理方法を説明する。以下は、本出願の実施形態における基地局およびコアネットワークデバイスを説明する。
【０４７８】
具体的には、図２４を参照すると、本出願の実施形態によるコアネットワークデバイスのある実施形態は、
受信モジュール２４０１および送信モジュール２４０２を含む。
【０４７９】
受信モジュール２４０１は、第１の指示メッセージを取得するように構成され、端末がセル変更またはセル再選択を完了したことを示すために第１の指示メッセージが使用される。
【０４８０】
送信モジュール２４０２は、ダウンリンクデータをターゲット基地局に送信するように構成され、ターゲット基地局は、端末がセル変更またはセル再選択を完了した後で接続される基地局である。
【０４８１】
前述の実施形態を参照すると、コアネットワークデバイスはさらに、処理モジュール２４０３を含む。処理モジュール２４０３は、ダウンリンクデータを保存し、第１のタイマーを始動するように構成され、ダウンリンクデータは、コアネットワークデバイスによってソース基地局に送信されるべきダウンリンクデータであり、ソース基地局は、セル変更を完了する前またはセル再選択を完了する前に端末が接続される基地局である。
【０４８２】
受信モジュール２４０１はさらに、第１のタイマーがタイムアウトしないとき、第１の指示メッセージを取得するように構成される。
【０４８３】
前述の実施形態を参照すると、処理モジュール２４０３はさらに、第１のタイマーがタイムアウトし受信モジュールが第１の指示メッセージを取得しない場合に保存されたダウンリンクデータを削除するように構成される。
【０４８４】
前述の実施形態を参照すると、受信モジュール２４０１はさらに、端末のフィードバック情報を受信するように構成される。
【０４８５】
処理モジュール２４０３はさらに、端末がダウンリンクデータを完全に受信したことをフィードバック情報が示す場合にダウンリンクデータを削除し、または、端末がダウンリンクデータを完全には受信していないことをフィードバック情報が示す場合にターゲット基地局へのダウンリンクデータの送信をトリガするように構成される。
【０４８６】
前述の実施形態を参照すると、受信モジュール２４０１はさらに、指示シグナリングを受信するように構成される。指示シグナリングは、端末がセル再選択を実行すべきであることまたは端末がセル変更を実行すべきであることを示すために使用される。
【０４８７】
処理モジュール２４０３はさらに、ダウンリンクデータをソース基地局に送信するのを止め、第２のタイマーを始動するように構成される。ダウンリンクデータは、ソース基地局へコアネットワークデバイスによって送信されることになるダウンリンクデータである。
【０４８８】
受信モジュール２４０１はさらに、第２のタイマーがタイムアウトしないとき、第１の指示メッセージを取得するように構成される。
【０４８９】
前述の実施形態を参照すると、処理モジュール２４０３はさらに、第２のタイマーがタイムアウトし受信モジュールが第１の指示メッセージを取得しない場合、ソース基地局へのダウンリンクデータの送信を再開するように構成される。
【０４９０】
前述の実施形態を参照すると、受信モジュール２４０１はさらに、指示シグナリングを受信するように構成される。
【０４９１】
送信モジュール２４０２はさらに、ターゲット基地局にダウンリンクデータを送信し始め、ダウンリンクデータをソース基地局に送信し続けるように構成される。ダウンリンクデータは、ソース基地局へコアネットワークデバイスによって送信されることになるダウンリンクデータである。
【０４９２】
処理モジュール２４０３はさらに、第３のタイマーを始動するように構成される。
【０４９３】
受信モジュール２４０１はさらに、第３のタイマーがタイムアウトしないとき、第１の指示メッセージを取得するように構成される。
【０４９４】
送信モジュール２４０２はさらに、ターゲット基地局にダウンリンクデータを送信し、ダウンリンクデータをソース基地局に送信するのを止めるように構成される。
【０４９５】
前述の実施形態を参照すると、処理モジュール２４０３はさらに、第１のタイマーがタイムアウトし受信モジュールが第１の指示メッセージを取得しない場合に保存されたダウンリンクデータを削除するように構成される。
【０４９６】
前述の実施形態を参照すると、受信モジュール２４０１はさらに、端末のフィードバック情報を受信するように構成される。
【０４９７】
処理モジュール２４０３はさらに、端末がダウンリンクデータを完全に受信したことをフィードバック情報が示す場合にダウンリンクデータを削除し、または、端末がダウンリンクデータを完全には受信していないことをフィードバック情報が示す場合にターゲット基地局へのダウンリンクデータの送信をトリガするように構成される。
【０４９８】
前述の実施形態を参照すると、処理モジュール２４０３はさらに、第３のタイマーがタイムアウトした後に第１の指示メッセージが取得されない場合、ダウンリンクデータをターゲット基地局に送信するのを止めるように構成される。
【０４９９】
さらに、図２４のサーバはさらに、図１から図２２のいずれか１つのコアネットワークデバイスによって実行されるあらゆるステップを実行し、図１から図２２のいずれか１つのコアネットワークデバイスによって実施されることができるあらゆる機能を実施するように構成され得る。
【０５００】
この実施形態では、端末がセル再選択またはセル変更を完了したことを示すメッセージを受信モジュール２４０１が受信した後で、送信モジュール２４０２はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５０１】
具体的には、図２５を参照すると、本出願の実施形態によるコアネットワークデバイスの別の実施形態は、
トランシーバ２５０１およびプロセッサ２５０２を含み、トランシーバ２５０１およびプロセッサ２５０２は、バス２５０３を使用することによって互いに接続される。
【０５０２】
バス２５０３は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略してＰＣＩ）バス、拡張インダストリスタンダードアーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略してＥＩＳＡ）バスなどであり得る。バスは、アドレスバス、データバス、制御バスなどを含み得る。表現を簡単にするために、図２５のバスは、１つの実線だけを使用することで表されているが、これは１つだけのバスまたは１つのタイプだけのバスがあることを示さない。
【０５０３】
プロセッサ２５０２は、中央処理装置（ｃｅｎｔｒａｌ  ｐｒｏｃｅｓｓｉｎｇ  ｕｎｉｔ、略してＣＰＵ）、ネットワークプロセッサ（ｎｅｔｗｏｒｋ  ｐｒｏｃｅｓｓｏｒ、略してＮＰ）、またはＣＰＵとＮＰの組合せであり得る。
【０５０４】
プロセッサ２５０２はさらに、ハードウェアチップを含み得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）、プログラマブル論理デバイス（ｐｒｏｇｒａｍｍａｂｌｅ  ｌｏｇｉｃ  ｄｅｖｉｃｅ、略してＰＬＤ）、またはこれらの組合せであり得る。前述のＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、略してＣＰＬＤ）、フィールドプログラマブルゲートアレイ（ｆｉｌｅｄ−ｐｒｏｇｒａｍｍａｂｌｅ  ｇａｔｅ  ａｒｒａｙ、略してＦＰＧＡ）、汎用アレイ論理（ｇｅｎｅｒｉｃ  ａｒｒａｙ  ｌｏｇｉｃ、略してＧＡＬ）、またはこれらの任意の組合せであり得る。
【０５０５】
図２５に示されるように、コアネットワークデバイスはさらにメモリ２５０４を含み得る。メモリ２５０４はダウンリンクデータを保存するように構成される。メモリ２５０４は、ランダムアクセスメモリ（ｒａｎｄｏｍ−ａｃｃｅｓｓ  ｍｅｍｏｒｙ、略してＲＡＭ）などの揮発性メモリ（ｖｏｌａｔｉｌｅ  ｍｅｍｏｒｙ）を含み得る。メモリはさらに、フラッシュメモリ（ｆｌａｓｈ  ｍｅｍｏｒｙ）、ハードディスクドライブ（ｈａｒｄ  ｄｉｓｋ  ｄｒｉｖｅ、略してＨＤＤ）、またはソリッドステートドライブ（ｓｏｌｉｄ−ｓｔａｔｅ  ｄｒｉｖｅ、略してＳＳＤ）などの、不揮発性メモリ（ｎｏｎ−ｖｏｌａｔｉｌｅ  ｍｅｍｏｒｙ）を含み得る。メモリ２５０４はさらに、前述のタイプのメモリの組合せを含み得る。
【０５０６】
任意選択で、メモリ２５０４はさらに、プログラム命令を記憶するように構成され得る。プロセッサ２５０２は、図１から図２２のいずれか１つに示される実施形態の１つまたは複数のステップを実行するために、メモリ２５０４に記憶されているプログラム命令を呼び出し、または、前述の方法でコアネットワークデバイスの挙動の機能を実施するために、そのプログラム命令の任意選択の実装形態を呼び出し得る。
【０５０７】
前述の実施形態を参照すると、トランシーバ２５０１は、コアネットワークデバイスの中の受信モジュール２４０１および送信モジュール２４０２に対応する。トランシーバ２５０１は、前述の実施形態における、コアネットワークデバイスによるデータの受信および送信またはシグナリングのステップを実行する。
【０５０８】
前述の実施形態を参照すると、プロセッサ２５０２は、コアネットワークデバイスの中の処理モジュール２４０３に対応する。処理２５０２は、前述の実施形態における、コアネットワークデバイスの処理モジュール２４０３によって実行されるステップを実行する。
【０５０９】
この実施形態では、端末がセル再選択またはセル変更を完了したことを示すメッセージをトランシーバ２５０１が受信した後で、トランシーバ２５０１はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５１０】
具体的には、図２６を参照すると、本出願の実施形態による基地局のある実施形態は、
受信モジュール２６０１および送信モジュール２６０２を含む。
【０５１１】
受信モジュール２６０１は、第２の指示メッセージを取得するように構成される。第２の指示メッセージは、端末がセル変更を実行し始めることまたは端末がセル再選択を実行し始めることを示すために使用される。ソース基地局は、端末がセル再選択を完了する前またはセル変更を完了する前に端末が位置するソースサービングセルに対応する基地局である。
【０５１２】
送信モジュール２６０２はターゲット基地局にダウンリンクデータを送信するように構成されるので、ターゲット基地局はダウンリンクデータを端末に送信する。ターゲット基地局は、端末がセル再選択またはセル変更を完了した後のターゲットサービングセルに対応する基地局である。
【０５１３】
前述の実施形態を参照すると、第２の指示メッセージは、端末がセル再選択を完了したことを示す。
【０５１４】
受信モジュール２６０１はさらに、ターゲット基地局によって送信されるデータ送信指示メッセージまたは無線リンク障害指示メッセージを受信するように構成される。
【０５１５】
送信モジュール２６０２はさらに、第１の要求メッセージをターゲット基地局に送信するように構成される。
【０５１６】
受信モジュール２６０１はさらに、ターゲット基地局によって第２の指示メッセージとしてフィードバックされる第１の応答メッセージを受信するように構成される。
【０５１７】
前述の実施形態を参照すると、第２の指示メッセージは、端末がセル変更を実行し始めることを示す。
【０５１８】
送信モジュール２６０２はさらに、第２の要求メッセージをターゲット基地局に送信するように構成される。
【０５１９】
受信モジュール２６０１はさらに、ターゲット基地局によって第２の指示メッセージとしてフィードバックされる第２の応答メッセージを受信するように構成される。
【０５２０】
前述の実施形態を参照すると、送信モジュール２６０２はさらに、基地局間の相互接続インターフェースＸ２を使用することによって、ダウンリンクデータをターゲット基地局に送信するように構成される。
【０５２１】
さらに、図２６の基地局はさらに、図１から図２２のいずれか１つの基地局によって実行されるあらゆるステップを実行し、図１から図２２のいずれか１つの基地局によって実施されることができるあらゆる機能を実施するように構成され得る。
【０５２２】
この実施形態では、端末がセル再選択またはセル変更を完了したことを示すメッセージを受信モジュール２６０１が受信した後で、送信モジュール２６０２はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５２３】
具体的には、図２７を参照すると、本出願の実施形態による基地局の別の実施形態は、
トランシーバ２７０１およびプロセッサ２７０２を含み、トランシーバ２７０１およびプロセッサ２７０２は、バス２７０３を使用することによって互いに接続される。
【０５２４】
バス２７０３は、ＰＣＩバス、ＥＩＳＡバスなどであり得る。バスは、アドレスバス、データバス、制御バスなどを含み得る。表現を簡単にするために、図２７のバスは、１つの実線だけによって表されているが、これは１つだけのバスまたは１つのタイプだけのバスがあることを示さない。
【０５２５】
プロセッサ２７０２は、ＣＰＵ、ＮＰ、またはＣＰＵとＮＰの組合せであり得る。
【０５２６】
プロセッサ２７０２はさらに、ハードウェアチップを含み得る。ハードウェアチップは、ＡＳＩＣ、ＰＬＤ、またはこれらの組合せであり得る。前述のＰＬＤは、ＣＰＬＤ、ＦＰＧＡ、ＧＡＬ、またはこれらの任意の組合せであり得る。
【０５２７】
図２７に示されるように、基地局はさらにメモリ２７０４を含み得る。メモリ２７０４は、ＲＡＭなどの揮発性メモリ（ｖｏｌａｔｉｌｅ  ｍｅｍｏｒｙ）を含み得る。メモリはさらに、フラッシュメモリ（ｆｌａｓｈ  ｍｅｍｏｒｙ）、ＨＤＤ、またはＳＳＤなどの不揮発性メモリ（ｎｏｎ−ｖｏｌａｔｉｌｅ  ｍｅｍｏｒｙ）を含み得る。メモリ２７０４はさらに、前述のタイプのメモリの組合せを含み得る。
【０５２８】
任意選択で、メモリ２７０４はさらに、プログラム命令を記憶するように構成され得る。プロセッサ２７０２は、図１から図２２のいずれか１つに示される実施形態の１つまたは複数のステップを実行するために、メモリ２７０４に記憶されているプログラム命令を呼び出し、または、前述の方法で基地局の挙動の機能を実施するために、そのプログラム命令の任意選択の実装形態を呼び出し得る。
【０５２９】
前述の実施形態を参照すると、トランシーバ２７０１は、前述の実施形態のステップにおける基地局によるデータの受信および送信のステップを実行する。
【０５３０】
前述の実施形態を参照すると、プロセッサ２７０２は、前述の実施形態のステップにおける基地局によるデータの処理のステップを実行する。
【０５３１】
この実施形態では、端末がセル再選択またはセル変更を完了したことを示すメッセージをトランシーバ２７０１が受信した後で、トランシーバ２７０１はダウンリンクデータをターゲット基地局に送信する。このことは、端末が、ターゲット基地局にアクセスした後で、ハンドオーバーまたは再選択の前に完全には受信されていないダウンリンクデータを完全に受信できることを事実上確実にでき、言い換えると、端末のダウンリンクデータが失われないことを事実上確実にでき、それによって接続モードにおける端末のモビリティを確実にする。
【０５３２】
説明の便宜上、また説明を簡単にするために、前述のシステム、装置、およびユニットの詳細な作動プロセスについて、前述の方法の実施形態における対応するプロセスに対して参照が行われてもよく、詳細は本明細書で再び説明されないことが、当業者により明確に理解され得る。
【０５３３】
本出願において提供されるいくつかの実施形態では、開示されるシステム、装置、および方法は、他の方式で実装され得ることを理解されたい。たとえば、説明される装置の実施形態は例にすぎない。たとえば、ユニットの分割は、論理的な機能の分割にすぎず、実際の実装形態では他の分割であり得る。たとえば、複数のユニットまたは構成要素が別のシステムへと組み合わされ、もしくは統合されることがあり、または、いくつかの特徴は無視され、または実行されないことがある。加えて、表示または議論される、相互結合または直接結合または通信接続が、いくつかのインターフェースを使用することによって実施され得る。装置もしくはユニット間の間接結合または通信接続は、電気的な形式、機械的な形式、または他の形式で実装され得る。
【０５３４】
別々の部分として説明されるユニットは、物理的に別々であることもそうではないこともあり、ユニットとして表示される部分は、物理的なユニットであることもそうではないこともあり、１つの場所に位置することがあり、または、複数のネットワークユニットに分散されることがある。ユニットの一部またはすべてが、実施形態の解決法の目的を達成するために、実際の要件に従って選択され得る。
【０５３５】
加えて、本出願の実施形態における機能ユニットが１つの処理ユニットへと統合されることがあり、またはユニットの各々が物理的に単独で存在することがあり、または２つ以上のユニットが１つのユニットへと統合される。統合されたユニットは、ハードウェアの形式で実装されることがあり、または、ソフトウェア機能ユニットの形式で実装されることがある。
【０５３６】
統合されたユニットがソフトウェア機能ユニットの形式で実装され、独立の製品として販売または使用されるとき、統合されたユニットはコンピュータ可読記憶媒体に記憶され得る。そのような理解に基づいて、本出願の技術的な解決法が基本的に、または従来の技術に寄与する部分、または技術的な解決法のすべてもしくは一部が、ソフトウェア製品の形式で実装され得る。ソフトウェア製品は、記憶媒体に記憶され、本出願の実施形態において説明される方法のステップのすべてまたは一部を実行するようにコンピュータデバイス（パーソナルコンピュータ、サーバ、またはネットワークデバイスであり得る）に命令するための、いくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光学ディスクなどの、プログラムコードを記憶できる任意の媒体を含む。
【０５３７】
前述の実施形態は、本出願の技術的な解決法を説明することが意図されているにすぎず、本出願を限定することは意図されていない。本出願は前述の実施形態を参照して詳細に説明されるが、それでも、本出願の実施形態の技術的な解決法の趣旨および範囲から逸脱することなく、前述の実施形態において説明される技術的な解決法に修正を行い得ること、またはそれらのいくつかの技術的な特徴に等価な置換を行い得ることを、当業者は理解されたい。
【国際調査報告】
2019525640.tif 000030
2019525640.tif 000031
2019525640.tif 000032
2019525640.tif 000033